(57)【特許請求の範囲】
【請求項１】
多機能ユニット（１）と、前記多機能ユニットと接続可能な所定の給湯システム本体（２）とを含む給湯システム（１００Ｂ）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と、
前記第１流路（ｈ１）における前記第１接続口（ａ１）と前記調整弁（５）との間の部分に配設された第２ポンプ（Ｐ２）と
を備え、
前記給湯システム本体は、
湯水が流入する流入口（ａ７）および前記湯水を加熱して得られる湯を出湯する出湯口（ａ８）を有する前記加熱手段（９）と、
その内部の湯水を吐出する吐出口（ａ９）および前記加熱手段から出湯される前記湯が入湯する入湯口（ａ１０）を有する前記貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記第５流路（ｈ５）に配設され、前記貯湯タンク（１１）の前記吐出口（ａ９）からの湯水を前記加熱手段（９）側に送出する第３ポンプ（Ｐ３）と、
前記加熱手段（９）および第３ポンプ（Ｐ３）を制御する第１制御機能（１３ａＢ）を有する第１制御手段（１３Ｂ）と
を備え、
前記多機能ユニットは、
前記第１ポンプ（Ｐ１）、前記第２ポンプ（Ｐ２）および前記調整弁（５）を制御すると共に、前記第１制御手段を介して前記加熱手段（９）を制御する第２制御手段（１７Ｂ）
を更に備え、
前記第５流路には、前記加熱手段と前記第３ポンプとの間の部分において、前記多機能ユニット（１）の前記第１接続口（ａ１）が前記加熱手段の前記流入口（ａ７）側に接続されると共に前記多機能ユニットの前記第３接続口（ａ３）が前記貯湯タンクの前記吐出口側に接続される様にして、前記多機能ユニット（１）が介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であり、
前記第１制御手段は、前記第２制御手段を介して前記第２ポンプおよび前記調整弁を制御すると共に前記第２制御手段からの制御に応じて前記加熱手段を制御する第２制御機能（１３ｂＢ）を更に有し、前記多機能ユニットが前記第５流路（ｈ５）および前記第６流路（ｈ６）に介装接続されない場合は、前記第１制御機能および前記第２制御機能のうちの前記第１制御機能だけを作動させ、前記多機能ユニットが前記第５流路における前記加熱手段と前記第３ポンプとの間の部分に介装接続されると共に前記第６流路に介装接続される場合は、前記第１制御機能および前記第２制御機能を作動させることを特徴とする給湯システム。
【請求項２】
多機能ユニット（１）と、前記多機能ユニットと接続可能な所定の給湯システム本体（２）とを含む給湯システム（１００Ｃ）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と、
前記第１流路（ｈ１）における前記第１接続口（ａ１）と前記調整弁（５）との間の部分に配設された第２ポンプ（Ｐ２）と
を備え、
前記給湯システム本体は、
湯水が流入する流入口（ａ７）および前記湯水を加熱して得られる湯を出湯する出湯口（ａ８）を有する前記加熱手段（９）と、
その内部の湯水を吐出する吐出口（ａ９）および前記加熱手段から出湯される前記湯が入湯する入湯口（ａ１０）を有する前記貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記第５流路（ｈ５）に配設され、前記貯湯タンク（１１）の前記吐出口（ａ９）からの湯水を前記加熱手段（９）側に送出する第３ポンプ（Ｐ３）と、
前記加熱手段（９）に加熱手段用制御信号（ｓ１）を出力して前記加熱手段を前記加熱手段用制御信号で指定される加熱能力で作動させると共に、前記第３ポンプ（Ｐ３）を所定の排出量で作動させる第１制御手段（１３Ｃ）と
を備え、
前記多機能ユニットは、
前記第１ポンプ（Ｐ１）、前記第２ポンプ（Ｐ２）および前記調整弁（５）を制御する第２制御手段（１７Ｃ）
を更に備え、
前記第５流路には、前記加熱手段と前記第３ポンプとの間の部分において、前記多機能ユニット（１）の前記第１接続口（ａ１）が前記加熱手段の前記流入口（ａ７）側に接続されると共に前記多機能ユニットの前記第３接続口（ａ３）が前記貯湯タンクの前記吐出口側に接続される様にして、前記多機能ユニット（１）が介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であり、
前記第２制御手段は、前記多機能ユニットが前記第５流路（ｈ５）における前記加熱手段（９）と前記第３ポンプ（Ｐ３）との間の部分に介装接続されると共に前記第６流路（ｈ６）に介装接続され、前記加熱手段用制御信号を中継し、前記加熱手段の停止中の場合において、その中継する前記加熱手段用制御信号を前記加熱手段が作動する様に変更し、且つ前記第１および第２ポンプを作動させ、且つ前記調整弁を前記熱交換器側（α）の流れが確保される様に制御する（Ｓ８）ことを特徴とする給湯システム。
【請求項３】
請求項２に記載の給湯システム（１００Ｃ）であって、
前記第２制御手段（１７Ｃ）は、前記加熱手段（９）の作動中の場合において、その中継する前記加熱手段用制御信号で指定される加熱能力をより高い加熱能力に変更し、且つ前記第１ポンプ（Ｐ１）を作動させ、且つ前記第２ポンプ（Ｐ２）を前記所定の排出量よりも大きい排出量で作動させ、且つ前記調整弁（５）を前記熱交換器側（α）および前記加熱手段側の両方の流れが確保される分流比に制御する（Ｓ４）ことを特徴とする給湯システム。
【請求項４】
多機能ユニット（１）と、前記多機能ユニットと接続可能な所定の給湯システム本体（２）とを含む給湯システム（１００Ｄ）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と、
前記第１流路（ｈ１）における前記第１接続口（ａ１）と前記調整弁（５）との間の部分に配設された第２ポンプ（Ｐ２）と
を備え、
前記給湯システム本体は、
湯水が流入する流入口（ａ７）および前記湯水を加熱して得られる湯を出湯する出湯口（ａ８）を有する前記加熱手段（９）と、
その内部の湯水を吐出する吐出口（ａ９）および前記加熱手段から出湯される前記湯が入湯する入湯口（ａ１０）を有する前記貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記第５流路（ｈ５）に配設され、前記貯湯タンク（１１）の前記吐出口（ａ９）からの湯水を前記加熱手段（９）側に送出する第３ポンプ（Ｐ３）と、
前記第３ポンプ（Ｐ３）にポンプ用制御信号（ｓ２）を出力して前記第３ポンプを前記ポンプ用制御信号で指定される排出量で作動させると共に、前記加熱手段に加熱手段用制御信号（ｓ１）を出力して前記加熱手段を所定の加熱能力で作動させる第１制御手段（１３Ｄ）と
を備え、
前記多機能ユニットは、
前記第１ポンプ（Ｐ１）、前記第２ポンプ（Ｐ２）および前記調整弁（５）を制御する第２制御手段（１７Ｄ）
を更に備え、
前記第５流路には、前記加熱手段と前記第３ポンプとの間の部分において、前記多機能ユニット（１）の前記第１接続口（ａ１）が前記加熱手段の前記流入口（ａ７）側に接続されると共に前記多機能ユニットの前記第３接続口（ａ３）が前記貯湯タンクの前記吐出口側に接続される様にして、前記多機能ユニット（１）が介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であり、
前記第２制御手段は、前記多機能ユニットが前記第５流路（ｈ５）における前記加熱手段と前記第３ポンプとの間の部分に介装接続されると共に前記第６流路（ｈ６）に介装接続され、前記加熱手段用制御信号および前記ポンプ用制御信号を中継し、前記加熱手段の停止中の場合において、その中継する前記加熱手段用制御信号を前記加熱手段が作動する様に変更すると共にその中継する前記ポンプ用制御信号を変更せず、且つ前記第１ポンプおよび前記第２ポンプを作動させ、且つ前記調整弁を前記熱交換器側（α）での流れが確保される分流比に制御する（Ｔ８）ことを特徴とする給湯システム。
【請求項５】
請求項４に記載の給湯システム（１００Ｄ）であって、
前記第２制御手段（１７Ｄ）は、前記加熱手段の作動中の場合において、その中継する前記加熱手段用制御信号を変更しないと共にその中継する前記ポンプ用制御信号で指定される排出量をよりも小さい排出量に変更し、且つ前記第１ポンプ（Ｐ１）を作動させ、且つ変更前の前記ポンプ用制御信号で指定される排出量で前記第２ポンプを作動させ、且つ前記調整弁を前記熱交換器側（α）および前記貯湯タンク側（β）の両方の流れが確保される分流比に制御する（Ｔ４）ことを特徴とする給湯システム。
【請求項６】
多機能ユニット（１）と、前記多機能ユニットと接続可能な所定の給湯システム本体（２）とを含む給湯システム（１００Ｅ）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と、
前記第１流路（ｈ１）における前記第１接続口（ａ１）と前記調整弁（５）との間の部分に配設された第２ポンプ（Ｐ２）と
を備え、
前記給湯システム本体は、
湯水が流入する流入口（ａ７）および前記湯水を加熱して得られる湯を出湯する出湯口（ａ８）を有する前記加熱手段（９）と、
その内部の湯水を吐出する吐出口（ａ９）および前記加熱手段から出湯される前記湯が入湯する入湯口（ａ１０）を有する前記貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記第５流路（ｈ５）に配設され、前記貯湯タンク（１１）の前記吐出口（ａ９）からの湯水を前記加熱手段（９）側に送出する第３ポンプ（Ｐ３）と、
前記貯湯タンク（１１）の残湯量または残湯温度を検出するセンサ（Ｔ１〜Ｔ５）と、
前記センサからの検出信号（ｓ３）に基づいて前記加熱手段（９）および前記第３ポンプ（Ｐ３）を制御し、前記第３ポンプを所定の排出量で作動させると共に前記加熱手段を前記検出信号の内容に応じた加熱能力で作動させる第１制御手段（１３Ｅ）と
を備え、
前記多機能ユニットは、
前記第１ポンプ（Ｐ１）、前記第２ポンプ（Ｐ２）および前記調整弁（５）を制御する第２制御手段（１７Ｅ）
を更に備え、
前記第５流路には、前記加熱手段と前記第３ポンプとの間の部分において、前記多機能ユニット（１）の前記第１接続口（ａ１）が前記加熱手段の前記流入口（ａ７）側に接続されると共に前記多機能ユニットの前記第３接続口（ａ３）が前記貯湯タンクの前記吐出口側に接続される様にして、前記多機能ユニット（１）が介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であり、
前記第２制御手段は、前記多機能ユニットが前記第５流路（ｈ５）における前記加熱手段と前記第３ポンプとの間の部分に介装接続されると共に前記第６流路（ｈ６）に介装接続され、前記検出信号を中継し、その中継する前記検出信号を前記加熱手段が所要の加熱能力で作動される様に変更し、且つ前記第１ポンプを作動させ、且つ前記第２ポンプを前記所定の排出量よりも大きい排出量で作動させ、且つ前記調整弁を前記熱交換器側（α）および前記加熱手段側（β）の両方の流れが確保される分流比に制御する（Ｕ４，Ｕ８）ことを特徴とする給湯システム。
【請求項７】
多機能ユニット（１）と、前記多機能ユニットと接続可能な所定の給湯システム本体（２）とを含む給湯システム（１００Ｆ）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と、
前記第１流路（ｈ１）における前記第１接続口（ａ１）と前記調整弁（５）との間の部分に配設された第２ポンプ（Ｐ２）と
を備え、
前記給湯システム本体は、
湯水が流入する流入口（ａ７）および前記湯水を加熱して得られる湯を出湯する出湯口（ａ８）を有する前記加熱手段（９）と、
その内部の湯水を吐出する吐出口（ａ９）および前記加熱手段から出湯される前記湯が入湯する入湯口（ａ１０）を有する前記貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記第５流路（ｈ５）に配設され、前記貯湯タンク（１１）の前記吐出口（ａ９）からの湯水を前記加熱手段（９）側に送出する第３ポンプ（Ｐ３）と、
前記貯湯タンク（１１）の残湯量または残湯温度を検出するセンサ（Ｔ１〜Ｔ５）と、
前記センサからの検出信号（ｓ３）に基づいて前記加熱手段（９）および前記第３ポンプ（Ｐ３）を制御し、前記加熱手段を所定の加熱能力で作動させると共に前記第３ポンプを前記検出信号の内容に応じた排出量で作動させる第１制御手段（１３Ｆ）と
を備え、
前記多機能ユニットは、
前記第１ポンプ（Ｐ１）、前記第２ポンプ（Ｐ２）および前記調整弁（５）を制御する第２制御手段（１７Ｆ）
を更に備え、
前記第５流路には、前記加熱手段と前記第３ポンプとの間の部分において、前記多機能ユニット（１）の前記第１接続口（ａ１）が前記加熱手段の前記流入口（ａ７）側に接続されると共に前記多機能ユニットの前記第３接続口（ａ３）が前記貯湯タンクの前記吐出口側に接続される様にして、前記多機能ユニット（１）が介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であり、
前記第２制御手段は、前記多機能ユニットが前記第５流路（ｈ５）における前記加熱手段と前記第３ポンプとの間の部分に介装接続されると共に前記第６流路（ｈ６）に介装接続され、前記検出信号を中継し、前記第２ポンプを所要の排出量で作動させ、且つ前記第１ポンプを作動させ、且つその中継する前記検出信号を前記第３ポンプが前記所要の排出量よりも小さい排出量で作動する様に変更し、且つ前記調整弁を前記熱交換器側（α）および前記加熱手段側（β）の両方の流れが確保される分流比に制御する（Ｖ４，Ｖ８）ことを特徴とする給湯システム。
【請求項８】
多機能ユニット（１Ｑ）と、前記多機能ユニットと接続可能な所定の給湯システム本体（２Ｑ）とを含む給湯システム（１００Ｑ）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と
を備え、
前記給湯システム本体は、
湯水が流入する流入口（ａ７）および前記湯水を加熱して得られる湯を出湯する出湯口（ａ８）を有する加熱手段（９）と、
その内部の湯水を吐出する吐出口（ａ９）および前記加熱手段から出湯される前記湯が入湯する入湯口（ａ１０）を有する貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記第５流路に配設され、前記貯湯タンクの前記吐出口からの湯水を前記加熱手段側に送出する第３ポンプ（Ｐ３）と、
前記加熱手段（９）および前記第３ポンプ（Ｐ３）を制御する第１制御機能（１５ａＢ）を有する第１制御手段（１３Ｑ）と
を備え、
前記多機能ユニットは、
前記第１ポンプ（Ｐ１）および前記調整弁（５）を制御すると共に、前記第１制御手段を介して前記加熱手段および前記第３ポンプを制御する第２制御手段（１７Ｑ）
を更に備え、
前記第５流路には、前記第３ポンプと前記貯湯タンクとの間の部分において、前記多機能ユニットの前記第１接続口が前記加熱手段の前記流入口側に接続されると共に前記多機能ユニットの前記第３接続口が前記貯湯タンクの前記吐出口側に接続される様にして、前記多機能ユニットが介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であり、
前記第１制御手段は、前記第２制御手段を介して前記調整弁を制御すると共に、前記第２制御手段からの制御に応じて前記加熱手段および前記第３ポンプを制御する第２制御機能（１３ｂＱ）を更に有し、前記多機能ユニットが前記第５流路（ｈ５）および前記第６流路（ｈ６）に介装接続されない場合は、前記第１制御機能および前記第２制御機能のうちの前記第１制御機能だけを作動させ、前記多機能ユニットが前記第５流路における前記第３ポンプと前記貯湯タンク（１１）との間の部分に介装接続されると共に前記第６流路に介装接続される場合は、前記第１制御機能および前記第２制御機能を作動させることを特徴とする給湯システム。
【請求項９】
多機能ユニット（１Ｒ）と、前記多機能ユニットと接続可能な所定の給湯システム本体（２Ｋ）とを含む給湯システム（１００Ｒ）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と
を備え、
前記給湯システム本体は、
湯水が流入する流入口（ａ７）および前記湯水を加熱して得られる湯を出湯する出湯口（ａ８）を有する加熱手段（９）と、
その内部の湯水を吐出する吐出口（ａ９）および前記加熱手段から出湯される前記湯が入湯する入湯口（ａ１０）を有する貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記第５流路に配設され、前記貯湯タンクの前記吐出口からの湯水を前記加熱手段側に送出する第３ポンプ（Ｐ３）と、
前記加熱手段（９）に加熱手段用制御信号（ｓ１）を出力して前記加熱手段を加熱手段用制御信号で指定される加熱能力で作動させると共に前記第３ポンプ（Ｐ３）にポンプ用制御信号（ｓ２）を出力して前記第３ポンプを所定の排出量で作動させる第１制御手段（１３Ｋ）と
を備え、
前記多機能ユニットは、
前記第１ポンプ（Ｐ１）および前記調整弁（５）を制御する第２制御手段（１７Ｒ）
を更に備え、
前記第５流路には、前記第３ポンプと前記貯湯タンクとの間の部分において、前記多機能ユニットの前記第１接続口が前記加熱手段の前記流入口側に接続されると共に前記多機能ユニットの前記第３接続口が前記貯湯タンクの前記吐出口側に接続される様にして、前記多機能ユニットが介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であり、
前記第２制御手段は、前記多機能ユニットが前記第５流路（ｈ５）における前記第３ポンプと前記貯湯タンク（１１）との間の部分に介装接続されると共に前記第６流路（ｈ６）に介装接続され、前記加熱手段用制御信号および前記ポンプ用制御信号を中継し、前記加熱手段および前記第３ポンプの停止中の場合において、その中継する前記加熱手段用制御信号を前記加熱手段が作動する様に変更して中継すると共にその中継する前記ポンプ用制御信号を前記第３ポンプが作動する様に変更して中継し、且つ前記第１ポンプを作動させ、且つ前記調整弁を前記熱交換器側（α）の流れが確保される様に制御する（Ｗ８）ことを特徴とする給湯システム。
【請求項１０】
請求項９に記載の給湯システム（１００Ｒ）であって、
前記第２制御手段（１７Ｒ）は、前記加熱手段および前記第３ポンプの作動中の場合において、前記加熱手段用制御信号および前記ポンプ用制御信号を変更せずに中継し、且つ前記第１ポンプを作動させ、且つ前記調整弁を前記熱交換器側（α）およびヒートポンプ熱源機側（β）の両方の流れが確保される分流比に制御する（Ｗ４）ことを特徴とする給湯システム。
【請求項１１】
多機能ユニット（１Ｓ）と、前記多機能ユニットと接続可能な所定の給湯システム本体（２Ｎ）とを含む給湯システム（１００Ｓ）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と、
を備え、
前記給湯システム本体は、
湯水が流入する流入口（ａ７）および前記湯水を加熱して得られる湯を出湯する出湯口（ａ８）を有する加熱手段（９）と、
その内部の湯水を吐出する吐出口（ａ９）および前記加熱手段から出湯される前記湯が入湯する入湯口（ａ１０）を有する貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記第５流路に配設され、前記貯湯タンクの前記吐出口からの湯水を前記加熱手段側に送出する第３ポンプ（Ｐ３）と、
前記加熱手段（９）に加熱手段用制御信号（ｓ１）を出力して前記加熱手段（９）を所定の加熱能力で作動させると共に、前記第３ポンプ（Ｐ３）にポンプ用制御信号（ｓ２）を出力して前記第３ポンプを前記ポンプ用制御信号で指定される排出量で作動させる第１制御手段（１３Ｎ）と
を備え、
前記多機能ユニットは、
前記第１ポンプ（Ｐ１）および前記調整弁（５）を制御する第２制御手段（１７Ｓ）
を更に備え、
前記第５流路には、前記第３ポンプと前記貯湯タンクとの間の部分において、前記多機能ユニットの前記第１接続口が前記加熱手段の前記流入口側に接続されると共に前記多機能ユニットの前記第３接続口が前記貯湯タンクの前記吐出口側に接続される様にして、前記多機能ユニットが介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であり、
前記第２制御手段は、前記多機能ユニットが前記第５流路（ｈ５）における前記第３ポンプと前記貯湯タンク（１１）との間の部分に介装接続されると共に前記第６流路（ｈ６）に介装接続され、前記加熱手段用制御信号および前記ポンプ用制御信号を中継し、前記加熱手段および前記第３ポンプの停止中の場合において、その中継する前記加熱手段用制御信号を前記加熱手段が作動する様に変更して中継すると共にその中継する前記ポンプ用制御信号を前記第３ポンプが作動する様に変更して中継し、且つ前記第１ポンプを作動させ、且つ前記調整弁を前記熱交換器側（α）の流れが確保される様に制御する（Ｚ８）ことを特徴とする給湯システム。
【請求項１２】
請求項１１に記載の給湯システム（１００Ｓ）であって、
前記第２制御手段（１７Ｓ）は、前記加熱手段（９）および前記第３ポンプ（Ｐ３）の作動中の場合において、前記加熱手段用制御信号（ｓ１）および前記ポンプ用制御信号（ｓ２）を変更せずに中継し、且つ前記第１ポンプ（Ｐ１）を作動させ、且つ前記調整弁（５）を前記熱交換器側（α）およびヒートポンプ熱源機側（β）の両方の流れが確保される分流比に制御する（Ｚ４）ことを特徴とする給湯システム。
【請求項１３】
多機能ユニット（１Ｔ）と、前記多機能ユニットと接続可能な所定の給湯システム本体（２Ｌ）とを含む給湯システム（１００Ｔ）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と
を備え、
前記給湯システム本体は、
湯水が流入する流入口（ａ７）および前記湯水を加熱して得られる湯を出湯する出湯口（ａ８）を有する加熱手段（９）と、
その内部の湯水を吐出する吐出口（ａ９）および前記加熱手段から出湯される前記湯が入湯する入湯口（ａ１０）を有する貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記第５流路に配設され、前記貯湯タンクの前記吐出口からの湯水を前記加熱手段側に送出する第３ポンプ（Ｐ３）と、
前記貯湯タンク（１１）の残湯量または残湯温度を検出するセンサ（Ｔ１〜Ｔ５）と、
前記センサからの検出信号（ｓ３）に基づいて前記加熱手段（９）および前記第３ポンプ（Ｐ３）を制御し、前記第３ポンプを所定の排出量で作動させると共に前記加熱手段を前記検出信号の内容に応じた加熱能力で作動させる第１制御手段（１３Ｌ）と
を備え、
前記多機能ユニットは、
前記第１ポンプ（Ｐ１）および前記調整弁（５）を制御する第２制御手段（１７Ｔ）
を更に備え、
前記第５流路には、前記第３ポンプと前記貯湯タンクとの間の部分において、前記多機能ユニットの前記第１接続口が前記加熱手段の前記流入口側に接続されると共に前記多機能ユニットの前記第３接続口が前記貯湯タンクの前記吐出口側に接続される様にして、前記多機能ユニットが介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であり、
前記第２制御手段は、前記多機能ユニットが前記第５流路（ｈ５）における前記第３ポンプと前記貯湯タンクとの間の部分に介装接続されると共に前記第６流路（ｈ６）に介装接続され、前記検出信号を中継し、前記加熱手段および前記第３ポンプの停止中の場合において、その中継する前記検出信号を前記加熱手段および前記第３ポンプが作動する様に変更して中継し、且つ前記第１ポンプを作動させ、且つ前記調整弁を前記熱交換器側（α）の流れが確保される分流比に制御する（Ｘ８）ことを特徴とする給湯システム。
【請求項１４】
請求項１３に記載の給湯システム（１００Ｔ）であって、
前記第２制御手段（１７Ｔ）は、前記加熱手段および前記第３ポンプの作動中の場合において、その中継する前記検出信号を変更せずに中継し、且つ前記第１ポンプを作動させ、且つ前記調整弁を前記熱交換器側（α）および前記貯湯タンク側（β）の両方の流れが確保される分流比に制御する（Ｘ４）ことを特徴とする給湯システム。
【請求項１５】
多機能ユニット（１Ｕ）と、前記多機能ユニットと接続可能な所定の給湯システム本体（２Ｍ）とを含む給湯システム（１００Ｕ）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と
を備え、
前記給湯システム本体は、
湯水が流入する流入口（ａ７）および前記湯水を加熱して得られる湯を出湯する出湯口（ａ８）を有する加熱手段（９）と、
その内部の湯水を吐出する吐出口（ａ９）および前記加熱手段から出湯される前記湯が入湯する入湯口（ａ１０）を有する貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記第５流路に配設され、前記貯湯タンクの前記吐出口からの湯水を前記加熱手段側に送出する第３ポンプ（Ｐ３）と、
前記貯湯タンク（１１）の残湯量または残湯温度を検出するセンサ（Ｔ１〜Ｔ５）と、
前記センサからの検出信号（ｓ３）に基づいて前記加熱手段（９）および前記第３ポンプ（Ｐ３）を制御し、前記加熱手段を所定の加熱能力で作動させると共に前記第３ポンプを前記検出信号の内容に応じた排出量で作動させる第１制御手段（１３Ｍ）と
を備え、
前記多機能ユニットは、
前記第１ポンプ（Ｐ１）および前記調整弁（５）を制御する第２制御手段（１７Ｕ）
を更に備え、
前記第５流路には、前記第３ポンプと前記貯湯タンクとの間の部分において、前記多機能ユニットの前記第１接続口が前記加熱手段の前記流入口側に接続されると共に前記多機能ユニットの前記第３接続口が前記貯湯タンクの前記吐出口側に接続される様にして、前記多機能ユニットが介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であり、
前記第２制御手段は、前記多機能ユニットが前記第５流路（ｈ５）における前記第３ポンプと前記貯湯タンクとの間の部分に介装接続されると共に前記第６流路（ｈ６）に介装接続され、前記検出信号を中継し、前記加熱手段および前記第３ポンプの停止中の場合において、その中継する前記検出信号に含まれる残湯量または残湯温度の情報を前記加熱手段および前記第３ポンプが作動する様に変更して中継し、且つ前記第１ポンプを作動させ、且つ前記調整弁を前記熱交換器側（α）の流れが確保される分流比に制御する（Ｙ８）ことを特徴とする給湯システム。
【請求項１６】
請求項１５に記載の給湯システム（１００Ｕ）であって、
前記第２制御手段（１７Ｕ）は、前記加熱手段（９）および前記第３ポンプ（Ｐ３）の作動中の場合において、その中継する前記検出信号に含まれる残湯量または残湯温度の情報を変更せずに中継し、且つ前記調整弁（５）を前記熱交換器側（α）および前記加熱手段側（β）の両方の流れが確保される分流比に制御する（Ｙ４）ことを特徴とする給湯システム。
【請求項１７】
多機能ユニット（１）と、前記多機能ユニットと接続可能な所定の給湯システム本体（２）とを含む給湯システム（１００）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と、
前記第１流路（ｈ１）における前記第１接続口（ａ１）と前記調整弁（５）との間の部分に配設された第２ポンプ（Ｐ２）と
を備え、
前記給湯システム本体は、
湯水が流入する流入口（ａ７）および前記湯水を加熱して得られる湯を出湯する出湯口（ａ８）を有する前記加熱手段（９）と、
その内部の湯水を吐出する吐出口（ａ９）および前記加熱手段から出湯される前記湯が入湯する入湯口（ａ１０）を有する前記貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記第５流路（ｈ５）に配設され、前記貯湯タンク（１１）の前記吐出口（ａ９）からの湯水を前記加熱手段（９）側に送出する第３ポンプ（Ｐ３）と、
前記加熱手段（９）および前記第３ポンプ（Ｐ３）を制御する第１制御機能（１３ａ）と、前記第１ポンプ（Ｐ１）および前記調整弁（５）を制御する第２制御機能（１３ｂ）とを有し、前記多機能ユニット（１）が前記第５流路（ｈ５）および前記第６流路（ｈ６）に介装接続されない場合は、前記第１および前記第２制御機能のうちの前記第１制御機能だけを作動させ、前記多機能ユニットが前記第５流路および前記第６流路に介装接続される場合は、前記第１および前記第２制御機能を作動させる制御手段（１３）と
を備え、
前記第５流路には、前記加熱手段と前記第３ポンプとの間の部分において、前記多機能ユニット（１）の前記第１接続口（ａ１）が前記加熱手段の前記流入口（ａ７）側に接続されると共に前記多機能ユニットの前記第３接続口（ａ３）が前記貯湯タンクの前記吐出口側に接続される様にして、前記多機能ユニット（１）が介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であることを特徴とする給湯システム。
【請求項１８】
多機能ユニット（１Ｐ）と、前記多機能ユニットと接続可能な所定の給湯システム本体（２Ｐ）とを含む給湯システム（１００Ｐ）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と
を備え、
前記給湯システム本体は、
湯水が流入する流入口（ａ７）および前記湯水を加熱して得られる湯を出湯する出湯口（ａ８）を有する加熱手段（９）と、
その内部の湯水を吐出する吐出口（ａ９）および前記加熱手段から出湯される前記湯が入湯する入湯口（ａ１０）を有する貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記第５流路に配設され、前記貯湯タンクの前記吐出口からの湯水を前記加熱手段側に送出する第３ポンプ（Ｐ３）と、
前記加熱手段（９）および前記第３ポンプ（Ｐ３）を制御する第１制御機能（１３ａ）と、前記第１ポンプ（Ｐ１）および前記調整弁（５）を制御する第２制御機能（１３ｂＰ）とを有し、前記多機能ユニット（１Ｐ）が前記第５流路（ｈ５）および前記第６流路（ｈ６）に介装接続されない場合は、前記第１および前記第２制御機能のうちの前記第１制御機能だけを作動させ、前記多機能ユニットが前記第５流路および前記第６流路に介装接続される場合は、前記第１および前記第２制御機能を作動させる制御手段（１３Ｐ）と
を備え、
前記第５流路には、前記第３ポンプと前記貯湯タンクとの間の部分において、前記多機能ユニットの前記第１接続口が前記加熱手段の前記流入口側に接続されると共に前記多機能ユニットの前記第３接続口が前記貯湯タンクの前記吐出口側に接続される様にして、前記多機能ユニットが介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であることを特徴とする給湯システム。
【請求項１９】
多機能ユニット（１）と、前記多機能ユニットと接続可能な所定の給湯システム本体（２）とを含む給湯システム（１００Ｈ）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と、
前記第１流路（ｈ１）における前記第１接続口（ａ１）と前記調整弁（５）との間の部分に配設された第２ポンプ（Ｐ２）と
を備え、
前記給湯システム本体は、
湯水が流入する流入口（ａ７）および前記湯水を加熱して得られる湯を出湯する出湯口（ａ８）を有する加熱手段（９）と、
その内部の湯水を吐出する吐出口（ａ９）および前記加熱手段から出湯される前記湯が入湯する入湯口（ａ１０）を有する貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記加熱手段（９）を制御する第１制御機能（１３ａ）を有する第１制御手段（１３Ｈ）と
を備え、
前記多機能ユニットは、
前記第１ポンプ（Ｐ１）、前記第２ポンプ（Ｐ２）および前記調整弁（５）を制御すると共に、前記第１制御手段を介して前記加熱手段（９）を制御する第２制御手段（１７Ｂ）
を更に備え、
前記第５流路には、前記多機能ユニットの前記第１接続口が前記加熱手段の前記流入口側に接続されると共に前記多機能ユニットの前記第３接続口が前記貯湯タンクの前記吐出口側に接続される様にして、前記多機能ユニットが介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であり、
前記第１制御手段は、前記第２制御手段を介して前記第２ポンプおよび前記調整弁を制御すると共に前記第２制御手段からの制御に応じて前記加熱手段を制御する第２制御機能（１３ｂ）を更に有し、前記多機能ユニットが前記第５流路（ｈ５）および前記第６流路（ｈ６）に介装接続されない場合は、前記第１制御機能および前記第２制御機能のうちの前記第１制御機能だけを作動させ、前記多機能ユニットが前記第５流路および前記第６流路に介装接続される場合は、前記第１制御機能および前記第２制御機能を作動させることを特徴とする給湯システム。
【請求項２０】
多機能ユニット（１Ｊ）と、前記多機能ユニットと接続可能な所定の給湯システム本体（２Ｊ）とを含む給湯システム（１００Ｊ）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と、
前記多機能ユニットは、前記第３流路（ｈ３）に配設され、前記第３接続口（ａ３）から流入する湯水を前記調整弁（５）側に送出する第２ポンプ（Ｐ２）と
を備え、
前記給湯システム本体は、
湯水が流入する流入口（ａ７）および前記湯水を加熱して得られる湯を出湯する出湯口（ａ８）を有する加熱手段（９）と、
その内部の湯水を吐出する吐出口（ａ９）および前記加熱手段から出湯する前記湯が入湯する入湯口（ａ１０）を有する貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記第５流路に配設され、前記貯湯タンクの前記吐出口からの湯水を前記加熱手段側に送出する第３ポンプ（Ｐ３）と、
前記加熱手段（９）および前記第３ポンプ（Ｐ３）を制御する第１制御機能（１３ａＢ）を有する第１制御手段（１３Ｊ）と
を備え、
前記多機能ユニットは、
前記第１ポンプ（Ｐ１）、前記第２ポンプ（Ｐ２）および前記調整弁（５）を制御すると共に、前記第１制御手段を介して前記加熱手段（９）および前記第３ポンプを制御する第２制御手段（１７Ｊ）
を更に備え、
前記第５流路には、前記第３ポンプと前記貯湯タンクとの間の部分において、前記多機能ユニットの前記第１接続口が前記加熱手段の前記流入口側に接続されると共に前記多機能ユニットの前記第３接続口が前記貯湯タンクの前記吐出口側に接続される様にして、前記多機能ユニットが介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であり、
前記第１制御手段は、前記第２制御手段を介して前記第２ポンプおよび前記調整弁を制御すると共に、前記第２制御手段からの制御に応じて前記加熱手段および前記第３ポンプを制御する第２制御機能（１３ｂＪ）を更に有し、前記多機能ユニットが前記第５流路（ｈ５）および前記第６流路（ｈ６）に介装接続されない場合は、前記第１制御機能および前記第２制御機能のうちの前記第１制御機能だけを作動させ、前記多機能ユニットが前記第５流路における前記第３ポンプと前記貯湯タンク（１１）との間の部分に介装接続されると共に前記第６流路に介装接続される場合は、前記第１制御機能および前記第２制御機能を作動させることを特徴とする給湯システム。
【請求項２１】
多機能ユニット（１Ｋ）と、前記多機能ユニットと接続可能な所定の給湯システム本体（２Ｋ）とを含む給湯システム（１００Ｋ）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と、
前記多機能ユニットは、前記第３流路（ｈ３）に配設され、前記第３接続口（ａ３）から流入する湯水を前記調整弁（５）側に送出する第２ポンプ（Ｐ２）と
を備え、
前記給湯システム本体は、
湯水が流入する流入口（ａ７）および前記湯水を加熱して得られる湯を出湯する出湯口（ａ８）を有する加熱手段（９）と、
その内部の湯水を吐出する吐出口（ａ９）および前記加熱手段から出湯する前記湯が入湯する入湯口（ａ１０）を有する貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記第５流路に配設され、前記貯湯タンクの前記吐出口からの湯水を前記加熱手段側に送出する第３ポンプ（Ｐ３）と、
前記加熱手段（９）に加熱手段用制御信号（ｓ１）を出力して前記加熱手段を加熱手段用制御信号で指定される加熱能力で作動させると共に前記第３ポンプ（Ｐ３）にポンプ用制御信号（ｓ２）を出力して前記第３ポンプを所定の排出量で作動させる第１制御手段（１３Ｋ）と
を備え、
前記多機能ユニットは、
前記第１ポンプ（Ｐ１）、前記第２ポンプ（Ｐ２）および前記調整弁（５）を制御する第２制御手段（１７Ｋ）
を更に備え、
前記第５流路には、前記第３ポンプと前記貯湯タンクとの間の部分において、前記多機能ユニットの前記第１接続口が前記加熱手段の前記流入口側に接続されると共に前記多機能ユニットの前記第３接続口が前記貯湯タンクの前記吐出口側に接続される様にして、前記多機能ユニットが介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であり、
前記第２制御手段は、前記多機能ユニットが前記第５流路（ｈ５）における前記第３ポンプと前記貯湯タンク（１１）との間の部分に介装接続されると共に前記第６流路（ｈ６）に介装接続され、前記加熱手段用制御信号および前記ポンプ用制御信号を中継し、前記加熱手段および前記第３ポンプの停止中の場合において、その中継する前記加熱手段用制御信号を前記加熱手段が作動する様に変更して中継すると共にその中継する前記ポンプ用制御信号を前記第３ポンプが作動する様に変更して中継し、且つ前記第１ポンプを作動させ、且つ前記第２ポンプを停止させ、且つ前記調整弁（５）を前記熱交換器側（α）の流れが確保される様に制御する（Ｗ８）ことを特徴とする給湯システム。
【請求項２２】
請求項２１に記載の給湯システム（１００Ｋ）であって、
前記第２制御手段（１７Ｋ）は、前記加熱手段および前記第３ポンプの作動中の場合において、前記加熱手段用制御信号および前記ポンプ用制御信号を変更せずに中継し、且つ前記第１ポンプを作動させ、且つ前記第２ポンプを前記所定の排出量よりも小さい排出量で作動させ、且つ前記調整弁（５）を前記熱交換器側（α）およびヒートポンプ熱源機側（β）の両方の流れが確保される分流比に制御する（Ｗ４）ことを特徴とする給湯システム。
【請求項２３】
多機能ユニット（１Ｎ）と、前記多機能ユニットと接続可能な所定の給湯システム本体（２Ｎ）とを含む給湯システム（１００Ｎ）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と、
前記多機能ユニットは、前記第３流路（ｈ３）に配設され、前記第３接続口（ａ３）から流入する湯水を前記調整弁（５）側に送出する第２ポンプ（Ｐ２）と
を備え、
前記給湯システム本体は、
湯水が流入する流入口（ａ７）および前記湯水を加熱して得られる湯を出湯する出湯口（ａ８）を有する加熱手段（９）と、
その内部の湯水を吐出する吐出口（ａ９）および前記加熱手段から出湯する前記湯が入湯する入湯口（ａ１０）を有する貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記第５流路に配設され、前記貯湯タンクの前記吐出口からの湯水を前記加熱手段側に送出する第３ポンプ（Ｐ３）と、
前記加熱手段（９）に加熱手段用制御信号（ｓ１）を出力して前記加熱手段（９）を所定の加熱能力で作動させると共に、前記第３ポンプ（Ｐ３）にポンプ用制御信号（ｓ２）を出力して前記第３ポンプを前記ポンプ用制御信号で指定される排出量で作動させる第１制御手段（１３Ｎ）と
を備え、
前記多機能ユニットは、
前記第１ポンプ（Ｐ１）、前記第２ポンプ（Ｐ２）および前記調整弁（５）を制御する第２制御手段（１７Ｎ）
を更に備え、
前記第５流路には、前記第３ポンプと前記貯湯タンクとの間の部分において、前記多機能ユニットの前記第１接続口が前記加熱手段の前記流入口側に接続されると共に前記多機能ユニットの前記第３接続口が前記貯湯タンクの前記吐出口側に接続される様にして、前記多機能ユニットが介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であり、
前記第２制御手段は、前記多機能ユニットが前記第５流路（ｈ５）における前記第３ポンプと前記貯湯タンク（１１）との間の部分に介装接続されると共に前記第６流路（ｈ６）に介装接続され、前記加熱手段用制御信号および前記ポンプ用制御信号を中継し、前記加熱手段および前記第３ポンプの停止中の場合において、その中継する前記加熱手段用制御信号を前記加熱手段が作動する様に変更して中継すると共にその中継する前記ポンプ用制御信号を前記第３ポンプが作動する様に変更して中継し、且つ前記第１ポンプを作動させ、且つ前記第２ポンプを停止させ、且つ前記調整弁を前記熱交換器側（α）の流れが確保される様に制御する（Ｚ８）ことを特徴とする給湯システム。
【請求項２４】
請求項２３に記載の給湯システム（１００Ｎ）であって、
前記第２制御手段（１７Ｎ）は、前記加熱手段（９）および前記第３ポンプ（Ｐ３）の作動中の場合において、前記加熱手段用制御信号（ｓ１）および前記ポンプ用制御信号（ｓ２）を変更せずに中継し、且つ前記第１ポンプ（Ｐ１）を作動させ、且つ前記第２ポンプ（Ｐ２）を前記ポンプ用制御信号で指定される排出量よりも小さい排出量で作動させ、且つ前記調整弁（５）を前記熱交換器側（α）およびヒートポンプ熱源機側（β）の両方の流れが確保される分流比に制御する（Ｚ４）ことを特徴とする給湯システム。
【請求項２５】
多機能ユニット（１Ｌ）と、前記多機能ユニットと接続可能な所定の給湯システム本体（２Ｌ）とを含む給湯システム（１００Ｌ）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と、
前記多機能ユニットは、前記第３流路（ｈ３）に配設され、前記第３接続口（ａ３）から流入する湯水を前記調整弁（５）側に送出する第２ポンプ（Ｐ２）と
を備え、
前記給湯システム本体は、
湯水が流入する流入口（ａ７）および前記湯水を加熱して得られる湯を出湯する出湯口（ａ８）を有する加熱手段（９）と、
その内部の湯水を吐出する吐出口（ａ９）および前記加熱手段から出湯する前記湯が入湯する入湯口（ａ１０）を有する貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記第５流路に配設され、前記貯湯タンクの前記吐出口からの湯水を前記加熱手段側に送出する第３ポンプ（Ｐ３）と、
前記貯湯タンク（１１）の残湯量または残湯温度を検出するセンサ（Ｔ１〜Ｔ５）と、
前記センサからの検出信号（ｓ３）に基づいて前記加熱手段（９）および前記第３ポンプ（Ｐ３）を制御し、前記第３ポンプを所定の排出量で作動させると共に前記加熱手段を前記検出信号の内容に応じた加熱能力で作動させる第１制御手段（１３Ｌ）と
を備え、
前記多機能ユニットは、
前記第１ポンプ（Ｐ１）、前記第２ポンプ（Ｐ２）および前記調整弁（５）を制御する第２制御手段（１７Ｌ）
を更に備え、
前記第５流路には、前記第３ポンプと前記貯湯タンクとの間の部分において、前記多機能ユニットの前記第１接続口が前記加熱手段の前記流入口側に接続されると共に前記多機能ユニットの前記第３接続口が前記貯湯タンクの前記吐出口側に接続される様にして、前記多機能ユニットが介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であり、
前記第２制御手段は、前記多機能ユニットが前記第５流路（ｈ５）における前記第３ポンプと前記貯湯タンクとの間の部分に介装接続されると共に前記第６流路（ｈ６）に介装接続され、前記検出信号を中継し、前記加熱手段および前記第３ポンプの停止中の場合において、その中継する前記検出信号を前記加熱手段および前記第３ポンプが作動する様に変更して中継し、且つ前記第１ポンプを作動させ、且つ前記第２ポンプを停止させ、且つ前記調整弁を前記熱交換器側（α）の流れが確保される分流比に制御する（Ｘ８）ことを特徴とする給湯システム。
【請求項２６】
請求項２５に記載の給湯システム（１００Ｌ）であって、
前記第２制御手段（１７Ｌ）は、前記加熱手段および前記第３ポンプの作動中の場合において、その中継する前記検出信号を変更せずに中継し、且つ前記第１ポンプを作動させ、且つ前記第２ポンプを前記所定の排出量よりも小さい排出量で作動させ、且つ前記調整弁を前記熱交換器側（α）および前記貯湯タンク側（β）の両方の流れが確保される分流比に制御する（Ｘ４）ことを特徴とする給湯システム。
【請求項２７】
多機能ユニット（１Ｍ）と、前記多機能ユニットと接続可能な所定の給湯システム本体（２Ｍ）とを含む給湯システム（１００Ｍ）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と、
前記多機能ユニットは、前記第３流路（ｈ３）に配設され、前記第３接続口（ａ３）から流入する湯水を前記調整弁（５）側に送出する第２ポンプ（Ｐ２）と
を備え、
前記給湯システム本体は、
湯水が流入する流入口（ａ７）および前記湯水を加熱して得られる湯を出湯する出湯口（ａ８）を有する加熱手段（９）と、
その内部の湯水を吐出する吐出口（ａ９）および前記加熱手段から出湯する前記湯が入湯する入湯口（ａ１０）を有する貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記第５流路に配設され、前記貯湯タンクの前記吐出口からの湯水を前記加熱手段側に送出する第３ポンプ（Ｐ３）と、
前記貯湯タンク（１１）の残湯量または残湯温度を検出するセンサ（Ｔ１〜Ｔ５）と、
前記センサからの検出信号（ｓ３）に基づいて前記加熱手段（９）および前記第３ポンプ（Ｐ３）を制御し、前記加熱手段を所定の加熱能力で作動させると共に前記第３ポンプを前記検出信号の内容に応じた排出量で作動させる第１制御手段（１３Ｍ）と
を備え、
前記多機能ユニットは、
前記第１ポンプ（Ｐ１）、前記第２ポンプ（Ｐ２）および前記調整弁（５）を制御する第２制御手段（１７Ｍ）
を更に備え、
前記第５流路には、前記第３ポンプと前記貯湯タンクとの間の部分において、前記多機能ユニットの前記第１接続口が前記加熱手段の前記流入口側に接続されると共に前記多機能ユニットの前記第３接続口が前記貯湯タンクの前記吐出口側に接続される様にして、前記多機能ユニットが介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であり、
前記第２制御手段は、前記多機能ユニットが前記第５流路（ｈ５）における前記第３ポンプと前記貯湯タンクとの間の部分に介装接続されると共に前記第６流路（ｈ６）に介装接続され、前記検出信号を中継し、前記加熱手段および前記第３ポンプの停止中の場合において、その中継する前記検出信号に含まれる残湯量または残湯温度の情報を前記加熱手段および前記第３ポンプが作動する様に変更して中継し、且つ前記第１ポンプを作動させ、且つ前記第２ポンプを停止させ、且つ前記調整弁を前記熱交換器側（α）の流れが確保される分流比に制御する（Ｙ８）ことを特徴とする給湯システム。
【請求項２８】
請求項２７に記載の給湯システム（１００Ｍ）であって、
前記第２制御手段（１７Ｍ）は、前記加熱手段（９）および前記第３ポンプ（Ｐ３）の作動中の場合において、その中継する前記検出信号に含まれる残湯量または残湯温度の情報を変更せずに中継し、且つ前記第１ポンプ（Ｐ１）を作動させ、且つその中継する前記検出信号に含まれる前記残湯量または残湯温度の情報に対応する排出量よりも小さい排出量で前記第２ポンプ（Ｐ２）を作動させ、且つ前記調整弁（５）を前記熱交換器側（α）および前記加熱手段側（β）の両方の流れが確保される分流比に制御する（Ｙ４）ことを特徴とする給湯システム。
【請求項２９】
多機能ユニット（１）と、前記多機能ユニットと接続可能な所定の給湯システム本体（２）とを含む給湯システム（１００Ｇ）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と、
前記第１流路（ｈ１）における前記第１接続口（ａ１）と前記調整弁（５）との間の部分に配設された第２ポンプ（Ｐ２）と
を備え、
前記給湯システム本体は、
湯水が流入する流入口（ａ７）および前記湯水を加熱して得られる湯を出湯する出湯口（ａ８）を有する加熱手段（９）と、
その内部の湯水を吐出する吐出口（ａ９）および前記加熱手段から出湯される前記湯が入湯する入湯口（ａ１０）を有する貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記加熱手段（９）を制御する第１制御機能（１３ａ）と、前記第１ポンプ（Ｐ１）、前記第２ポンプ（Ｐ２）および前記調整弁（５）を制御する第２制御機能（１３ｂ，１３ｂＩ）とを有し、前記多機能ユニット（１，１Ｉ）が前記第５流路（ｈ５）および前記第６流路（ｈ６）に介装接続されない場合は、前記第１および前記第２制御機能のうちの前記第１制御機能だけを作動させ、前記多機能ユニットが前記第５流路および前記第６流路に介装接続される場合は、前記第１および前記第２制御機能を作動させる制御手段（１３Ｇ，１３Ｉ）と
を備え、
前記第５流路には、前記多機能ユニットの前記第１接続口が前記加熱手段の前記流入口側に接続されると共に前記多機能ユニットの前記第３接続口が前記貯湯タンクの前記吐出口側に接続される様にして、前記多機能ユニットが介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であることを特徴とする給湯システム。
【請求項３０】
多機能ユニット（１Ｉ）と、前記多機能ユニットと接続可能な所定の給湯システム本体（２）とを含む給湯システム（１００Ｉ）であって、
前記多機能ユニットは、貯湯タンク（１１）と、前記貯湯タンク内の湯水を加熱して湯にする加熱手段（９）とを備える前記給湯システム本体に対し、暖房機能を付加するべく接続可能であって、
前記多機能ユニットは、
前記加熱手段における前記湯水が流入する流入口（ａ７）からの配管（ｈ５ａ）が接続可能な第１接続口（ａ１）と、
前記加熱手段における前記湯が出湯する出湯口（ａ８）からの配管（ｈ６ａ）が接続可能な第２接続口（ａ２）と、
前記貯湯タンクにおける前記湯水が吐出される吐出口（ａ９）からの配管（ｈ５ｂ）が接続可能な第３接続口（ａ３）と、
前記貯湯タンクにおける前記湯が入湯する入湯口（ａ１０）からの配管（ｈ６ａ）が接続可能な第４接続口（ａ４）と、
所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、
前記所定の暖房器における前記吐出口および前記流入口のうちの他方が接続可能な第６接続口（ａ６）と、
前記第１接続口と前記第２接続口とを繋ぐ第１流路（ｈ１）と、
前記第５接続口と第６接続口とを繋ぐ第２流路（ｈ２）と、
前記第１流路を流れる流体と前記第２流路を流れる流体との間で熱交換を行う熱交換器（３）と、
前記第３接続口を前記第１流路における前記熱交換器と前記第１接続口との間の部位に分岐状に繋ぐ第３流路（ｈ３）と、
前記第４接続口を前記第１流路における前記熱交換器と前記第２接続口との間の部位に分岐状に繋ぐ第４流路（ｈ４）と、
前記第１流路と前記第３流路との分岐点（Ｎ１）または前記第１流路と前記第４流路との分岐点（Ｎ２）に配設された調整弁（５）と、
前記第２流路に配設された第１ポンプ（Ｐ１）と、
前記多機能ユニットは、前記第３流路（ｈ３）に配設され、前記第３接続口（ａ３）から流入する湯水を前記調整弁（５）側に送出する第２ポンプ（Ｐ２）と
を備え、
前記給湯システム本体は、
湯水が流入する流入口（ａ７）および前記湯水を加熱して得られる湯を出湯する出湯口（ａ８）を有する加熱手段（９）と、
その内部の湯水を吐出する吐出口（ａ９）および前記加熱手段から出湯する前記湯が入湯する入湯口（ａ１０）を有する貯湯タンク（１１）と、
前記貯湯タンクの前記吐出口と前記加熱手段の前記流入口とを繋ぐ第５流路（ｈ５）と、
前記貯湯タンクの前記入湯口と前記加熱手段の前記出湯口とを繋ぐ第６流路（ｈ６）と、
前記第５流路に配設され、前記貯湯タンクの前記吐出口からの湯水を前記加熱手段側に送出する第３ポンプ（Ｐ３）と、
前記加熱手段（９）を制御する第１制御機能（１３ａ）と、前記第１ポンプ（Ｐ１）、前記第２ポンプ（Ｐ２）および前記調整弁（５）を制御する第２制御機能（１３ｂＩ）とを有し、前記多機能ユニット（１Ｉ）が前記第５流路（ｈ５）および前記第６流路（ｈ６）に介装接続されない場合は、前記第１および前記第２制御機能のうちの前記第１制御機能だけを作動させ、前記多機能ユニットが前記第５流路および前記第６流路に介装接続される場合は、前記第１および前記第２制御機能を作動させる制御手段（１３Ｉ）
を備え、
前記第５流路には、前記第３ポンプと前記貯湯タンクとの間の部分において、前記多機能ユニットの前記第１接続口が前記加熱手段の前記流入口側に接続されると共に前記多機能ユニットの前記第３接続口が前記貯湯タンクの前記吐出口側に接続される様にして、前記多機能ユニットが介装接続可能であり、
前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であることを特徴とする給湯システム。
【発明の詳細な説明】
【技術分野】
【０００１】
本発明は、既存の給湯システム本体に後付可能な多機能ユニット、および、前記給湯システム本体と前記多機能ユニットとを備えた給湯システムに関する。
【背景技術】
【０００２】
給湯システムのなかには、床暖房器等の暖房器で使用される暖房用液体を加熱する機能を備えたものがある。この様な給湯システムは、例えば、貯湯タンクと、貯湯タンク内の湯水を加熱する加熱手段と、加熱手段で加熱された湯との熱交換により暖房用液体を加熱する熱交換器と、加熱手段で加熱された湯を貯湯タンクおよび熱交換器に送ると共に貯湯タンク内の湯をカラン等の給湯器に送る給湯回路と、貯湯タンク内の湯水を加熱手段に送ると共に水道水を貯湯タンクおよび給湯器に送る水回路とを備えている。
【０００３】
この様な給湯システムとしては例えば特許文献１−３に記載されたものが知られている。
【先行技術文献】
【特許文献】
【０００４】
【特許文献１】特開２００４−１０１１３５号公報
【特許文献２】特開２００５−３０００７９号公報
【特許文献３】特開２００３−１９４３４７号公報
【発明の概要】
【発明が解決しようとする課題】
【０００５】
しかしながら、上記の様な給湯システムは、暖房用液体を加熱する機能を備えない給湯システムと比べて給湯回路および水回路が異なるため、それら給湯回路および水回路に合わせて加熱手段および貯湯タンクを改めて設計する必要があり、その分、コストが高くなると共に開発工数も増加するという問題があった。
【０００６】
この発明の課題は、上記のような問題点を解決するためになされたものであり、床暖房器等の暖房器で使用される暖房用液体を加熱する機能を備えない既存の給湯システム本体に対して後付可能であり、且つ既存の給湯システム本体の加熱手段で加熱された湯との熱交換により暖房用液体を加熱できる熱交換器を含む多機能ユニットを提供すること、および前記多機能ユニットが後付された給湯システムを提供することにある。
【課題を解決するための手段】
【０００７】
上記課題を解決する為に、多機能ユニットは、貯湯タンク（１１）と、前記貯湯タンク内の湯水を加熱して湯にする加熱手段（９）とを備える所定の給湯システム本体（２，２Ｉ，２Ｊ，２Ｋ，２Ｌ，２Ｍ，２Ｎ，２Ｐ，２Ｑ）に対し、暖房機能を付加するべく接続可能な多機能ユニット（１，１Ｉ，１Ｊ，１Ｋ，１Ｌ，１Ｍ，１Ｎ，１Ｐ，１Ｑ，１Ｒ，１Ｓ，１Ｔ，１Ｕ）であって、前記加熱手段における前記湯水が流入する流入口（ａ７）からの配管（ｈ５ａ）が接続可能な第１接続口（ａ１）と、前記加熱手段における前記湯が出湯する出湯口（ａ８）からの配管（ｈ６ａ）が接続可能な第２接続口（ａ２）と、前記貯湯タンクにおける前記湯水が吐出される吐出口（ａ９）からの配管（ｈ５ｂ）が接続可能な第３接続口（ａ３）と、前記貯湯タンクにおける前記湯が入湯する入湯口（ａ１０）からの配管（ｈ６ａ）が接続可能な第４接続口（ａ４）と、所定の暖房器（７）における暖房用液体が吐出される吐出口（ａ１１）からの配管（ｈ１２）および前記暖房用液体が流入する流入口（ａ１１）からの配管（ｈ１３）のうちの一方が接続可能な第５接続口（ａ５）と、前記所定の暖房器における前記吐出口および前記流入口のうちの他方が接続可能な第６接続口（ａ６）と、前記第１接続口と前記第２接続口とを繋ぐ第１流路（ｈ１）と、前記第５接続口と第６接続口とを繋ぐ第２流路（ｈ２）と、前記第１流路を流れる流体と前記第２流路を流れる流体との間で熱交換を行う熱交換器（３）と、前記第３接続口を前記第１流路における前記熱交換器と前記第１接続口との間の部位に分岐状に繋ぐ第３流路（ｈ３）と、前記第４接続口を前記第１流路における前記熱交換器と前記第２接続口との間の部位に分岐状に繋ぐ第４流路（ｈ４）と、前記第１流路と前記第３流路との分岐点（Ｎ１）または前記第１流路と前記第４流路との分岐点（Ｎ２）に配設された調整弁（５）と、前記第２流路に配設された第１ポンプ（Ｐ１）と、を備えるものである。
【０００８】
そして第１、第２、第４、第６、第７、第１７の態様に係る給湯システムは、上述の多機能ユニット（１，１Ｐ）と、前記多機能ユニットと接続可能な給湯システム本体（２，２Ｐ）とを含む給湯システム（１００Ｂ，１００Ｃ、１００Ｄ，１００Ｅ，１００Ｆ，１００Ｐ）であって、前記多機能ユニットは、前記第１流路（ｈ１）における前記第１接続口（ａ１）と前記調整弁（５）との間の部分に配設された第２ポンプ（Ｐ２）を更に備え、前記給湯システム本体は、湯水が流入する流入口（ａ７）および前記湯水を加熱して得られる湯を出湯する出湯口（ａ８）を有する加熱手段（９）と、その内部の湯水を吐出する吐出口（ａ９）および前記加熱手段から出湯される前記湯が入湯する入湯口（ａ１０）を有する貯湯タンク（１１）と、前記貯湯タンクの前記吐出口と前記加熱手段の前記流入口とを繋ぐ第５流路（ｈ５）と、前記貯湯タンクの前記入湯口と前記加熱手段の前記出湯口とを繋ぐ第６流路（ｈ６）と、前記第５流路（ｈ５）に配設され、前記貯湯タンク（１１）の前記吐出口（ａ９）からの湯水を前記加熱手段（９）側に送出する第３ポンプ（Ｐ３）と、を備え、前記第５流路には、前記加熱手段と前記第３ポンプとの間の部分において、前記多機能ユニット（１）の前記第１接続口（ａ１）が前記加熱手段の前記流入口（ａ７）側に接続されると共に前記多機能ユニットの前記第３接続口（ａ３）が前記貯湯タンクの前記吐出口側に接続される様にして、前記多機能ユニット（１）が介装接続可能であり、前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であるものである。
【０００９】
第１の態様に係る給湯システム（１００Ｂ）では、前記給湯システム本体（２）は、前記加熱手段（９）および第３ポンプ（Ｐ３）を制御する第１制御機能（１３ａＢ）を有する第１制御手段（１３Ｂ）を更に備え、前記多機能ユニット（１）は、前記第１ポンプ（Ｐ１）、前記第２ポンプ（Ｐ２）および前記調整弁（５）を制御すると共に、前記第１制御手段を介して前記加熱手段（９）を制御する第２制御手段（１７Ｂ）を更に備え、前記第１制御手段は、前記第２制御手段を介して前記第２ポンプおよび前記調整弁を制御すると共に前記第２制御手段からの制御に応じて前記加熱手段を制御する第２制御機能（１３ｂＢ）を更に有し、前記多機能ユニットが前記第５流路（ｈ５）および前記第６流路（ｈ６）に介装接続されない場合は、前記第１制御機能および前記第２制御機能のうちの前記第１制御機能だけを作動させ、前記多機能ユニットが前記第５流路における前記加熱手段と前記第３ポンプとの間の部分に介装接続されると共に前記第６流路に介装接続される場合は、前記第１制御機能および前記第２制御機能を作動させるものである。
【００１０】
第２の態様に係る給湯システム（１００Ｃ）では、前記給湯システム本体（２）は、前記加熱手段（９）に加熱手段用制御信号（ｓ１）を出力して前記加熱手段を前記加熱手段用制御信号で指定される加熱能力で作動させると共に、前記第３ポンプ（Ｐ３）を所定の排出量で作動させる第１制御手段（１３Ｃ）を更に備え、前記多機能ユニット（１）は、前記第１ポンプ（Ｐ１）、前記第２ポンプ（Ｐ２）および前記調整弁（５）を制御する第２制御手段（１７Ｃ）を更に備え、前記第２制御手段は、前記多機能ユニットが前記第５流路（ｈ５）における前記加熱手段（９）と前記第３ポンプ（Ｐ３）との間の部分に介装接続されると共に前記第６流路（ｈ６）に介装接続され、前記加熱手段用制御信号を中継し、前記加熱手段の停止中の場合において、その中継する前記加熱手段用制御信号を前記加熱手段が作動する様に変更し、且つ前記第１および第２ポンプを作動させ、且つ前記調整弁を前記熱交換器側（α）の流れが確保される様に制御する（Ｓ８）ものである。
【００１１】
第３の態様に係る給湯システムは、第２の態様に係る給湯システム（１００Ｃ）であって、前記第２制御手段（１７Ｃ）は、前記加熱手段（９）の作動中の場合において、その中継する前記加熱手段用制御信号で指定される加熱能力をより高い加熱能力に変更し、且つ前記第１ポンプ（Ｐ１）を作動させ、且つ前記第２ポンプ（Ｐ２）を前記所定の排出量よりも大きい排出量で作動させ、且つ前記調整弁（５）を前記熱交換器側（α）および前記加熱手段側の両方の流れが確保される分流比に制御する（Ｓ４）ものである。
【００１２】
第４の態様に係る給湯システム（１００Ｄ）では、前記給湯システム本体（２）は、前記第３ポンプ（Ｐ３）にポンプ用制御信号（ｓ２）を出力して前記第３ポンプを前記ポンプ用制御信号で指定される排出量で作動させると共に、前記加熱手段に加熱手段用制御信号（ｓ１）を出力して前記加熱手段を所定の加熱能力で作動させる第１制御手段（１３Ｄ）を更に備え、前記多機能ユニット（１）は、前記第１ポンプ（Ｐ１）、前記第２ポンプ（Ｐ２）および前記調整弁（５）を制御する第２制御手段（１７Ｄ）を更に備え、前記第２制御手段は、前記多機能ユニットが前記第５流路（ｈ５）における前記加熱手段と前記第３ポンプとの間の部分に介装接続されると共に前記第６流路（ｈ６）に介装接続され、前記加熱手段用制御信号および前記ポンプ用制御信号を中継し、前記加熱手段の停止中の場合において、その中継する前記加熱手段用制御信号を前記加熱手段が作動する様に変更すると共にその中継する前記ポンプ用制御信号を変更せず、且つ前記第１ポンプおよび前記第２ポンプを作動させ、且つ前記調整弁を前記熱交換器側（α）での流れが確保される分流比に制御する（Ｔ８）ものである。
【００１３】
第５の態様に係る給湯システムは、第４の態様に係る給湯システム（１００Ｄ）であって、前記第２制御手段（１７Ｄ）は、前記加熱手段の作動中の場合において、その中継する前記加熱手段用制御信号を変更しないと共にその中継する前記ポンプ用制御信号で指定される排出量をよりも小さい排出量に変更し、且つ前記第１ポンプ（Ｐ１）を作動させ、且つ変更前の前記ポンプ用制御信号で指定される排出量で前記第２ポンプを作動させ、且つ前記調整弁を前記熱交換器側（α）および前記貯湯タンク側（β）の両方の流れが確保される分流比に制御する（Ｔ４）ものである。
【００１４】
第６の態様に係る給湯システム（１００Ｅ）では、前記給湯システム本体（２）は、前記貯湯タンク（１１）の残湯量または残湯温度を検出するセンサ（Ｔ１〜Ｔ５）と、前記センサからの検出信号（ｓ３）に基づいて前記加熱手段（９）および前記第３ポンプ（Ｐ３）を制御し、前記第３ポンプを所定の排出量で作動させると共に前記加熱手段を前記検出信号の内容に応じた加熱能力で作動させる第１制御手段（１３Ｅ）と、を更に備え、前記多機能ユニット（１）は、前記第１ポンプ（Ｐ１）、前記第２ポンプ（Ｐ２）および前記調整弁（５）を制御する第２制御手段（１７Ｅ）を更に備え、前記第２制御手段は、前記多機能ユニットが前記第５流路（ｈ５）における前記加熱手段と前記第３ポンプとの間の部分に介装接続されると共に前記第６流路（ｈ６）に介装接続され、前記検出信号を中継し、その中継する前記検出信号を前記加熱手段が所要の加熱能力で作動される様に変更し、且つ前記第１ポンプを作動させ、且つ前記第２ポンプを前記所定の排出量よりも大きい排出量で作動させ、且つ前記調整弁を前記熱交換器側（α）および前記加熱手段側（β）の両方の流れが確保される分流比に制御する（Ｕ４，Ｕ８）ものである。
【００１５】
第７の態様に係る給湯システム（１００Ｆ）では、前記貯湯タンク（９）の残湯量または残湯温度を検出するセンサ（２７）と、前記センサからの検出信号（ｓ３）に基づいて前記加熱手段（９）および前記第３ポンプ（Ｐ３）を制御し、前記加熱手段を所定の加熱能力で作動させると共に前記第３ポンプを前記検出信号の内容に応じた排出量で作動させる第１制御手段（１３Ｆ）と、を更に備え、前記多機能ユニット（１）は、前記第１ポンプ（Ｐ１）、前記第２ポンプ（Ｐ２）および前記調整弁（５）を制御する第２制御手段（１７Ｆ）を更に備え、前記第２制御手段は、前記多機能ユニットが前記第５流路（ｈ５）における前記加熱手段と前記第３ポンプとの間の部分に介装接続されると共に前記第６流路（ｈ６）に介装接続され、前記検出信号を中継し、前記第２ポンプを所要の排出量で作動させ、且つ前記第１ポンプＰ１を作動させ、且つその中継する前記検出信号を前記第３ポンプが前記所要の排出量よりも小さい排出量で作動する様に変更し、且つ前記調整弁を前記熱交換器側（α）および前記加熱手段側（β）の両方の流れが確保される分流比に制御する（Ｖ４，Ｖ８）ものである。
【００１６】
そして第８、第９、第１１、第１３、第１５、第１８の態様に係る給湯システムは、上述の多機能ユニット（１Ｐ，１Ｑ，１Ｒ，１Ｓ，１Ｔ，１Ｕ）と、前記多機能ユニットと接続可能な給湯システム本体（２Ｋ，２Ｎ，２Ｌ，２Ｍ，２Ｐ）とを含む給湯システム（１００Ｐ，１００Ｑ，１００Ｒ，１００Ｓ，１００Ｔ，１００Ｕ）であって、前記給湯システム本体は、湯水が流入する流入口（ａ７）および前記湯水を加熱して得られる湯を出湯する出湯口（ａ８）を有する加熱手段（９）と、その内部の湯水を吐出する吐出口（ａ９）および前記加熱手段から出湯される前記湯が入湯する入湯口（ａ１０）を有する貯湯タンク（１１）と、前記貯湯タンクの前記吐出口と前記加熱手段の前記流入口とを繋ぐ第５流路（ｈ５）と、前記貯湯タンクの前記入湯口と前記加熱手段の前記出湯口とを繋ぐ第６流路（ｈ６）と、前記第５流路に配設され、前記貯湯タンクの前記吐出口からの湯水を前記加熱手段側に送出する第３ポンプ（Ｐ３）と、を備え、前記第５流路には、前記第３ポンプと前記貯湯タンクとの間の部分において、前記多機能ユニットの前記第１接続口が前記加熱手段の前記流入口側に接続されると共に前記多機能ユニットの前記第３接続口が前記貯湯タンクの前記吐出口側に接続される様にして、前記多機能ユニットが介装接続可能であり、前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であるものである。
【００１７】
第８の態様に係る給湯システム（１００Ｑ）では、前記給湯システム本体（２Ｑ）は、前記加熱手段（９）および前記第３ポンプ（Ｐ３）を制御する第１制御機能（１５ａＢ）を有する第１制御手段（１３Ｑ）を更に備え、前記多機能ユニット（１Ｑ）は、前記第１ポンプ（Ｐ１）および前記調整弁（５）を制御すると共に、前記第１制御手段を介して前記加熱手段および前記第３ポンプを制御する第２制御手段（１７Ｑ）を更に備え、前記第１制御手段は、前記第２制御手段を介して前記調整弁を制御すると共に、前記第２制御手段からの制御に応じて前記加熱手段および前記第３ポンプを制御する第２制御機能（１３ｂＱ）を更に有し、前記多機能ユニットが前記第５流路（ｈ５）および前記第６流路（ｈ６）に介装接続されない場合は、前記第１制御機能および前記第２制御機能のうちの前記第１制御機能だけを作動させ、前記多機能ユニットが前記第５流路における前記第３ポンプと前記貯湯タンク（１１）との間の部分に介装接続されると共に前記第６流路に介装接続される場合は、前記第１制御機能および前記第２制御機能を作動させるものである。
【００１８】
第９の態様に係る給湯システム（１００Ｒ）では、前記給湯システム本体（２Ｋ）は、前記加熱手段（９）に加熱手段用制御信号（ｓ１）を出力して前記加熱手段を加熱手段用制御信号で指定される加熱能力で作動させると共に前記第３ポンプ（Ｐ３）にポンプ用制御信号（ｓ２）を出力して前記第３ポンプを所定の排出量で作動させる第１制御手段（１３Ｋ）を更に備え、前記多機能ユニット（１Ｒ）は、前記第１ポンプ（Ｐ１）および前記調整弁（５）を制御する第２制御手段（１７Ｒ）を更に備え、前記第２制御手段は、前記多機能ユニットが前記第５流路（ｈ５）における前記第３ポンプと前記貯湯タンク（１１）との間の部分に介装接続されると共に前記第６流路（ｈ６）に介装接続され、前記加熱手段用制御信号および前記ポンプ用制御信号を中継し、前記加熱手段および前記第３ポンプの停止中の場合において、その中継する前記加熱手段用制御信号を前記加熱手段が作動する様に変更して中継すると共にその中継する前記ポンプ用制御信号を前記第３ポンプが作動する様に変更して中継し、且つ前記第１ポンプを作動させ、且つ前記調整弁を前記熱交換器側（α）の流れが確保される様に制御する（Ｗ８）ものである。
【００１９】
第１０の態様に係る給湯システムは、第９の態様に係る給湯システム（１００Ｒ）であって、前記第２制御手段（１７Ｒ）は、前記加熱手段および前記第３ポンプの作動中の場合において、前記加熱手段用制御信号および前記ポンプ用制御信号を変更せずに中継し、且つ前記第１ポンプを作動させ、且つ前記調整弁を前記熱交換器側（α）およびヒートポンプ熱源機側（β）の両方の流れが確保される分流比に制御する（Ｗ４）ものである。
【００２０】
第１１の態様に係る給湯システム（１００Ｓ）では、前記給湯システム本体（２Ｎ）は、前記加熱手段（９）に加熱手段用制御信号（ｓ１）を出力して前記加熱手段（９）を所定の加熱能力で作動させると共に、前記第３ポンプ（Ｐ３）にポンプ用制御信号（ｓ２）を出力して前記第３ポンプを前記ポンプ用制御信号で指定される排出量で作動させる第１制御手段（１３Ｎ）を更に備え、前記多機能ユニット（１Ｓ）は、前記第１ポンプ（Ｐ１）および前記調整弁（５）を制御する第２制御手段（１７Ｓ）を更に備え、前記第２制御手段は、前記多機能ユニットが前記第５流路（ｈ５）における前記第３ポンプと前記貯湯タンク（１１）との間の部分に介装接続されると共に前記第６流路（ｈ６）に介装接続され、前記加熱手段用制御信号および前記ポンプ用制御信号を中継し、前記加熱手段および前記第３ポンプの停止中の場合において、その中継する前記加熱手段用制御信号を前記加熱手段が作動する様に変更して中継すると共にその中継する前記ポンプ用制御信号を前記第３ポンプが作動する様に変更して中継し、且つ前記第１ポンプを作動させ、且つ前記調整弁を前記熱交換器側（α）の流れが確保される様に制御する（Ｚ８）ものである。
【００２１】
第１２の態様に係る給湯システムは、第１１の態様に係る給湯システム（１００Ｓ）であって、前記第２制御手段（１７Ｓ）は、前記加熱手段（９）および前記第３ポンプ（Ｐ３）の作動中の場合において、前記加熱手段用制御信号（ｓ１）および前記ポンプ用制御信号（ｓ２）を変更せずに中継し、且つ前記第１ポンプ（Ｐ１）を作動させ、且つ前記調整弁（５）を前記熱交換器側（α）およびヒートポンプ熱源機側（β）の両方の流れが確保される分流比に制御する（Ｚ４）ものである。
【００２２】
第１３の態様に係る給湯システム（１００Ｔ）では、前記給湯システム本体（２Ｌ）は、前記貯湯タンク（１１）の残湯量または残湯温度を検出するセンサ（Ｔ１〜Ｔ５）と、前記センサからの検出信号（ｓ３）に基づいて前記加熱手段（９）および前記第３ポンプ（Ｐ３）を制御し、前記第３ポンプを所定の排出量で作動させると共に前記加熱手段を前記検出信号の内容に応じた加熱能力で作動させる第１制御手段（１３Ｌ）と、を更に備え、前記多機能ユニット（１Ｔ）は、前記第１ポンプ（Ｐ１）および前記調整弁（５）を制御する第２制御手段（１７Ｔ）を更に備え、前記第２制御手段は、前記多機能ユニットが前記第５流路（ｈ５）における前記第３ポンプと前記貯湯タンクとの間の部分に介装接続されると共に前記第６流路（ｈ６）に介装接続され、前記検出信号を中継し、前記加熱手段および前記第３ポンプの停止中の場合において、その中継する前記検出信号を前記加熱手段および前記第３ポンプが作動する様に変更して中継し、且つ前記第１ポンプを作動させ、且つ前記調整弁を前記熱交換器側（α）の流れが確保される分流比に制御する（Ｘ８）ものである。
【００２３】
第１４の態様に係る給湯システムは、第１３の態様に係る給湯システム（１００Ｔ）であって、前記第２制御手段（１７Ｔ）は、前記加熱手段および前記第３ポンプの作動中の場合において、その中継する前記検出信号を変更せずに中継し、且つ前記第１ポンプを作動させ、且つ前記調整弁を前記熱交換器側（α）および前記貯湯タンク側（β）の両方の流れが確保される分流比に制御する（Ｘ４）ものである。
【００２４】
第１５の態様に係る給湯システム（１００Ｕ）では、前記給湯システム本体（２Ｍ）は、前記貯湯タンク（１１）の残湯量または残湯温度を検出するセンサ（Ｔ１〜Ｔ５）と、前記センサからの検出信号（ｓ３）に基づいて前記加熱手段（９）および前記第３ポンプ（Ｐ３）を制御し、前記加熱手段を所定の加熱能力で作動させると共に前記第３ポンプを前記検出信号の内容に応じた排出量で作動させる第１制御手段（１３Ｍ）と、を更に備え、前記多機能ユニット（１Ｕ）は、前記第１ポンプ（Ｐ１）および前記調整弁（５）を制御する第２制御手段（１７Ｕ）を更に備え、前記第２制御手段は、前記多機能ユニットが前記第５流路（ｈ５）における前記第３ポンプと前記貯湯タンクとの間の部分に介装接続されると共に前記第６流路（ｈ６）に介装接続され、前記検出信号を中継し、前記加熱手段および前記第３ポンプの停止中の場合において、その中継する前記検出信号に含まれる残湯量または残湯温度の情報を前記加熱手段および前記第３ポンプが作動する様に変更して中継し、且つ前記第１ポンプを作動させ、且つ前記調整弁を前記熱交換器側（α）の流れが確保される分流比に制御する（Ｙ８）ものである。
【００２５】
第１６の態様に係る給湯システムは、第１５の態様に係る給湯システム（１００Ｕ）であって、前記第２制御手段（１７Ｕ）は、前記加熱手段（９）および前記第３ポンプ（Ｐ３）の作動中の場合において、その中継する前記検出信号に含まれる残湯量または残湯温度の情報を変更せずに中継し、且つ前記調整弁（５）を前記熱交換器側（α）および前記加熱手段側（β）の両方の流れが確保される分流比に制御する（Ｙ４）ものである。
【００２６】
第１７の態様に係る給湯システム（１００）、または第１８の態様に係る給湯システム（１００Ｐ）では、前記給湯システム本体（２，２Ｐ）は、前記加熱手段（９）および前記第３ポンプ（Ｐ３）を制御する第１制御機能（１３ａ）と、前記第１ポンプ（Ｐ１）および前記調整弁（５）を制御する第２制御機能（１３ｂ，１３ｂＰ）とを有し、前記多機能ユニット（１，１Ｐ）が前記第５流路（ｈ５）および前記第６流路（ｈ６）に介装接続されない場合は、前記第１および前記第２制御機能のうちの前記第１制御機能だけを作動させ、前記多機能ユニットが前記第５流路および前記第６流路に介装接続される場合は、前記第１および前記第２制御機能を作動させる制御手段（１３，１３Ｐ）を更に備えるものである。
【００２７】
第１９、第２９の態様に係る給湯システムは、上述の多機能ユニット（１，１Ｉ）と、前記多機能ユニットと接続可能な給湯システム本体（２）とを含む給湯システム（１００Ｇ，１００Ｈ）であって、前記多機能ユニットは、前記第１流路（ｈ１）における前記第１接続口（ａ１）と前記調整弁（５）との間の部分に配設された第２ポンプ（Ｐ２）を更に備え、前記給湯システム本体は、湯水が流入する流入口（ａ７）および前記湯水を加熱して得られる湯を出湯する出湯口（ａ８）を有する加熱手段（９）と、その内部の湯水を吐出する吐出口（ａ９）および前記加熱手段から出湯される前記湯が入湯する入湯口（ａ１０）を有する貯湯タンク（１１）と、前記貯湯タンクの前記吐出口と前記加熱手段の前記流入口とを繋ぐ第５流路（ｈ５）と、前記貯湯タンクの前記入湯口と前記加熱手段の前記出湯口とを繋ぐ第６流路（ｈ６）と、を備え、前記第５流路には、前記多機能ユニットの前記第１接続口が前記加熱手段の前記流入口側に接続されると共に前記多機能ユニットの前記第３接続口が前記貯湯タンクの前記吐出口側に接続される様にして、前記多機能ユニットが介装接続可能であり、前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であるものである。
【００２８】
第１９の態様に係る給湯システム（１００Ｈ）では、前記給湯システム本体（２）は、前記加熱手段（９）を制御する第１制御機能（１３ａ）を有する第１制御手段（１３Ｈ）を更に備え、前記多機能ユニット（１）は、前記第１ポンプ（Ｐ１）、第２ポンプ（Ｐ２）および前記調整弁（５）を制御すると共に、前記第１制御手段を介して前記加熱手段（９）を制御する第２制御手段（１７Ｂ）を更に備え、前記第１制御手段は、前記第２制御手段を介して前記第２ポンプおよび前記調整弁を制御すると共に前記第２制御手段からの制御に応じて前記加熱手段を制御する第２制御機能（１３ｂ）を更に有し、前記多機能ユニットが前記第５流路（ｈ５）および前記第６流路（ｈ６）に介装接続されない場合は、前記第１制御機能および前記第２制御機能のうちの前記第１制御機能だけを作動させ、前記多機能ユニットが前記第５流路および前記第６流路に介装接続される場合は、前記第１制御機能および前記第２制御機能を作動させるものである。
【００２９】
第２０、第２１、第２３、第２５、第２７、第３０の態様に係る給湯システムは、上述の多機能ユニット（１Ｉ，１Ｊ，１Ｋ，１Ｌ，１Ｍ，１Ｎ）と、前記多機能ユニットと接続可能な給湯システム本体（２Ｉ，２Ｊ，２Ｋ，２Ｌ，２Ｍ，２Ｎ）とを含む給湯システム（１００Ｉ，１００Ｊ，１００Ｋ，１００Ｌ，１００Ｍ，１００Ｎ）であって、前記多機能ユニットは、前記第３流路（ｈ３）に配設され、前記第３接続口（ａ３）から流入する湯水を前記調整弁（５）側に送出する第２ポンプ（Ｐ２）を更に備え、前記給湯システム本体（２Ｉ）は、湯水が流入する流入口（ａ７）および前記湯水を加熱して得られる湯を出湯する出湯口（ａ８）を有する加熱手段（９）と、その内部の湯水を吐出する吐出口（ａ９）および前記加熱手段から出湯する前記湯が入湯する入湯口（ａ１０）を有する貯湯タンク（１１）と、前記貯湯タンクの前記吐出口と前記加熱手段の前記流入口とを繋ぐ第５流路（ｈ５）と、前記貯湯タンクの前記入湯口と前記加熱手段の前記出湯口とを繋ぐ第６流路（ｈ６）と、前記第５流路に配設され、前記貯湯タンクの前記吐出口からの湯水を前記加熱手段側に送出する第３ポンプ（Ｐ３）と、を備え、前記第５流路には、前記第３ポンプと前記貯湯タンクとの間の部分において、前記多機能ユニットの前記第１接続口が前記加熱手段の前記流入口側に接続されると共に前記多機能ユニットの前記第３接続口が前記貯湯タンクの前記吐出口側に接続される様にして、前記多機能ユニットが介装接続可能であり、前記第６流路には、前記多機能ユニットの前記第２接続口が前記加熱手段の前記出湯口側に接続されると共に前記多機能ユニットの前記第４接続口が前記貯湯タンクの前記入湯口側に接続される様にして、前記多機能ユニットが介装接続可能であるものである。
【００３０】
第２０の態様に係る給湯システム（１００Ｊ）では、前記給湯システム本体（２Ｊ）は、前記加熱手段（９）および前記第３ポンプ（Ｐ３）を制御する第１制御機能（１３ａＢ）を有する第１制御手段（１３Ｊ）を更に備え、前記多機能ユニット（１Ｊ）は、前記第１ポンプ（Ｐ１）、前記第２ポンプ（Ｐ２）および前記調整弁（５）を制御すると共に、前記第１制御手段を介して前記加熱手段（９）および前記第３ポンプを制御する第２制御手段（１７Ｊ）を更に備え、前記第１制御手段は、前記第２制御手段を介して前記第２ポンプおよび前記調整弁を制御すると共に、前記第２制御手段からの制御に応じて前記加熱手段および前記第３ポンプを制御する第２制御機能（１３ｂＪ）を更に有し、前記多機能ユニットが前記第５流路（ｈ５）および前記第６流路（ｈ６）に介装接続されない場合は、前記第１制御機能および前記第２制御機能のうちの前記第１制御機能だけを作動させ、前記多機能ユニットが前記第５流路における前記第３ポンプと前記貯湯タンク（１１）との間の部分に介装接続されると共に前記第６流路に介装接続される場合は、前記第１制御機能および前記第２制御機能を作動させるものである。
【００３１】
第２１の態様に係る給湯システム（１００Ｋ）では、前記給湯システム本体（２Ｋ）は、前記加熱手段（９）に加熱手段用制御信号（ｓ１）を出力して前記加熱手段を加熱手段用制御信号で指定される加熱能力で作動させると共に前記第３ポンプ（Ｐ３）にポンプ用制御信号（ｓ２）を出力して前記第３ポンプを所定の排出量で作動させる第１制御手段（１３Ｋ）を更に備え、前記多機能ユニット（１Ｋ）は、前記第１ポンプ（Ｐ１）、前記第２ポンプ（Ｐ２）および前記調整弁（５）を制御する第２制御手段（１７Ｋ）を更に備え、前記第２制御手段は、前記多機能ユニットが前記第５流路（ｈ５）における前記第３ポンプと前記貯湯タンク（１１）との間の部分に介装接続されると共に前記第６流路（ｈ６）に介装接続され、前記加熱手段用制御信号および前記ポンプ用制御信号を中継し、前記加熱手段および前記第３ポンプの停止中の場合において、その中継する前記加熱手段用制御信号を前記加熱手段が作動する様に変更して中継すると共にその中継する前記ポンプ用制御信号を前記第３ポンプが作動する様に変更して中継し、且つ前記第１ポンプを作動させ、且つ前記第２ポンプを停止させ、且つ前記調整弁（５）を前記熱交換器側（α）の流れが確保される様に制御する（Ｗ８）ものである。
【００３２】
第２２の態様に係る給湯システムは、第２１の態様に係る給湯システム（１００Ｋ）であって、前記第２制御手段（１７Ｋ）は、前記加熱手段および前記第３ポンプの作動中の場合において、前記加熱手段用制御信号および前記ポンプ用制御信号を変更せずに中継し、且つ前記第１ポンプを作動させ、且つ前記第２ポンプを前記所定の排出量よりも小さい排出量で作動させ、且つ前記調整弁（５）を前記熱交換器側（α）およびヒートポンプ熱源機側（β）の両方の流れが確保される分流比に制御する（Ｗ４）ものである。
【００３３】
第２３の態様に係る給湯システム（１００Ｎ）では、前記給湯システム本体（２Ｎ）は、前記加熱手段（９）に加熱手段用制御信号（ｓ１）を出力して前記加熱手段（９）を所定の加熱能力で作動させると共に、前記第３ポンプ（Ｐ３）にポンプ用制御信号（ｓ２）を出力して前記第３ポンプを前記ポンプ用制御信号で指定される排出量で作動させる第１制御手段（１３Ｎ）を更に備え、前記多機能ユニット（１Ｎ）は、前記第１ポンプ（Ｐ１）、前記第２ポンプ（Ｐ２）および前記調整弁（５）を制御する第２制御手段（１７Ｎ）を更に備え、前記第２制御手段は、前記多機能ユニットが前記第５流路（ｈ５）における前記第３ポンプと前記貯湯タンク（１１）との間の部分に介装接続されると共に前記第６流路（ｈ６）に介装接続され、前記加熱手段用制御信号および前記ポンプ用制御信号を中継し、前記加熱手段および前記第３ポンプの停止中の場合において、その中継する前記加熱手段用制御信号を前記加熱手段が作動する様に変更して中継すると共にその中継する前記ポンプ用制御信号を前記第３ポンプが作動する様に変更して中継し、且つ前記第１ポンプを作動させ、且つ前記第２ポンプを停止させ、且つ前記調整弁を前記熱交換器側（α）の流れが確保される様に制御する（Ｚ８）ものである。
【００３４】
第２４の態様に係る給湯システムは、第２３の態様に係る給湯システム（１００Ｎ）であって、前記第２制御手段（１７Ｎ）は、前記加熱手段（９）および前記第３ポンプ（Ｐ３）の作動中の場合において、前記加熱手段用制御信号（ｓ１）および前記ポンプ用制御信号（ｓ２）を変更せずに中継し、且つ前記第１ポンプ（Ｐ１）を作動させ、且つ前記第２ポンプ（Ｐ２）を前記ポンプ用制御信号で指定される排出量よりも小さい排出量で作動させ、且つ前記調整弁（５）を前記熱交換器側（α）およびヒートポンプ熱源機側（β）の両方の流れが確保される分流比に制御する（Ｚ４）ものである。
【００３５】
第２５の態様に係る給湯システム（１００Ｌ）では、前記給湯システム本体（２Ｌ）は、前記貯湯タンク（１１）の残湯量または残湯温度を検出するセンサ（Ｔ１〜Ｔ５）と、前記センサからの検出信号（ｓ３）に基づいて前記加熱手段（９）および前記第３ポンプ（Ｐ３）を制御し、前記第３ポンプを所定の排出量で作動させると共に前記加熱手段を前記検出信号の内容に応じた加熱能力で作動させる第１制御手段（１３Ｌ）と、を更に備え、前記多機能ユニット（１Ｌ）は、前記第１ポンプ（Ｐ１）、前記第２ポンプ（Ｐ２）および前記調整弁（５）を制御する第２制御手段（１７Ｌ）を更に備え、前記第２制御手段は、前記多機能ユニットが前記第５流路（ｈ５）における前記第３ポンプと前記貯湯タンクとの間の部分に介装接続されると共に前記第６流路（ｈ６）に介装接続され、前記検出信号を中継し、前記加熱手段および前記第３ポンプの停止中の場合において、その中継する前記検出信号を前記加熱手段および前記第３ポンプが作動する様に変更して中継し、且つ前記第１ポンプを作動させ、且つ前記第２ポンプを停止させ、且つ前記調整弁を前記熱交換器側（α）の流れが確保される分流比に制御する（Ｘ８）ものである。
【００３６】
第２６の態様に係る給湯システムは、第２５の態様に記載の給湯システム（１００Ｌ）であって、前記第２制御手段（１７Ｌ）は、前記加熱手段および前記第３ポンプの作動中の場合において、その中継する前記検出信号を変更せずに中継し、且つ前記第１ポンプを作動させ、且つ前記第２ポンプを前記所定の排出量よりも小さい排出量で作動させ、且つ前記調整弁を前記熱交換器側（α）および前記貯湯タンク側（β）の両方の流れが確保される分流比に制御する（Ｘ４）ものである。
【００３７】
第２７の態様に係る給湯システム（１００Ｍ）では、前記給湯システム本体（２Ｍ）は、前記貯湯タンク（１１）の残湯量または残湯温度を検出するセンサ（Ｔ１〜Ｔ５）と、前記センサからの検出信号（ｓ３）に基づいて前記加熱手段（９）および前記第３ポンプ（Ｐ３）を制御し、前記加熱手段を所定の加熱能力で作動させると共に前記第３ポンプを前記検出信号の内容に応じた排出量で作動させる第１制御手段（１３Ｍ）と、を更に備え、前記多機能ユニット（１Ｍ）は、前記第１ポンプ（Ｐ１）、前記第２ポンプ（Ｐ２）および前記調整弁（５）を制御する第２制御手段（１７Ｍ）を更に備え、前記第２制御手段は、前記多機能ユニットが前記第５流路（ｈ５）における前記第３ポンプと前記貯湯タンクとの間の部分に介装接続されると共に前記第６流路（ｈ６）に介装接続され、前記検出信号を中継し、前記加熱手段および前記第３ポンプの停止中の場合において、その中継する前記検出信号に含まれる残湯量または残湯温度の情報を前記加熱手段および前記第３ポンプが作動する様に変更して中継し、且つ前記第１ポンプを作動させ、且つ前記第２ポンプを停止させ、且つ前記調整弁を前記熱交換器側（α）の流れが確保される分流比に制御する（Ｙ８）ものである。
【００３８】
第２８の態様に係る給湯システムは、第２７の態様に記載の給湯システム（１００Ｍ）であって、前記第２制御手段（１７Ｍ）は、前記加熱手段（９）および前記第３ポンプ（Ｐ３）の作動中の場合において、その中継する前記検出信号に含まれる残湯量または残湯温度の情報を変更せずに中継し、且つ前記第１ポンプ（Ｐ１）を作動させ、且つその中継する前記検出信号に含まれる前記残湯量または残湯温度の情報に対応する排出量よりも小さい排出量で前記第２ポンプ（Ｐ２）を作動させ、且つ前記調整弁（５）を前記熱交換器側（α）および前記加熱手段側（β）の両方の流れが確保される分流比に制御する（Ｙ４）ものである。
【００３９】
第２９の態様に係る給湯システム（１００Ｇ)、または第３０の態様に係る給湯システム（１００Ｊ）では、前記給湯システム本体（２）は、前記加熱手段（９）を制御する第１制御機能（１３ａ）と、前記第１ポンプ（Ｐ１）、第２ポンプ（Ｐ２）および前記調整弁（５）を制御する第２制御機能（１３ｂ，１３ｂＩ）とを有し、前記多機能ユニット（１，１Ｉ）が前記第５流路（ｈ５）および前記第６流路（ｈ６）に介装接続されない場合は、前記第１および前記第２制御機能のうちの前記第１制御機能だけを作動させ、前記多機能ユニットが前記第５流路および前記第６流路に介装接続される場合は、前記第１および前記第２制御機能を作動させる制御手段（１３Ｇ，１３Ｉ）を更に備えるものである。
【発明の効果】
【００４０】
第１〜第３０の態様において、第１および第２接続口（ａ１，ａ２）に給湯システム本体（２，２Ｉ，２Ｊ，２Ｋ，２Ｌ，２Ｍ，２Ｎ，２Ｐ，２Ｑ）（即ち既存の給湯システム）の加熱手段（９）の出湯口（ａ８）および流入口（ａ７）を繋げ、第５および第６接続口（ａ５，ａ６）に所定の暖房器（７）の暖房用流体用の吐出口（ａ１１）および流入口（ａ１２）を繋げ、第３および第４接続口（ａ３，ａ４）に前記既存の給湯システムの貯湯タンク（１１）の吐出口（ａ９）および入湯口（ａ１０）を繋げることで、給湯システム本体に対して多機能ユニットを後付できる。
【００４１】
第１、第２、第４、第６、第７、第１７の態様によれば、多機能ユニット（１，１Ｉ，１Ｊ，１Ｋ，１Ｌ，１Ｍ，１Ｎ，１Ｐ，１Ｑ，１Ｒ，１Ｓ，１Ｔ，１Ｕ）を後付できる給湯システムを提供できる。また第３ポンプ（Ｐ３）があるので、第５流路（ｈ５）に多機能ユニット（１）が介装接続された場合でも、貯湯タンク（１１）内の湯水を安定的に加熱手段（９）側に送出できる。
【００４２】
第１の態様によれば、多機能ユニット（１）に第２制御手段（１７Ｂ）が備えられ、多機能ユニットは第２制御手段により主体的に制御されるので、給湯システム本体（２）の第１制御手段（１３Ｂ）において多機能ユニットを制御する負担を軽減できる。
【００４３】
第２の態様によれば、多機能ユニット（１）において加熱手段用制御信号（ｓ１）の内容を変更することで、多機能ユニットの動作と給湯システム本体（２）の動作とを協調させるので、給湯システム本体に多機能ユニットを接続するにあたり、給湯システム本体の第１制御装置（１３Ｃ）を設計変更すること無くそのまま使用できる。
【００４４】
第３の態様によれば、第２の態様と同様の効果を得る。
【００４５】
第４の態様によれば、多機能ユニット（１）において加熱手段用制御信号（ｓ１）の内容を変更することで、多機能ユニットの動作と給湯システム本体（２）の動作とを協調させるので、給湯システム本体に多機能ユニットを接続するにあたり、給湯システム本体の第１制御装置（１３Ｄ）を設計変更すること無くそのまま使用できる。
【００４６】
第５の態様によれば、多機能ユニット（１）においてポンプ用制御信号（ｓ２）の内容を変更することで、多機能ユニットの動作と給湯システム本体（２）の動作とを協調させるので、給湯システム本体に多機能ユニットを接続するにあたり、給湯システム本体の第１制御装置（１３Ｄ）を設計変更すること無くそのまま使用できる。
【００４７】
第６または第７の態様によれば、多機能ユニット（１）において検出信号（ｓ３）の内容を変更することで、多機能ユニットの動作と給湯システム本体（２）の動作とを協調させるので、給湯システム本体に多機能ユニットを接続するにあたり、給湯システム本体の第１制御装置（１３Ｅ）を設計変更すること無くそのまま使用できる。
【００４８】
第８、第９、第１１、第１３、第１５、第１８の態様によれば、第１、第２、第４、第６、第７、第１７の態様と同じ効果を得るほかに、第２ポンプが省略されるので、その分、コストを削減できる。
【００４９】
第８の態様によれば、第１の態様と同じ効果を得る。
【００５０】
第９の態様によれば、多機能ユニット（１Ｋ）において加熱手段用検出信号（ｓ１）およびポンプ用制御信号（ｓ２）の内容を変更することで、多機能ユニットの動作と給湯システム本体（２Ｋ）の動作とを協調させるので、給湯システム本体に多機能ユニットを接続するにあたり、給湯システム本体の第１制御装置（１３Ｋ）を設計変更すること無くそのまま使用できる。
【００５１】
第１０の態様によれば、多機能ユニット（１Ｋ）において加熱手段用検出信号（ｓ１）およびポンプ用制御信号（ｓ２）を利用することで、多機能ユニットの動作と給湯システム本体（２Ｋ）の動作とを協調させるので、給湯システム本体に多機能ユニットを接続するにあたり、給湯システム本体の第１制御装置（１３Ｋ）を設計変更すること無くそのまま使用できる。
【００５２】
第１１の態様によれば、第９の態様と同じ効果を得る。
【００５３】
第１２の態様によれば、第１０の態様と同じ効果を得る。
【００５４】
第１３、第１４および第１５の態様によれば、第６の態様と同じ効果を得る。
【００５５】
第１６の態様によれば、多機能ユニット（１Ｕ）において検出信号（ｓ３）を利用することで、多機能ユニットの動作と給湯システム本体（２Ｍ）の動作とを協調させるので、給湯システム本体に多機能ユニットを接続するにあたり、給湯システム本体の第１制御装置（１３Ｍ）を設計変更すること無くそのまま使用できる。
【００５６】
第１７，第１８の態様によれば、給湯システム本体（２，２Ｐ）の制御手段（１３）に多機能ユニット用の第２制御機能（１３ｂ，１３ｂＰ）が備えられるので、多機能ユニットに制御手段を備える必要が無くなる。また給湯システム本体に多機能ユニットが接続される場合だけ、制御手段において第２制御機能が作動するので、給湯システム本体に多機能ユニットが接続されない場合において制御手段の動作負担を軽減できる。
【００５７】
第１９、第２９の態様によれば、第１、第２、第４、第６、第７、第１７の態様と同じ効果を得るほかに、給湯システム本体（２）の第５配管（ｈ５）のポンプ（Ｐ３）が省略されるので、コスト削減に寄与できる。
【００５８】
第１９の態様によれば、第１の態様と同じ効果を得る。
【００５９】
第２０、第２１、第２３、第２５、第２７、第３０の態様によれば、第１、第２、第４、第６、第７、第１７の態様と同じ効果を得るほかに、第２ポンプ（Ｐ２）が第３流路（ｈ３）に配設されているので、給湯システム本体（２Ｉ）の第５流路（ｈ５）に多機能ユニット（１Ｉ）が介装接続された場合でも、貯湯タンク（１１）内の湯水を安定的に加熱手段（９）側に送出できる。
【００６０】
第２０の態様によれば、第１の態様と同じ効果を得る。
【００６１】
第２１の態様によれば、第９の態様と同じ効果を得る。
【００６２】
第２２の態様によれば、第１０の態様と同じ効果を得る。
【００６３】
第２３の態様によれば、第９の態様と同じ効果を得る。
【００６４】
第２４の態様によれば、第１０の態様と同じ効果を得る。
【００６５】
第２５の態様によれば、第６の態様と同じ効果を得る。
【００６６】
第２６の態様によれば、第１６の態様と同様の効果を得る。
【００６７】
第２７の態様によれば、第６の態様と同じ効果を得る。
【００６８】
第２８の態様によれば、第１６の態様と同じ効果を得る。
【００６９】
第２９、第３０の態様によれば、第１７，第１８の態様と同じ効果を得る。
【図面の簡単な説明】
【００７０】
【図１】第１〜第６実施形態に係る給湯システムの構成概略図である。
【図２】第１〜第７実施形態の給湯システム本体の構成概略図である。
【図３】第１、第９および第１５実施形態の制御装置の構成概略図である。
【図４】第２、第８および第１０実施形態の制御装置の構成概略図である。
【図５】第３実施形態の第２制御装置の構成概略図である。
【図６】第３実施形態の第２制御装置の動作説明図である。
【図７】第４および第１２実施形態の第１および第２制御装置の構成概略図である。
【図８】第４実施形態の第２制御装置の動作説明図である。
【図９】第５、第６、第１３および第１４実施形態の第１および第２制御装置の構成概略図である。
【図１０】第５実施形態の第２制御装置の動作説明図である。
【図１１】第６実施形態の第２制御装置の動作説明図である。
【図１２】第７および第８施形態に係る給湯システムの構成概略図である。
【図１３】第９〜第１４実施形態に係る給湯システムの構成概略図である。
【図１４】第９〜第１８実施形態の給湯システム本体の構成概略図である。
【図１５】第１１および第１２実施形態の第１および第２制御装置の構成概略図である。
【図１６】第１１および第１２実施形態の第２制御装置の動作説明図である。
【図１７】第１３実施形態の第２制御装置の動作説明図である。
【図１８】第１４実施形態の第２制御装置の動作説明図である。
【図１９】第１５〜第２０実施形態に係る給湯システムの構成概略図である。
【図２０】第１５実施形態の制御装置の構成概略図である。
【図２１】第１６実施形態の第１および第２制御装置の構成概略図である。
【図２２】第１７実施形態の第１および第２制御装置の構成概略図である。
【図２３】第１８実施形態の第１および第２制御装置の構成概略図である。
【図２４】第１９および第２０実施形態の第１および第２制御装置の構成概略図である。
【発明を実施するための形態】
【００７１】
＜第１実施形態＞
この給湯システム１００は、図２の給湯システム本体２と、図１の様に、給湯システム本体２に接続可能な多機能ユニット１および暖房器７とを備えている。
【００７２】
給湯システム本体２は、図２の様に、ヒートポンプ熱源機９（加熱手段）と、貯湯タンク１１と、ポンプ（第３ポンプ）Ｐ３と、制御装置１３（図３、制御手段）とを備えている。
【００７３】
貯湯タンク１１は、例えば中空の円柱状に形成されている。貯湯タンク１１の下部（例えば底部）には、吐出口９ａが設けられており、貯湯タンク１１の上部（例えば天井部）には、入湯口ａ１０が設けられている。吐出口ａ９には、ヒートポンプ熱源機９の後述の流入口ａ７からの配管ｈ５（第５流路）が接続されており、入湯口ａ１０には、ヒートポンプ熱源機９の後述の出湯口ａ８からの配管ｈ６（第６流路）が接続されている。また貯湯タンク１１の上部（例えば天井部）には、出湯口ａ１３が設けられており、その出湯口ａ１３にカラン等の給湯部１５に至る配管ｈ７が接続されている。また貯湯タンク１１の下部（例えば底部）には、給水口ａ１６が設けられており、その給水口ａ１６には、貯湯タンク１１に例えば水道水などの水を供給する給水管ｈ１４が配設されている。
【００７４】
貯湯タンク１１の例えば側面には、貯湯タンク１１内の湯（即ちヒートポンプ熱源機９により加熱された高温の湯）または湯水（前記高温の湯よりも温度の低い中低温の湯または水）の温度を検出する複数の温度センサＴ１〜Ｔ５が、貯湯タンク１１の上部から下部に向かって互いに間隔を空けて配設されている。
【００７５】
ポンプＰ３は、貯湯タンク１１からの湯水をヒートポンプ熱源機９側に送出するものであり、配管ｈ５（より詳細には後述の配管ｈ５ｂ）に配設されている。
【００７６】
ヒートポンプ熱源機９は、流入口ａ７に流入する湯水を加熱しその加熱により得られる湯を出湯口ａ８から出湯する。ヒートポンプ熱源機９は、例えば、冷凍サイクルを利用して加熱を行うものであり、圧縮器９ａと、熱交換器９ｂと、膨張弁９ｃと、蒸発器９ｄとを備えている。
【００７７】
熱交換器９ｂは、流入口ａ１４から流入する加熱用媒体（以後、媒体と呼ぶ）を流出口ａ１５から流出すると共に流入口ａ７から流入する湯水を出湯口ａ８から流出し、その際、当該媒体と当該湯水との間で熱交換を行わせることで、当該媒体によって当該湯水を加熱する。
【００７８】
熱交換器９ｂの流入口ａ７は、配管ｈ５を介して貯湯タンク１１の吐出口ａ９に接続されており、熱交換器９ｂの出湯口ａ８は、配管ｈ６を介して貯湯タンク１１の入湯口ａ１０に接続されている。
【００７９】
尚、配管ｈ５は、例えば、複数（ここでは２つ）の配管ｈ５ａ，ｈ５ｂが分離自在に連通状に連結されて構成されており、配管ｈ５ａの一端口が流入口ａ７に接続され、配管ｈ５ｂの一端口が吐出口ａ９に接続され、後述の様に、各配管ｈ５ａ，ｈ５ｂの連結箇所Ｎ３に多機能ユニット１が介装状に接続可能になっている。また配管ｈ６も、例えば、複数（ここでは２つ）の配管ｈ６ａ，ｈ６ｂが分離自在に連通状に連結されて構成されており、配管ｈ６ａの一端口が出湯口ａ８に接続され、配管ｈ６ｂの一端口が入湯口ａ１０に接続され、後述の様に、各配管ｈ６ａ，ｈ６ｂの連結箇所Ｎ４に多機能ユニット１が介装状に接続可能になっている。
【００８０】
また圧縮器９ａと熱交換器９ｂの流入口ａ１４とは、配管ｈ８を介して互いに接続されている。また熱交換器９ｂの流出口ａ１５と膨張弁９ｃとは、配管ｈ９を介して互いに接続されている。また膨張弁９ｃと蒸発器９ｄとは、配管ｈ１０を介して互いに接続されている。また蒸発器９ｄと圧縮器９ａとは、配管ｈ１１を介して互いに接続されている。
【００８１】
このヒートポンプ熱源機９では、圧縮器９ａで、媒体が圧縮されて高温にされる。そして熱交換器９ｂで、その高温の媒体と流入口ａ７からの湯水との間で熱交換が行われて当該湯水が当該媒体により加熱され、出湯口ａ８からその加熱された湯水（高温の湯）が出湯され、流出口ａ１５からその媒体が流出される。そして膨張弁９ｃで、その媒体が膨張されて減圧され、蒸発器９ｄで、その減圧された媒体が周囲の熱を吸収して蒸発し、圧縮器９ａに送出される。そしてこのサイクルが繰り返されることで、熱交換器９ｂで、流入口ａ７から流入する湯水が所定の目標温度に加熱されて出湯口ａ８から出湯される。
【００８２】
多機能ユニット１は、給湯システム本体２に対し、暖房機能を付加するべく接続可能な多機能ユニットである。多機能ユニット１は、図１の様に、第１〜第６接続口ａ１〜ａ６と、第１〜第４流路ｈ１〜ｈ４と、熱交換器３と、調整弁５と、第１および第２ポンプＰ１，Ｐ２とを備えている。この多機能ユニット１は、暖房器７と接続可能になっている。
【００８３】
第１接続口ａ１は、熱交換器９ａの流入口ａ７からの配管ｈ５ａの一端口が接続可能な接続口である。第２接続口ａ２は、熱交換器９ａの出湯口ａ８からの配管ｈ６ａの一端口が接続可能な接続口である。第３接続口ａ３は、貯湯タンク１１の吐出口ａ９からの配管ｈ５ｂの一端口が接続可能な接続口である。第４接続口ａ４は、貯湯タンク１１の入湯口ａ１０からの配管ｈ６ｂの一端口が接続可能な接続口である。第５接続口ａ５は、暖房器７の吐出口ａ１１からの配管ｈ１２および流入口ａ１２からの配管ｈ１３のうちの一方の配管の一端口が接続可能な接続口である。第６接続口ａ６は、各配管ｈ１２１，ｈ１３のうちの他方の配管の一端口が接続可能な接続口である。尚、図１では、第５接続口ａ５は、配管ｈ１２の一端口と接続され、第６接続口ａ６は、配管ｈ１３の一端口と接続された場合が図示されている。
【００８４】
第１流路ｈ１は、第１接続口ａ１と第２接続口ａ２とを繋ぐ流路である。第２流路ｈ２は、第５接続口ａ５と第６接続口ａ６とを繋ぐ流路である。尚、各流路ｈ１，ｈ２には、後述の様に、熱交換器３が介装接続される。第３流路ｈ３は、第３接続口ａ３を、第１流路ｈ１における熱交換器３と第１接続口ａ１との間の部位Ｎ１に分岐状に繋ぐ流路である。以後、部位Ｎ１を分岐点Ｎ１と呼ぶ。第４流路ｈ４は、第４接続口ａ４を、第１流路ｈ１における熱交換器３と第２接続口ａ２との間の部位Ｎ２に分岐状に繋ぐ流路である。以後、部位Ｎ２を分岐点Ｎ２と呼ぶ。
【００８５】
熱交換器３は、各流路ｈ１，ｈ２の各々において介装接続されており、第１流路ｈ１を流れる液体（即ち熱交換器９ｂからの高温の媒体）と第２流路ｈ２を流れる流体（暖房器７からの暖房用液体）との間で熱交換を行わせて、第１流路ｈ１を流れる液体により第２流路ｈ２を流れる液体を加熱する。
【００８６】
調整弁５は、分岐点Ｎ１に配設されており、熱交換器側αの流れと貯湯タンク側βの流れとを所要の分流比に調整することで、熱交換器３から調整弁５を介して熱交換器９ｂに流れる湯の流量と、貯湯タンク１１から調整弁５を介して熱交換器９ｂに流れる湯水の流量とを制御する。尚、調整弁５は、分岐点Ｎ１の代わりに分岐点Ｎ２に配設されてもよい。この場合は、調整弁５は、熱交換器９ｂの出湯口ａ８から調整弁５（即ち分岐点Ｎ２）を介して熱交換器３に流れる湯の流量と、熱交換器９ｂの出湯口ａ８から調整弁５（即ち分岐点Ｎ２）を介して貯湯タンク１１に流れる湯の流量を制御する。
【００８７】
第１ポンプＰ１は、第２流路ｈ２（例えば第２流路ｈ２における第５接続口ａ５と熱交換器３との間の部分）に配設されており、第５接続口ａ５から流入する液体を第６接続口ａ６側に送出する。第２ポンプＰ２は、第１流路ｈ１における第１接続口ａ１と調整弁５との間の部分に配設されており、調整弁５からの湯水を第１接続口ａ１側に送出する。
【００８８】
暖房器７は、例えば、熱交換器３により加熱された暖房用液体を、所定の建物内の暖房対象の部屋の床の下側に配設された配管７ａに循環させることで、当該床を暖めるものである。暖房器７は、当該床の下側に配設された配管７ａと、配管７ａの一端口が接続された流入口ａ１１と、配管７ａの他端口が接続された流出口ａ１２とを備えている。
【００８９】
制御装置１３は、ヒートポンプ熱源機９、ポンプＰ３および多機能ユニット１を制御するものであり、図３の様に、第１および第２制御機能１３ａ，１３ｂと、操作入力部１３ｃと、接続部１３ｄと、残湯量検出部１３ｅと、切替スイッチ１３ｆとを備えている。尚、第１および第２制御機能１３ａ，１３ｂにより制御部が構成されている。
【００９０】
操作入力部１３ｃは、操作者から、多機能ユニット１の作動／停止のための操作入力を受け付けるものである。尚、操作入力部１３ｃは、給湯システム本体２に備えられているが、多機能ユニット１に備えられてもよい。接続部１３ｄは、多機能ユニット１（即ち第１ポンプＰ１、第２ポンプＰ２および調整弁５）からの各制御用配線の一端部が着脱自在（後付可能）に接続されるものである。それら各構成要素Ｐ１，Ｐ２，５の制御用配線が接続部１３ｄに接続されることで、それらの各構成要素は制御装置１３により制御可能になる。尚、上記の後付可能な接続の手段としては、例えば、前記各制御配線の一端部に棒状端子が接続され、接続部１３ｄに前記棒状端子が着脱自在に挿入可能な筒状端子が配設されても良く、または、前記各制御配線の一端部にＵ字端子が接続され、接続部１３ｄに前記Ｕ字端子を締結するビス等の締結部材が配設されても良い。尚、ヒートポンプ熱源機９およびポンプＰ３を制御するための各制御用配線は予め制御装置１３に接続されている。
【００９１】
残湯量検出部１３ｅは、各温度センサＴ１〜Ｔ５の検出温度に基づいて貯湯タンク１１内に貯湯される湯の量（残湯量）を検出する。例えば、残湯量検出部１３ｅは、各温度センサＴ１〜Ｔ３の検出温度が９０℃で各温度センサＴ４〜Ｔ５の検出温度が４０℃の場合は、貯湯タンク１１の残湯量は貯湯タンク１１の天井部から温度センサＴ３の位置までの量であると検出する。
【００９２】
第１制御機能１３ａは、ヒートポンプ熱源機９およびポンプＰ３（即ち給湯システム本体２側の構成要素）を制御する機能であり、第２制御機能１３ｂは、第１ポンプＰ１、第２ポンプＰ２および調整弁５（即ち多機能ユニット１側の構成要素）を制御する機能であり、切替スイッチ１３ｆは、例えば手動スイッチであって、第１および第２制御機能１３ａ，１３ｂのうち、第１制御機能１３ａだけを作動させるか、または第１および第２制御機能１３ａ，１３ｂの両方を作動させるかを切り替えるスイッチである。
【００９３】
より詳細には、図２の様に給湯システム本体２に多機能ユニット１が接続されていない場合において、切替スイッチ１３ｆにより第１制御機能１３ａだけが作動された場合は、第１制御機能１３ａは、残湯量検出部１３ｅの検出結果に応じて、ヒートポンプ熱源機９およびポンプＰ３を制御し、これにより貯湯タンク１１内の湯水の加熱を制御する。より詳細には、第１制御機能１３ａは、残湯量検出部１３ｅにより検出された残湯量が起動残湯量以下の場合は、ヒートポンプ熱源機９およびポンプＰ３を作動させる。これにより、図２において、貯湯タンク１１内の湯水がａ９→Ｐ３→ａ７→９ｂ→ａ８→ａ１０の順に循環して熱交換器９ｂで加熱され、これにより貯湯タンク１１内の湯水が加熱される。他方、第１制御機能１３ａは、残湯量検出部１３ｅにより検出された残湯量が停止残湯量以上の場合は、ヒートポンプ熱源機９およびポンプＰ３を停止させ、これにより貯湯タンク１１内の湯水の加熱が停止される。尚、前記停止残湯量は、前記起動残湯量よりも高く設定された値である。
【００９４】
他方、図１の様に給湯システム本体２に多機能ユニット１が接続された場合において、切替スイッチ１３ｆにより第１および第２制御機能１３ａ，１３ｂの両方が作動された場合は、残湯量検出部１３ｃの検出結果に応じて、第１制御機能１３ａがヒートポンプ熱源機９およびポンプＰ３を作動させると共に第２制御機能１３ｂが第２ポンプＰ２および制御弁５を制御し、これにより貯湯タンク１１内の湯水の加熱を制御する。より詳細には、残湯量検出部１３ｅにより検出された残湯量が起動残湯量以下の場合は、第１制御機能１３ａがヒートポンプ熱源機９およびポンプＰ３を作動させると共に、第２制御機能１３ｂが、第２ポンプＰ２を作動させ、且つ制御弁５を熱交換器側αが全閉となり貯湯タンク側βが全開となる様に制御する。これにより、図１において、貯湯タンク１１内の湯水がａ９→Ｐ３→５→Ｐ２→ａ７→９ｂ→ａ８→Ｎ２→ａ１０の順に循環して熱交換器９ｂで加熱され、これにより貯湯タンク１１内の湯水が加熱される。他方、残湯量検出部１３ｅにより検出された残湯量が停止残湯量以上の場合は、第１制御機能１３ａがヒートポンプ熱源機９およびポンプＰ３を停止させる共に第２制御機能１３ｂが第２ポンプＰ２を停止させ、これにより貯湯タンク１１内の湯水の加熱が停止される。
【００９５】
また、図１の様に給湯システム本体２に多機能ユニット１が接続された場合において、操作入力部１３ｃへの暖房操作の入力に応じて、第１制御機能１３ａがヒートポンプ熱源機９を制御すると共に第２制御機能１３ｂが第１、第２ポンプＰ１，Ｐ２および調整弁５を制御し、これにより暖房器７を制御する。より詳細には、操作入力部１３ｃに暖房開始の指示が入力されると、第１制御機能１３ａがヒートポンプ熱源機９を作動させ且つポンプＰ３を停止させると共に、第２制御機能１３ｂが、第１、第２ポンプＰ１，Ｐ２を作動させ、且つ調整弁５を熱交換器側αの流れが確保される分流比に制御する（例えば熱交換器側αが全開となり貯湯タンク側βが全閉となる様に制御する）。これにより、熱交換器３内の湯水が３→５→Ｐ２→ａ７→９ｂ→ａ８→Ｎ２→３の順に循環して熱交換器９ｂで加熱されると共に、暖房器７の暖房用液体が７ａ→ａ１１→ａ５→Ｐ１→３→ａ６→ａ１２→７ａの順に循環し、熱交換器３において前記加熱された湯水により前記暖房用液体が加熱され、その加熱された暖房用液体が配管７ａを循環し、これにより暖房器７が暖房を行う。他方、操作入力部１３ｃに暖房停止の指示が入力されると、第１制御機能１３ａがヒートポンプ熱源機９を停止させると共に第２制御機能１３ｂが第１および第２ポンプＰ１，Ｐ２を停止させ、これにより暖房器７が停止される。
【００９６】
尚、調整弁５は、貯湯タンク１１内の湯水が加熱される場合（前者）と暖房器７が暖房を行われる場合（後者）のうち、前者だけが実施される場合は、熱交換器側αが全閉にされ且つ貯湯タンク側βが全開にされ、後者だけが実施される場合は、熱交換器側αが全開にされ且つ貯湯タンク側βが全閉にされ、前者と後者の両方が実施される場合は、熱交換器側αおよび貯湯タンク側βの両方での流れが確保される様に調整弁５が所定の分流比に制御される。
【００９７】
また暖房器７による暖房の温度を調整する場合は、操作入力部１３ｃに所望の暖房温度を設定入力すると、第２制御機能１３ｂが、その設定入力された暖房温度に応じて第１ポンプＰ１の排出量を制御し、これにより暖房器７の暖房の温度が調整される。
【００９８】
以降、説明便宜上、図２の様に給湯システム本体２に多機能ユニット１が接続されない態様を第１態様と呼び、図１の様に給湯システム本体２に多機能ユニット１が接続された態様を第２態様と呼ぶ。
【００９９】
次に、第１態様への設定の仕方、および第１態様から第２態様への設定変更の仕方を説明する。
【０１００】
まず第１態様に設定するには、図２の様に、配管ｈ５により、貯湯タンク１１の吐出口ａ９と熱交換器９ｂの流入口ａ７とが接続され、且つ配管ｈ６により、貯湯タンク１１の入湯口ａ１０と熱交換器９ｂの出湯口ａ８とが接続される。そして切替スイッチ１３ｆが、第１および第２制御機能１３ａ，１３ｂのうち第１制御機能１３ａだけが作動する様に切り替えられる。これにより、上記の様に、制御装置１３により、各温度センサＴ１〜Ｔ５の検出結果に応じてヒートポンプ熱源機９およびポンプＰ３が制御されることで、貯湯タンク１１の残湯量に応じて貯湯タンク１１内の湯水が加熱される。
【０１０１】
次に第１態様から第２態様に変更するには、図１の様に、各配管ｈ５ａ，ｈ５ｂの連結箇所Ｎ３（図２）において、多機能ユニットの第１接続口ａ１が配管ｈ５ａ（即ち流入口７ａ側）に接続されると共に多機能ユニットの第１接続口ａ３が配管ｈ５ｂ（即ち吐出口ａ９側）に接続される様に、多機能ユニット１が介装接続され、且つ各配管ｈ６ａ，ｈ６ｂの連結箇所Ｎ４（図２）において、多機能ユニットの第２接続口ａ２が配管ｈ６ａ（即ち出湯口ａ８側）に接続されると共に多機能ユニットの第４接続口ａ４が配管ｈ６ｂ（即ち入湯口ａ１０側）に接続される様に、多機能ユニット１が介装接続される。そして、多機能ユニット１の第１，第２ポンプＰ１，Ｐ２および調整弁５の各制御用配線が制御装置１３の接続部１３ｄに接続される。そして切替スイッチ１３ｆが、第１および第２制御機能１３ａ，１３ｂの両方が作動する様に切り替えられる。また多機能ユニット１の第５接続口ａ５に、暖房器７の流入口ａ１２および流出口ａ１３にそれぞれ接続された各配管ｈ１２，ｈ１３の一方（図１では配管ｈ１２）が接続され、多機能ユニット１の第６接続口ａ６に各配管ｈ１２，ｈ１３の他方（図１では配管ｈ１３）が接続される。
【０１０２】
これにより、上記の様に、制御装置１３により、各温度センサＴ１〜Ｔ５の検出結果および操作入力部１３ｃへの暖房操作の入力に応じてヒートポンプ熱源機９、ポンプＰ３および多機能ユニット１が制御されることで、貯湯タンク１１の残湯量に応じて貯湯タンク１１内の湯水が加熱されると共に操作入力部１３ｃの暖房操作に応じて暖房器７が制御される。
【０１０３】
以上の様に構成された給湯システム１００によれば、第１および第２接続口ａ１，ａ２に給湯システム本体２のヒートポンプ熱源機９の出湯口ａ８および流入口ａ７を繋げ、第５および第６接続口ａ５，ａ６に暖房器７の暖房用流体用の吐出口ａ１１および流入口ａ１２を繋げ、第３および第４接続口ａ３，ａ４に給湯システム本体２の貯湯タンク１１の吐出口ａ９および入湯口ａ１０を繋げることで、給湯システム本体２に対して多機能ユニット１を後付できる。
【０１０４】
また給湯システム１００によれば、多機能ユニット１を後付できる給湯システムを提供できる。
【０１０５】
またポンプＰ３があるので、第５流路ｈ５に多機能ユニット１が介装接続された場合でも、貯湯タンク１１内の湯水を安定的にヒートポンプ熱源機９側に送出できる。
【０１０６】
また給湯システム本体２の制御装置１３に多機能ユニット１用の第２制御機能１３ｂが備えられるので、多機能ユニット１に制御装置を備える必要が無くなる。
【０１０７】
また給湯システム本体２に多機能ユニット１が接続される場合だけ、制御装置１３において第２制御機能１３ｂが作動するので、給湯システム本体２に多機能ユニット１が接続されない場合において制御装置１３の動作負担を軽減できる。
【０１０８】
＜第２実施形態＞
第１実施形態では、給湯システム本体２だけに制御装置１３が備えられたが、この実施形態では、第１実施形態において、給湯システム本体２および多機能ユニット１の各々に制御装置を備える様にしたものである。以下、第１実施形態と同じ部分は同一符号を付して説明を省略し、異なる部分を中心に説明する。
【０１０９】
この実施形態に係る給湯システム１００Ｂでは、図１および図４の様に、給湯システム本体２は第１制御装置１３Ｂ（第１制御手段）を備え、多機能ユニット１は第２制御装置１７Ｂ（第２制御手段）を備えている。
【０１１０】
第１制御装置１３Ｂは、第１制御機能１３ａＢと、第２制御機能１３ｂＢと、操作入力部１３ｃと、接続部１３ｄＢと、残湯量検出部１３ｅと、切替スイッチ１３ｆとを備えている。尚、各構成要素１３ｃ，１３ｅ，１３ｆは、第１実施形態の場合と同じである。また第１および第２制御機能１３ａＢ，１３ｂＢにより制御部が構成されている。
【０１１１】
接続部１３ｄＢは、第１ポンプＰ１、第２ポンプＰ２、調整弁５および第２制御装置１７からの各制御用配線の一端部が後付可能（着脱自在）に接続されるものである。尚、上記の後付可能な接続の手段としては、第１実施形態と同じである。
【０１１２】
第１制御機能１３ａＢは、ヒートポンプ熱源機（加熱手段）９およびポンプＰ３（第３ポンプ）を制御する機能（即ち第１実施形態の第１制御機能１３ａと同じ機能）である。また第２制御機能１３ｂＢは、第２制御装置１７Ｂを介して第２ポンプＰ２および調整弁５を制御すると共に、第２制御装置１７Ｂからの制御に応じて、直接にまたは第１制御機能１３ａＢを介してヒートポンプ熱源機９を制御する機能である。また切替スイッチ１３ｆは、例えば手動スイッチであって、第１および第２制御機能１３ａＢ，１３ｂＢのうち、第１制御機能１３ａＢだけを作動させるか、または第１および第２制御機能１３ａＢ，１３ｂＢの両方を作動させるかを切り替えるスイッチである。
【０１１３】
第２制御装置１７Ｂは、第１ポンプＰ１、第２ポンプＰ２および調整弁５を制御すると共に、第１制御装置１３Ｂの第２制御手段１３ｂＢを介してヒートポンプ熱源機９を制御する。
【０１１４】
この実施形態では、図２の様に給湯システム本体２に多機能ユニット１が接続されていない場合において、切替スイッチ１３ｆにより第１制御機能１３ａＢだけが作動された場合は、第１制御機能１３ａＢが、第１実施形態の場合と同様に、残湯量検出部１３ｅの検出結果に応じてヒートポンプ熱源機９およびポンプＰ３を制御することで、貯湯タンク１１内の湯水の加熱が制御される。
【０１１５】
他方、図１の様に給湯システム本体２に多機能ユニット１が接続された場合において、切替スイッチ１３ｆにより第１および第２制御機能１３ａＢ，１３ｂＢの両方が作動された場合は、残湯量検出部１３ｃの検出結果に応じて、第１制御機能１３ａＢがヒートポンプ熱源機９およびポンプＰ３を制御すると共に第２制御機能１３ｂＢが第２制御装置１７を介して第２ポンプＰ２および制御弁５を制御することで、第１実施形態の場合と同様に、貯湯タンク１１内の湯水の加熱が制御される。
【０１１６】
また、図１の様に給湯システム本体２に多機能ユニット１が接続された場合において、操作入力部１３ｃへの暖房操作の入力に応じて、第２制御装置１７Ｂが、第１ポンプＰ１、第２ポンプＰ２および調整弁５を制御すると共に第１制御装置１３Ｂの第２制御機能１３ｂＢを介してヒートポンプ熱源機９を制御することで、第１実施形態の場合と同様に、暖房器７が制御される。
【０１１７】
以上の様に構成された給湯システム１００Ｂによれば、多機能ユニット１に第２制御装置１７Ｂが備えられ、多機能ユニット１の動作は第２制御装置１７Ｂによって主体的に制御されるので、給湯システム本体２の第１制御装置１３Ｂにおいて多機能ユニット１を制御する負担を軽減できる。
【０１１８】
＜第３実施形態＞
第２実施形態では、給湯システム本体２の第１制御装置１３Ｂに備えられた第２制御機能１３ｂＢにより、給湯システム本体２の動作と多機能ユニット１の動作とが協調されたが、この実施形態では、図５の様に、多機能ユニット１の第２制御装置１７Ｃが、給湯システム本体２の制御部１３ａＣからヒートポンプ熱源機９に出力される制御信号ｓ１の内容を変更することで、給湯システム本体２の動作と多機能ユニット１の動作とが協調される。以下、第１実施形態と同じ部分は同一符号を付して説明を省略し、異なる部分を中心に説明する。
【０１１９】
この実施形態に係る給湯システム１００Ｃでは、図１および図５の様に、給湯システム本体２は第１制御装置１３Ｃ（第１制御手段）を備え、多機能ユニット１は第２制御装置１７Ｃ（第２制御手段）を備えている。
【０１２０】
第１制御装置１３Ｃは、制御部１３ａＣと、操作入力部１３ｃと、残湯量検出部１３ｅとを備えている。尚、各構成要素１３ｃ，１３ｅは、第１実施形態の場合と同じである。尚、操作入力部１３ｃは、第２制御装置１７Ｃと配線接続されている。尚、操作装置１３ｃは、第２制御装置１７Ｃに配設されてもよい。
【０１２１】
制御部１３ａＣは、第１実施形態の場合と同様に、残湯量検出部１３ｅの検出結果に応じてヒートポンプ熱源機（加熱手段）９およびポンプＰ３（第３ポンプ）を制御することで、貯湯タンク１１内の湯水を目標温度に加熱する。ここでは、貯湯タンク１１内の湯水を目標温度に加熱する際は、制御部１３ａＣは、ヒートポンプ熱源機９に制御信号ｓ１（加熱手段用制御信号）を出力してヒートポンプ熱源機９を制御信号ｓ１で指定される加熱能力で作動させると共に、ポンプ（第３ポンプ）Ｐ３に制御信号ｓ２（ポンプ用制御信号）を出力してポンプＰ３を所定の排出量で作動させる。即ち制御部１３ａＣは、ポンプＰ３の排出量を一定にし、ヒートポンプ熱源機９の加熱能力を調整することで、貯湯タンク１１内の湯水を目標温度に加熱する。また制御部１３ａＣは、ヒートポンプ熱源機９に制御信号ｓ１を出力してヒートポンプ熱源機９を停止させ、且つポンプＰ３に制御信号ｓ２を出力してポンプＰ３を停止させることで、貯湯タンク１１内の湯水の加熱を停止させる。
【０１２２】
第２制御装置１７Ｃは、操作入力部１３ｃへの暖房操作の入力に応じて、第１ポンプＰ１、第２ポンプＰ２および調整弁５を制御することで、暖房器７を制御する。より詳細には、第２制御装置１７Ｃは、図１の様に給湯システム本体２に多機能ユニット１が接続された場合（即ち多機能ユニット１が第５流路ｈ５におけるヒートポンプ熱源機９とポンプＰ３との間の部分に介装接続されると共に第６流路ｈ６に介装接続された場合）において、図５の様に、制御部１３ａＣからヒートポンプ熱源機９に出力される制御信号ｓ１を中継すると共に、図６の様に、第１ポンプＰ１、第２ポンプＰ２および調整弁５を制御する。
【０１２３】
即ちステップＳ１で、第２制御装置１７Ｃは、その中継する制御信号ｓ１に基づいて、ヒートポンプ熱源機９の作動中（即ち貯湯タンク１１内の湯水の加熱中）であるか否かを判断する。その判断の結果、ヒートポンプ熱源機９の作動中である場合は、処理はステップＳ２に進み、ヒートポンプ熱源機９の作動中でない（即ち停止中である）場合は、処理はステップＳ７に進む。
【０１２４】
ステップＳ２では、第２制御装置１７Ｃは、操作入力部１３ｃへの暖房開始の指示の入力の有無を確認する。その確認の結果、操作入力部１３ｃへの暖房開始の指示の入力が無い場合は、処理はステップＳ３に進み、操作入力部１３ｃへの暖房開始の指示の入力が有る場合は、処理はステップＳ２−２に進む。
【０１２５】
ステップＳ３では、第２制御装置１７Ｃは、貯湯タンク１１内の湯水の加熱が行われ且つ暖房器７が作動しない様に、その中継する制御信号ｓ１をその内容を変更せずに中継し（この場合、制御信号ｓ１ヒートポンプ熱源機９を作動させる内容なので、制御信号ｓ１の内容を変更しなければヒートポンプ熱源機９は作動される。）、且つ第１ポンプＰ１を停止させ、且つ第２ポンプＰ２を所定の排出量（即ちポンプＰ３の排出量と同じ排出量）で作動させ、且つ調整弁５を、熱交換器側αが全閉になり貯湯タンク側βが全開になる様に制御する。これにより、熱交換器３は機能せず（従って暖房器７は作動せず）、貯湯タンク１１内の湯水がａ９→Ｐ３→５→Ｐ２→ａ７→９ｂ→ａ８→Ｎ２→ａ１０→１１の順に循環してヒートポンプ熱源機９で加熱されて、貯湯タンク１１内の湯水が加熱される。そして処理がステップＳ１に戻る。
【０１２６】
ステップＳ２−２では、暖房開始の指示を受けて、第２制御装置１７Ｃが暖房のための制御を行った場合は、処理がステップＳ５に進み、第２制御装置１７Ｃが暖房のための制御を行っていない場合は、処理がステップＳ４に進む。
【０１２７】
ステップＳ４では、第２制御装置１７Ｃは、貯湯タンク１１内の湯水の加熱が行われ且つ暖房器７が作動する様に、（ａ）その中継する制御信号ｓ１で指定される加熱能力をより高い加熱能力（例えば第２ポンプＰ２の排出量の湯水を目標温度に加熱できる加熱能力）に変更して中継し、且つ（ｂ）第２ポンプＰ２を前記所定の排出量（即ちポンプＰ３の排出量）よりも大きい排出量で作動させ、且つ（ｃ）調整弁５を熱交換器側αおよび貯湯タンク側βの両方の流れが確保される分流比に制御し、且つ（ｄ）第１ポンプＰ１を作動させる。
【０１２８】
これにより、貯湯タンク１１内の湯水がａ９→Ｐ３→５→Ｐ２→ａ７→９ｂ→ａ８→Ｎ２→ａ１０→１１の順に循環してヒートポンプ熱源機９で加熱されて、貯湯タンク１１内の湯水が加熱される。これに併行して、熱交換器３内の湯水が５→Ｐ２→ａ７→９ｂ→ａ８→Ｎ２→３の順に循環してヒートポンプ熱源機９ｂで加熱されると共に、暖房器７の暖房用液体が７ａ→ａ１１→ａ５→Ｐ１→３→ａ６→ａ１２→７ａの順で循環し、熱交換器３において、当該暖房用液体がヒートポンプ熱源機９により加熱された当該湯水により加熱され、暖房器７において、その加熱された暖房用液体が配管７ａを循環して暖房が行われる。そして処理はステップＳ５に進む。
【０１２９】
尚、上記（ｂ）の様に、第２ポンプＰ２がポンプＰ３の排出量よりも大きい排出量で作動されることで、調整弁５において、熱交換器側αおよび貯湯タンク側βの両方の流れが無理なく確保される。また上記（ａ）の様に、制御信号ｓ１で指定される加熱能力がより高い加熱能力に変更されることで、ヒートポンプ熱源機９の流入口ａ７に流入する湯水の量が、ポンプＰ３の排出量よりも大きな排出量（即ち第２ポンプＰ２の排出量）に変化しても、ヒートポンプ熱源機９の出湯口ａ８からの湯の温度を目標温度に維持される。
【０１３０】
尚、上記（ａ）では、この実施形態ではヒートポンプ熱源機９の加熱能力が調整可能であるので、制御信号ｓ１で指定される加熱能力が変更されたが、ヒートポンプ熱源機９の加熱能力が調整でない場合、または暖房器７の作動によりヒートポンプ熱源機９の出湯口ａ８から出湯する湯の目標温度が低下してもよい場合は、制御信号ｓ１で指定される加熱能力は変更されなくてもよい。
【０１３１】
ステップＳ５では、第２制御装置１７Ｃは、操作入力部１３ｃへの暖房停止の指示の有無を確認する。その確認の結果、操作入力部１３ｃへの暖房停止の指示の入力が無い場合は、処理がステップＳ１に戻り、操作入力部１３ｃへの暖房停止の指示の入力が有る場合は、処理がステップＳ３に進む。
【０１３２】
またステップＳ７では、第２制御装置１７Ｃは、操作入力部１３ｃへの暖房開始の指示の入力の有無を確認する。その確認の結果、操作入力部１３ｃへの暖房開始の指示の入力が無い場合は、処理はステップＳ１に戻り、操作入力部１３ｃへの暖房開始の指示の入力が有る場合は、処理はステップＳ７−２に進む。
【０１３３】
ステップＳ７−２では、暖房開始の指示を受けて、第２制御装置１７Ｃが暖房のための制御を行った場合は、処理がステップＳ９に進み、第２制御装置１７Ｃが暖房のための制御を行っていない場合は、処理がステップＳ８に進む。
【０１３４】
ステップＳ８では、第２制御装置１７Ｃは、貯湯タンク１１内の湯水の加熱が停止され且つ暖房器７が作動する様に、その中継する制御信号ｓ１をヒートポンプ熱源機９が作動する内容に変更して中継し、且つ第１および第２ポンプＰ１，Ｐ２を作動させ、且つ調整弁５を熱交換器側αの流れが確保される分流比に制御する（例えば熱交換器側αが全開になり貯湯タンク側βが全閉になる様に制御する）。
【０１３５】
これにより、熱交換器３内の湯水が５→Ｐ２→ａ７→９ｂ→ａ８→Ｎ２→３の順に循環してヒートポンプ熱源機９ｂで加熱されると共に、暖房器７の暖房用液体が７ａ→ａ１１→ａ５→Ｐ１→３→ａ６→ａ１２→７ａの順で循環することで、暖房器７により暖房が行われる。そして処理がステップＳ９に進む。
【０１３６】
ステップＳ９では、第２制御装置１７Ｃは、操作入力部１３ｃへの暖房停止の指示の入力の有無を確認する。その確認の結果、操作入力部１３ｃへの暖房停止の指示の入力が無い場合は、処理がステップＳ１に戻り、操作入力部１３ｃへの暖房停止の指示の入力が有る場合は、処理がステップＳ１０に進む。
【０１３７】
ステップＳ１０では、第２制御装置１７Ｃは、貯湯タンク１１内の湯水の加熱が停止され且つ暖房器７が停止される様に、その中継する制御信号ｓ１をその内容を変更せずに中継し、且つ第１および第２ポンプＰ１，Ｐ２を停止させる。そして処理がステップＳ１も戻る。
【０１３８】
以上の様に構成された給湯システム１００Ｃによれば、多機能ユニット１において制御信号ｓ１の内容を変更することで、多機能ユニット１の動作と給湯システム本体２の動作とを協調させるので、給湯システム本体２に多機能ユニット１を接続するにあたり、給湯システム本体２の第１制御装置１３Ｃを設計変更すること無くそのまま使用できる。
【０１３９】
＜第４実施形態＞
第３実施形態では、ヒートポンプ熱源機９の出湯口ａ８から出湯する湯の温度の調整は、ポンプＰ３の排出量が一定にされ、ヒートポンプ熱源機９の加熱能力が調整されることで行われる場合で説明したが、この実施形態では、ヒートポンプ熱源機９の加熱能力が一定にされ、ポンプＰ３の排出量が調整される場合で説明し、且つ多機能ユニット１において、制御信号ｓ１だけでなく制御信号ｓ２も中継する様にしたものである。以下、第３実施形態と同じ部分は同一符号を付して説明を省略し、異なる部分を中心に説明する。
【０１４０】
この実施形態に係る給湯システム１００Ｄでは、図１および図７の様に、給湯システム本体２は第１制御装置１３Ｄ（第１制御手段）を備え、多機能ユニット１は第２制御装置１７Ｄ（第２制御手段）を備えている。
【０１４１】
第１制御装置１３Ｄは、制御部１３ａＤと、操作入力部１３ｃと、残湯量検出部１３ｅとを備えている。
【０１４２】
制御部１３ａＤは、第３実施形態の場合と同様に、残湯量検出部１３ｅの検出結果に応じてヒートポンプ熱源機（加熱手段）９およびポンプＰ３（第３ポンプ）を制御することで、貯湯タンク１１内の湯水を目標温度に加熱する。ここでは、貯湯タンク１１内の湯水を目標温度に加熱する際は、制御部１３ａＤは、ポンプＰ３に制御信号ｓ２（ポンプ用制御信号）を出力してポンプＰ３を制御信号ｓ２で指定される排出量で作動させると共に、ヒートポンプ熱源機９に制御信号ｓ１（加熱手段用制御信号）を出力してヒートポンプ熱源機９を所定の加熱能力（即ち一定の加熱能力）で作動させる。即ち制御部１３ａＤは、ヒートポンプ熱源機９の加熱能力を一定にし、ポンプＰ３の排出量を調整することで、貯湯タンク１１内の湯水を目標温度に加熱する。また制御部１３ａＤは、ポンプＰ３に制御信号ｓ２を出力してポンプＰ３を停止させると共に、ヒートポンプ熱源機９に制御信号ｓ１を出力してヒートポンプ熱源機９を停止させることで、貯湯タンク１１内の湯水の加熱を停止させる。
【０１４３】
第２制御装置１７Ｄは、操作入力部１３ｃへの暖房操作の入力に応じて、第１ポンプＰ１、第２ポンプＰ２および調整弁５を制御することで、暖房器７を制御する。
【０１４４】
より詳細には、第２制御装置１７Ｄは、図１の様に給湯システム本体２に多機能ユニット１が接続された場合（即ち多機能ユニット１が第５流路ｈ５におけるヒートポンプ熱源機９とポンプＰ３との間の部分に介装接続されると共に第６流路ｈ６に介装接続された場合）において、図７の様に、制御部１３ａＤからヒートポンプ熱源機９に出力される制御信号ｓおよび制御部１３ａＤからポンプＰ３に出力される制御信号ｓ２を中継すると共に、図８の様に、第１ポンプＰ１、第２ポンプＰ２および調整弁５を制御する。
【０１４５】
即ちステップＴ１で、第２制御装置１７Ｄは、その中継する制御信号ｓ１に基づいて、ヒートポンプ熱源機９の作動中（即ち貯湯タンク１１内の湯水の加熱中）であるか停止中であるかを判断する。尚、制御部１３ａＤによりヒートポンプ熱源機９とポンプＰ３とは連動されるので、制御信号ｓ１に基づいてヒートポンプ熱源機９の作動中であるか否かを判断する代わりに、制御信号ｓ２に基づいてポンプＰ３の作動中であるか否かを判断してもよい。その判断の結果、ヒートポンプ熱源機９の作動中である場合は、処理はステップＴ２に進み、ヒートポンプ熱源機９の停止中である場合は、処理はステップＴ７に進む。
【０１４６】
ステップＴ２では、第２制御装置１７Ｄは、操作入力部１３ｃへの暖房開始の指示の入力の有無を確認する。その確認の結果、操作入力部１３ｃへの暖房開始の指示の入力が無い場合は、処理はステップＴ３に進み、操作入力部１３ｃへの暖房開始の指示の入力が有る場合は、処理はステップＴ２−２に進む。
【０１４７】
ステップＴ３では、第２制御装置１７Ｄは、貯湯タンク１１内の湯水の加熱が行われ且つ暖房器７が作動しない様に、その中継する各制御信号ｓ１，ｓ２をその内容を変更せずにヒートポンプ熱源機９，ポンプＰ３に中継し、且つ第１ポンプＰ１を停止させ、且つ第２ポンプＰ２を制御信号ｓ２で指定される排出量（即ちポンプＰ３の排出量と同じ排出量）で作動させ、且つ調整弁５を、熱交換器側αが全閉になり貯湯タンク側βが全開になる様に制御する。これにより、暖房器７は作動せず、貯湯タンク１１内の湯水がａ９→Ｐ３→５→Ｐ２→ａ７→９ｂ→ａ８→Ｎ２→ａ１０→１１の順に循環してヒートポンプ熱源機９で加熱されて、貯湯タンク１１内の湯水が加熱される。そして処理がステップＴ１に戻る。
【０１４８】
ステップＴ２−２では、暖房開始の指示を受けて、第２制御装置１７Ｄが暖房のための制御を行った場合は、処理がステップＴ５に進み、第２制御装置１７Ｄが暖房のための制御を行っていない場合は、処理がステップＴ４に進む。
【０１４９】
ステップＴ４では、第２制御装置１７Ｄは、貯湯タンク１１内の湯水の加熱が行われ且つ暖房器７が作動する様に、（ａ２）その中継する制御信号ｓ１をその内容を変更せずに中継すると共にその中継する制御信号ｓ２をそれで指定される排出量をより小さい排出量に変更して中継し、（ｂ２）その中継する制御信号ｓ２（（ａ２）の変更前の制御信号ｓ２）で指定される排出量で第２ポンプＰ２を作動させ、且つ（ｃ２）調整弁５を熱交換器側αおよび貯湯タンク側βの両方の流れが確保される所定の分流比に制御し、且つ（ｄ２）第１ポンプＰ１を作動させる。
【０１５０】
これにより、貯湯タンク１１内の湯水がａ９→Ｐ３→５→Ｐ２→ａ７→９ｂ→ａ８→Ｎ２→ａ１０→１１の順に循環してヒートポンプ熱源機９で加熱されて、貯湯タンク１１内の湯水が加熱される。これに併行して、熱交換器３内の湯水が５→Ｐ２→ａ７→９ｂ→ａ８→Ｎ２→３の順に循環してヒートポンプ熱源機９ｂで加熱されると共に、暖房器７の暖房用液体が７ａ→ａ１１→ａ５→Ｐ１→３→ａ６→ａ１２→７ａの順で循環して、暖房器７により暖房が行われる。
【０１５１】
尚、上記（ａ２）（ｂ２）の様に、第２ポンプＰ２が制御信号ｓ２で指定される排出量で作動されると共に、ポンプＰ３が制御信号ｓ２で指定される排出量よりも小さい排出量で作動されることで、調整弁５において、熱交換器側αおよび貯湯タンク側βの両方の流れが無理なく確保される。その際、第２ポンプＰ２が制御信号ｓ２で指定される排出量で作動されることで、貯湯タンク１１内の湯水のａ９→Ｐ３→５→Ｐ２→ａ７→９ｂ→ａ８→Ｎ２→ａ１０→１１の循環に加えて、熱交換器３内の湯水の５→Ｐ２→ａ７→９ｂ→ａ８→Ｎ２→３の循環が加わってもヒートポンプ熱源機９の出湯口ａ８からの湯の温度を目標温度に維持される。
【０１５２】
尚、ヒートポンプ熱源機９の出湯口ａ８から出湯する湯の温度が目標温度よりも低下してよい場合、またはこの実施形態ではポンプＰ３の排出量は調整可能であるが、ポンプＰ３の排出量が調整できない実施形態を想定する場合は、第２制御装置１７Ｄに、上記（ａ２）で、その中継する制御信号ｓ２を変更せずにポンプＰ２に中継させ、上記（ｂ２）で、第２ポンプＰ２をポンプＰ２の排出量よりも大きい排出量で作動させてもよい。これらの場合も、目標温度は低下するが、貯湯タンク１１内の湯水の加熱と、暖房器７による暖房とが行われる。
【０１５３】
ステップＴ５では、第２制御装置１７Ｄは、操作入力部１３ｃへの暖房停止の指示の入力の有無を確認する。その確認の結果、操作入力部１３ｃへの暖房停止の指示の入力が無い場合は、処理がステップＴ１に戻り、操作入力部１３ｃへの暖房停止の指示の入力が有る場合は、処理がステップＴ３に進む。
【０１５４】
またステップＴ７では、第２制御装置１７Ｄは、操作入力部１３ｃへの暖房開始の指示の入力の有無を確認する。その確認の結果、操作入力部１３ｃへの暖房開始の指示の入力が無い場合は、処理はステップＴ１に戻り、操作入力部１３ｃへの暖房開始の指示の入力が有る場合は、処理はステップＴ７−２に進む。
【０１５５】
ステップＴ７−２では、暖房開始の指示を受けて、第２制御装置１７Ｄが暖房のための制御を行った場合は、処理がステップＴ９に進み、第２制御装置１７Ｄが暖房のための制御を行っていない場合は、処理がステップＴ８に進む。
【０１５６】
ステップＴ８では、第２制御装置１７Ｄは、貯湯タンク１１内の湯水の加熱が停止され且つ暖房器７が作動する様に、その中継する制御信号ｓ１の内容をヒートポンプ熱源機９が作動する内容に変更してヒートポンプ熱源機９に中継すると共にその中継する制御信号ｓ２をその内容を変更せずにポンプＰ３に中継し（この場合は、制御信号ｓ２の内容はポンプＰ３を停止させる内容なので、制御信号ｓ２を変更せずにポンプＰ３に中継すればポンプＰ３は停止される。）、且つ調整弁５を熱交換器側αの流れが確保される分流比に制御し（例えば熱交換器側αが全開になり貯湯タンク側βが全閉になる様に制御し）、且つ第１および第２ポンプＰ１，Ｐ２を作動させる。
【０１５７】
これにより、熱交換器３内の湯水が５→Ｐ２→ａ７→９ｂ→ａ８→Ｎ２→３の順に循環してヒートポンプ熱源機９ｂで加熱されると共に、暖房器７の暖房用液体が７ａ→ａ１１→ａ５→Ｐ１→３→ａ６→ａ１２→７ａの順で循環することで、暖房器７により暖房が行われる。そして処理がステップＴ９に進む。
【０１５８】
ステップＴ９では、第２制御装置１７Ｄは、操作入力部１３ｃへの暖房停止の指示の入力の有無を確認する。その確認の結果、操作入力部１３ｃへの暖房停止の指示の入力が無い場合は、処理がステップＴ１に戻り、操作入力部１３ｃへの暖房停止の指示の入力が有る場合は、処理がステップＴ１０に進む。
【０１５９】
ステップＴ１０では、第２制御装置１７Ｄは、貯湯タンク１１内の湯水の加熱が停止され且つ暖房器７が停止される様に、その中継する各制御信号ｓ１，ｓ２をそれらの内容を変更せずに中継し（この場合は、各制御信号ｓ１，ｓ２の内容はそれぞれヒートポンプ熱源機９，ポンプＰ３を停止させる内容なので、各制御信号ｓ１，ｓ２をその内容を変更せずに中継すれば、ヒートポンプ熱源機９およびポンプＰ３は停止される。）、且つ第１ポンプＰ１および第２ポンプＰ２を停止させる。そして処理がステップＳ１も戻る。
【０１６０】
以上の様に構成された給湯システム１００Ｄによれば、多機能ユニット１において各制御信号ｓ１，ｓ２の内容を変更することで、多機能ユニット１の動作と給湯システム本体２の動作とを協調させるので、給湯システム本体２に多機能ユニット１を接続するにあたり、給湯システム本体２の第１制御装置１３Ｄを設計変更すること無くそのまま使用できる。
【０１６１】
＜第５実施形態＞
第３実施形態では、多機能ユニット１の第２制御装置１７Ｃが、制御部１３ａＣからヒートポンプ熱源機９に出力される制御信号ｓ１の内容を変更することで、多機能ユニット１の動作と給湯システム本体２の動作とが協調されたが、この実施形態では、図９の様に、多機能ユニット１の第２制御装置１７Ｅが、温度センサＴ１〜Ｔ５から制御部１３ａＥに出力される検出信号ｓ３の内容を変更することで、多機能ユニット１の動作と給湯システム本体２の動作が協調される。以下、第３実施形態と同じ部分は同一符号を付して説明を省略し、異なる部分を中心に説明する。
【０１６２】
この実施形態に係る給湯システム１００Ｅでは、図１および図９の様に、給湯システム本体２は第１制御装置１３Ｅ（第１制御手段）を備え、多機能ユニット１は第２制御装置１７Ｅ（第２制御手段）を備えている。
【０１６３】
第１制御装置１３Ｅは、制御部１３ａＥと、操作入力部１３ｃと、残湯量検出部１３ｅＥとを備えている。尚、操作入力部１３ｃは、第１実施形態の場合と同じである。
【０１６４】
残湯量検出部１３ｅＥは、定期的に各温度センサＴ１〜Ｔ５からの検出信号ｓ３を取得し、それら各検出信号ｓ３に基づいて貯湯タンク１１の残湯量を検出し、その残湯量が起動残湯量以下であるか否か、および停止残湯量以上であるか否かを検出する。
【０１６５】
制御部１３ａＥは、残湯量検出部１３ｅＥの検出の結果、残湯量が起動残湯量以下である場合は、ヒートポンプ熱源機（加熱手段）９およびポンプＰ３（第３ポンプ）を作動させて、貯湯タンク１１内の湯水を目標温度に加熱する。ここでは、ポンプＰ３は所定の排出量（即ち一定の排出量）で作動され、ヒートポンプ熱源機９が検出信号ｓ３の内容に応じた加熱能力で作動されることで、貯湯タンク１１内の湯水が目標温度に加熱される。他方、制御部１３ａＥは、残湯量が停止残湯量以上である場合は、ヒートポンプ熱源機９およびポンプＰ３を停止させて、貯湯タンク１１内の湯水の加熱を停止させる。
【０１６６】
第２制御装置１７Ｅは、操作入力部１３ｃへの暖房操作の入力に応じて、第１ポンプＰ１、第２ポンプＰ２および調整弁５を制御することで、暖房器７を制御する。
【０１６７】
より詳細には、第２制御装置１７Ｅは、図１の様に給湯システム本体２に多機能ユニット１が接続された場合（即ち多機能ユニット１が第５流路ｈ５におけるヒートポンプ熱源機９とポンプＰ３との間の部分に介装接続されると共に第６流路ｈ６に介装接続された場合）において、図９の様に、各温度センサＴ１〜Ｔ５から残湯量検出部１３ｅＥに出力される各温度センサＴ１〜Ｔ５の検出信号ｓ３を中継すると共に、図１０の様に、第１ポンプＰ１、第２ポンプＰ２および調整弁５を制御する。
【０１６８】
即ちステップＵ１で、第２制御装置１７Ｅは、その中継する検出信号ｓ３に基づいて、残湯量検出部１３ｅＥの場合と同様に貯湯タンク１１の残湯量を検出し、その残湯量が起動残湯量以下であるか否かおよび停止残湯量以上であるか否かを判断し、その判断に基づいてヒートポンプ熱源機９が作動中（即ち貯湯タンク１１内の湯水が加熱中）であるか否かを判断する。その判断の結果、ヒートポンプ熱源機９が作動中である場合は、処理はステップＵ２に進み、ヒートポンプ熱源機９が作動中でない場合は、処理はステップＵ７に進む。
【０１６９】
ステップＵ２では、第２制御装置１７Ｅは、操作入力部１３ｃへの暖房開始の指示の入力の有無を確認する。その確認の結果、操作入力部１３ｃへの暖房開始の指示の入力が無い場合は、処理はステップＵ３に進み、操作入力部１３ｃへの暖房開始の指示の入力が有る場合は、処理はステップＵ２−２に進む。
【０１７０】
ステップＵ２−２では、暖房開始の指示を受けて、第２制御装置１７Ｅが暖房のための制御を行った場合は、処理がステップＵ５に進み、第２制御装置１７Ｅが暖房のための制御を行っていない場合は、処理がステップＵ４に進む。
【０１７１】
ステップＵ３では、第２制御装置１７Ｅは、貯湯タンク１１内の湯水の加熱が行われ且つ暖房器７が作動しない様に、その中継する検出信号ｓ３をそれに含まれる残湯量の情報を変更せずに中継し、且つ第１ポンプＰ１を停止させ、且つ第２ポンプＰ２を所定の排出量（例えばポンプＰ３の排出量と同じ排出量）で作動させ、且つ調整弁５を、熱交換器側αが全閉になり貯湯タンク側βが全開になる様に制御する。これにより、暖房器７は作動せず、貯湯タンク１１内の湯水がａ９→Ｐ３→５→Ｐ２→ａ７→９ｂ→ａ８→Ｎ２→ａ１０→１１の順に循環してヒートポンプ熱源機９で加熱されて、貯湯タンク１１内の湯水が加熱される。そして処理がステップＵ１に戻る。
【０１７２】
ステップＵ４では、第２制御装置１７Ｅは、貯湯タンク１１内の湯水の加熱が行われ且つ暖房器７が作動する様に、（ａ３）その中継する検出信号ｓ３をそれに含まれる残湯量の情報をヒートポンプ熱源機９が所要の加熱能力で作動される様に変更して中継すると共に、（ｂ３）第２ポンプＰ２を前記所定の排出量（即ちポンプＰ３の排出量）よりも大きい排出量で作動させ、且つ（ｃ３）調整弁５を熱交換器側αおよび貯湯タンク側βの両方の流れが確保される所定の分流比に制御し、（ｄ３）第１ポンプＰ１を作動させる。
【０１７３】
これにより、貯湯タンク１１内の湯水がａ９→Ｐ３→５→Ｐ２→ａ７→９ｂ→ａ８→Ｎ２→ａ１０→１１の順に循環してヒートポンプ熱源機９で加熱されて、貯湯タンク１１内の湯水が加熱される。これに併行して、熱交換器３内の湯水が５→Ｐ２→ａ７→９ｂ→ａ８→Ｎ２→３の順に循環してヒートポンプ熱源機９ｂで加熱されると共に、暖房器７の暖房用液体が７ａ→ａ１１→ａ５→Ｐ１→３→ａ６→ａ１２→７ａの順で循環して、暖房器７による暖房が行われる。そして処理がステップＵ５に進む。
【０１７４】
尚、上記（ｂ３）の様に、第２ポンプＰ２がポンプＰ３の排出量よりも大きい排出量で作動されることで、調整弁５において、熱交換器側αおよび貯湯タンク側βの両方の流れが無理なく確保される。また上記（ａ３）では、ヒートポンプ熱源機９の出湯口ａ８から出湯する湯の温度を目標温度するかまたは目標温度にできるだけ近づける場合は、中継される検出信号ｓ３に含まれる残湯量の情報をヒートポンプ熱源機９がより大きい加熱能力で作動する様に変更すればよい。その際、例えば、ヒートポンプ熱源機９の加熱能力が残湯量が少ないほど大きくなる様に制御される場合は、中継される検出信号ｓ３に含まれる残湯量の情報をその残湯量がより少なくなる様に変更すればよい。
【０１７５】
尚、ヒートポンプ熱源機９の出湯口ａ８から出湯する湯の温度が目標温度よりも低下してもよい場合、またはこの実施形態ではヒートポンプ熱源機９の加熱能力は調整可能であるが、ヒートポンプ熱源機９の加熱能力が調整できない実施形態を想定する場合は、上記（ａ３）で、第２制御装置１７Ｅに、その中継する制御信号ｓ３を変更せずに残湯量検出部１３ｅＥに中継させてもよい。これらの場合も、目標温度は低下するが、貯湯タンク１１内の湯水の加熱と、暖房器７による暖房とが行われる。
【０１７６】
ステップＵ５では、第２制御装置１７Ｅは、操作入力部１３ｃへの暖房停止の指示の入力の有無を確認する。その確認の結果、操作入力部１３ｃへの暖房停止の指示の入力が無い場合は、処理がステップＵ１に戻り、操作入力部１３ｃへの暖房停止の指示の入力が有る場合は、処理がステップＵ３に進む。
【０１７７】
ステップＵ７では、第２制御装置１７Ｅは、操作入力部１３ｃへの暖房開始の指示の入力の有無を確認する。その確認の結果、操作入力部１３ｃへの暖房開始の指示の入力が無い場合は、処理はステップＵ１に戻り、操作入力部１３ｃへの暖房開始の指示の入力が有る場合は、処理はステップＵ７−２に進む。
【０１７８】
ステップＵ７−２では、暖房開始の指示を受けて、２制御装置１７Ｅが暖房のための制御を行った場合は、処理がステップＵ９に進み、第２制御装置１７Ｃが暖房のための制御を行っていない場合は、処理がステップＵ８に進む。
【０１７９】
ステップＵ８では、第２制御装置１７Ｅは、暖房器７が作動する様に、上記（ａ３）〜（ｄ３）と同様に第１ポンプＰ１、第２ポンプＰ２および制御弁５を制御する。尚、この場合は、貯湯タンク１１内の湯水を加熱する必要ないが、検出信号ｓ３を変更してヒートポンプ熱源機９を作動させるとポンプＰ３も作動するので、付随的に貯湯タンク１１内の湯水の加熱も行われる。そして処理がステップＵ９に進む。
【０１８０】
ステップＵ９では、第２制御装置１７Ｅは、操作入力部１３ｃへの暖房停止の指示の入力の有無を確認する。その確認の結果、操作入力部１３ｃへの暖房停止の指示の入力が無い場合は、処理がステップＵ１に戻り、操作入力部１３ｃへの暖房停止の指示の入力が有る場合は、処理がステップＵ１０に進む。
【０１８１】
ステップＳ１０では、第２制御装置１７Ｅは、貯湯タンク１１内の湯水の加熱が停止され且つ暖房器７が停止される様に、その中継する検出信号ｓ３をその内容を変更せずに中継し（この場合、検出信号ｓ３は貯湯タンク１１内の湯水の加熱を行わない内容なので、検出信号ｓ３を変更しなければヒートポンプ熱源機９およびポンプＰ３は停止される。）、且つ第１ポンプＰ１および第２ポンプＰ２を停止させる。そして処理がステップＵ１も戻る。
【０１８２】
以上の様に構成された給湯システム１００Ｅによれば、多機能ユニット１において制御信号ｓ３の内容を変更することで、多機能ユニット１の動作と給湯システム本体２の動作とを協調させるので、給湯システム本体２に多機能ユニット１を接続するにあたり、給湯システム本体２の第１制御装置１３Ｅを設計変更すること無くそのまま使用できる。
【０１８３】
尚この実施形態では、各温度センサＴ１〜Ｔ５の検出信号ｓ３に基づいて貯湯タンク１１の残湯量が検出され、その残湯量に応じて貯湯タンク１１内の湯水の加熱が制御されたが、温度センサＴ１（即ち貯湯タンク１１の最上部に配設された温度センサ）の検出信号ｓ３に基づいて貯湯タンク１１の残湯量の温度（残湯温度）が検出され、その残湯温度に応じて貯湯タンク１１内の湯水の加熱が制御されても良い。即ち、例えば制御部１３ａＥにおいて、温度センサＴ１の検出信号ｓ３から残湯温度を検出し、その残湯温度が起動温度以下の場合は、ヒートポンプ熱源機９およびポンプＰ３を作動させて、貯湯タンク１１内の湯水を目標温度に加熱し、残湯温度が停止温度より高い場合は、ヒートポンプ熱源機９およびポンプＰ３を停止させて、貯湯タンク１１内の湯水を停止させる。尚、前記停止温度は、前記起動温度と同じかそれよりも大きい値である。この場合、第２制御装置１７Ｅは、温度センサＴ１から制御部１３ａＥに出力される検出信号ｓ３を中継する様に配置され、上記（ｂ３）〜（ｄ３）はそのままで、上記（ａ３）では、その中継する検出信号ｓ３をそれに含まれる残湯温度の情報をヒートポンプ熱源機９が所要の加熱能力で作動される様に変更して制御部３ａＥに中継する。
【０１８４】
＜第６実施形態＞
第５実施形態では、ポンプＰ３の排出量が一定にされ、ヒートポンプ熱源機９の加熱能力が調整されることで、ヒートポンプ熱源機９の出湯口ａ８から出湯する湯の温度が調整される場合で説明したが、この実施形態では、第５実施形態において、ヒートポンプ熱源機９の加熱能力が一定にされ、ポンプＰ３の排出量が調整されることで、出湯口ａ８から出湯する湯の温度が調整される場合で説明する。以下、第５実施形態と同じ部分は同一符号を付して説明を省略し、異なる部分を中心に説明する。
【０１８５】
この実施形態に係る給湯システム１００Ｆでは、図１および図９の様に、給湯システム本体２は第１制御装置１３Ｆ（第１制御手段）を備え、多機能ユニット１は第２制御装置１７Ｆ（第２制御手段）を備えている。
【０１８６】
第１制御装置１３Ｆは、制御部１３ａＦと、操作入力部１３ｃと、残湯量検出部１３ｅＥとを備えている。尚、各構成要素１３ｃ，１３ｅＥは、第５実施形態の場合と同じである。
【０１８７】
制御部１３ａＦは、残湯量検出部１３ｅＥの検出の結果、残湯量が起動残湯量以下である場合は、ヒートポンプ熱源機（加熱手段）９およびポンプＰ３（第３ポンプ）を作動させて、貯湯タンク１１内の湯水を目標温度に加熱する。ここでは、ヒートポンプ熱源機９は所定の加熱能力（即ち一定の加熱能力）で作動され、ポンプＰ３が検出信号ｓ３の内容に応じた排出量で作動されることで、貯湯タンク１１内の湯水が目標温度に加熱される。他方、制御部１３ａＥは、残湯量が停止残湯量以上である場合は、ヒートポンプ熱源機９およびポンプＰ３を停止させて、貯湯タンク１１内の湯水の加熱を停止させる。
【０１８８】
第２制御装置１７Ｆは、操作入力部１３ｃへの暖房操作の入力に応じて第１ポンプＰ１、第２ポンプＰ２および調整弁５を制御することで、暖房器７を制御する。
【０１８９】
より詳細には、第２制御装置１７Ｆは、図１の様に給湯システム本体２に多機能ユニット１が介装接続された場合（即ち多機能ユニット１が第５流路ｈ５におけるヒートポンプ熱源機９とポンプＰ３との間の部分に介装接続されると共に第６流路ｈ６に介装接続された場合）において、図９の様に、各温度センサＴ１〜Ｔ５から残湯量検出部１３ｅＥに出力される検出信号ｓ３を中継すると共に、図１１の様に、第１ポンプＰ１、第２ポンプＰ２および調整弁５を制御する。
【０１９０】
即ちステップＶ１で、第２制御装置１７Ｆは、その中継する検出信号ｓ３に基づいて、残湯量検出部１３ｅＥの場合と同様に貯湯タンク１１の残湯量を検出し、その残湯量が起動残湯量以下であるか否かおよび停止残湯量以上であるか否かを判断し、その判断に基づいてヒートポンプ熱源機９が作動中（即ち貯湯タンク１１内の湯水が加熱中）であるか否かを判断する。その判断の結果、ヒートポンプ熱源機９が作動中である場合は、処理はステップＶ２に進み、ヒートポンプ熱源機９が作動中でない場合は、処理はステップＶ７に進む。
【０１９１】
ステップＶ２では、第２制御装置１７Ｆは、操作入力部１３ｃへの暖房開始の指示の有無を確認する。その確認の結果、操作入力部１３ｃへの暖房開始の指示の入力が無い場合は、処理はステップＶ３に進み、操作入力部１３ｃへの暖房開始の指示の入力が有る場合は、処理はステップＶ２−２に進む。
【０１９２】
ステップＶ２−２では、暖房開始の指示を受けて、第２制御装置１７Ｆが暖房のための制御を行った場合は、処理がステップＹ５に進み、第２制御装置１７Ｆが暖房のための制御を行っていない場合は、処理がステップＶ４に進む。
【０１９３】
ステップＶ３では、第２制御装置１７Ｆは、貯湯タンク１１内の湯水の加熱が行われ且つ暖房器７が作動しない様に、その中継する検出信号ｓ３をそれに含まれる残湯量の情報を変更せずに中継し、且つ第１ポンプＰ１を停止させ、且つ第２ポンプＰ２を所定の排出量（即ち例えばポンプＰ３の排出量と同じ排出量）で作動させ（尚、ポンプＰ３の排出量は例えば検出信号ｓ３に含まれる残湯量の情報から判断される。）、且つ調整弁５を熱交換器側αが全閉になり貯湯タンク側βが全開になる様に制御する。これにより、暖房器７は作動せず、貯湯タンク１１内の湯水がａ９→Ｐ３→５→Ｐ２→ａ７→９ｂ→ａ８→Ｎ２→ａ１０→１１の順に循環してヒートポンプ熱源機９で加熱されて、貯湯タンク１１内の湯水が加熱される。そして処理がステップＶ１に戻る。
【０１９４】
ステップＶ４では、第２制御装置１７Ｆは、貯湯タンク１１内の湯水の加熱が行われ且つ暖房器７が作動する様に、（ａ４）第２ポンプＰ２を所要の排出量で作動させ、且つ（ｂ４）その中継する検出信号ｓ３をそれに含まれる残湯量の情報をポンプＰ３が前記所要の排出量（即ち第２ポンプＰ２の排出量）よりも小さい排出量で作動する様に変更して中継し、且つ（ｃ４）調整弁５を熱交換器側αおよび貯湯タンク側βの両方での流れが確保される分流比に制御し、且つ（ｄ４）第１ポンプＰ１を作動させる。
【０１９５】
これにより、貯湯タンク１１内の湯水がａ９→Ｐ３→５→Ｐ２→ａ７→９ｂ→ａ８→Ｎ２→ａ１０→１１の順に循環してヒートポンプ熱源機９で加熱されて、貯湯タンク１１内の湯水が加熱される。これに併行して、熱交換器３内の湯水が５→Ｐ２→ａ７→９ｂ→ａ８→Ｎ２→３の順に循環してヒートポンプ熱源機９ｂで加熱されると共に、暖房器７の暖房用液体が７ａ→ａ１１→ａ５→Ｐ１→３→ａ６→ａ１２→７ａの順で循環し、暖房器７により暖房が行われる。そして処理がステップＶ５に進む。
【０１９６】
尚、上記（ａ４）の所要の排出量としては、ヒートポンプ熱源機９の出湯口ａ８から出湯する湯の温度が目標温度になる排出量である事が望ましいが、この様に限定するものではない。また上記（ａ４）で、第２制御装置１７Ｆは、その中継する検出信号ｓ３に含まれる残湯量の情報に対応する排出量（即ち当該検出信号ｓ３に基づいて第１制御装置がポンプＰ３を作動させた場合のポンプＰ３の排出量）で第２ポンプＰ２を作動させ（尚、この場合、第２制御装置１７Ｆは、その中継する検出信号ｓ３から、その検出信号ｓ３に基づいて第１制御装置がポンプＰ３を作動させた場合のポンプＰ３の排出量を把握しているものとする。）、上記（ｂ４）で、その中継する検出信号ｓ３に含まれる残湯量の情報をポンプＰ３がより小さい排出量で作動する様に変更してもよい。その際、例えば、ポンプＰ３の排出量が貯湯タンク１１の残湯量が少ないほど大きくなる様に制御される場合は、中継する検出信号ｓ３に含まれる残湯量の情報をその残湯量がより多くなる様に変更すればよい。また上記（ｂ４）の様に、ポンプＰ３が第２ポンプＰ２の排出量よりも小さい排出量で作動されることで、調整弁５において、熱交換器側αおよび貯湯タンク側βの両方の流れが無理なく確保される。
【０１９７】
尚、ヒートポンプ熱源機９の出湯口ａ８から出湯する湯の温度が目標温度よりも低下してもよい場合、またはこの実施形態ではポンプＰ３の排出量は調整可能であるが、ポンプＰ３の排出量が調整できない実施形態を想定する場合は、第２制御装置１７Ｆに、上記（ａ４）で、第２ポンプＰ２を、中継する検出信号ｓ３に含まれる残湯量の情報に対応する排出量よりも大きい排出量で作動させ、上記（ｂ４）で、その中継する制御信号ｓ３を変更せずに残湯量検出部１３ｅＥに中継させてもよい。これらの場合も、目標温度は低下するが、貯湯タンク１１内の湯水の加熱と、暖房器７による暖房とが行われる。
【０１９８】
ステップＶ５では、第２制御装置１７Ｆは、操作入力部１３ｃへの暖房停止の指示の入力の有無を確認する。その確認の結果、操作入力部１３ｃへの暖房停止の指示の入力が無い場合は、処理がステップＶ１に戻り、操作入力部１３ｃへの暖房停止の指示の入力が有る場合は、処理がステップＶ３に進む。
【０１９９】
またステップＶ７では、第２制御装置１７Ｆは、操作入力部１３ｃへの暖房開始の指示の入力の有無を確認する。その確認の結果、操作入力部１３ｃへの暖房開始の指示の入力が無い場合は、処理はステップＶ１に戻り、操作入力部１３ｃへの暖房開始の指示の入力が有る場合は、処理はステップＶ７−２に進む。
【０２００】
ステップＶ７−２では、暖房開始の指示を受けて、第２制御装置１７Ｆが暖房のための制御を行った場合は、処理がステップＶ９に進み、第２制御装置１７Ｆが暖房のための制御を行っていない場合は、処理がステップＶ８に進む。
【０２０１】
ステップＶ８では、第２制御装置１７Ｆは、暖房器７が作動する様に、ステップＶ４と同様に、その中継する各検出信号ｓ３の内容を変更すると共に、第１ポンプＰ１、第２ポンプＰ２および調整弁５を制御する。尚、この場合は、貯湯タンク１１内の湯水を加熱する必要はないが、検出信号ｓ３に含まれる残湯量の情報を変更してヒートポンプ熱源機９を作動させるとポンプＰ３も作動するため、付随的に貯湯タンク１１内の湯水の加熱が行われる。そして処理がステップＶ９に進む。
【０２０２】
ステップＶ９では、第２制御装置１７Ｆは、操作入力部１３ｃへの暖房停止の指示の入力の有無を確認する。その確認の結果、操作入力部１３ｃへの暖房停止の指示の入力が無い場合は、処理がステップＶ１に戻り、操作入力部１３ｃへの暖房停止の指示の入力が有る場合は、処理がステップＶ１０に進む。
【０２０３】
ステップＶ１０では、第２制御装置１７Ｆは、貯湯タンク１１内の湯水の加熱が停止され且つ暖房器７が停止される様に、その中継する検出信号ｓ３をその内容を変更せずに中継し、且つ第１ポンプＰ１および第２ポンプＰ２を停止させる。そして処理がステップＶ１も戻る。
【０２０４】
以上の様に構成された給湯システム１００Ｆによれば、多機能ユニット１の第２制御装置１７Ｆを検出信号ｓ３を中継する様に配置し、第２制御装置１７Ｆにおいて制御信号ｓ３の内容を変更することで、多機能ユニット１の動作と給湯システム本体２の動作とを協調させるので、給湯システム本体２に多機能ユニット１を接続するにあたり、給湯システム本体２の第１制御装置１３Ｆを設計変更すること無くそのまま使用できる。
【０２０５】
尚この実施形態でも、第５実施形態の場合と同様に、各温度センサＴ１〜Ｔ５の検出信号ｓ３に基づいて貯湯タンク１１内の湯水の加熱を制御する代わりに、例えば温度センサＴ１（即ち貯湯タンク１１の最上部に配設された温度センサ）の検出信号ｓ３に基づいて貯湯タンク１１の残湯量の温度（残湯温度）を検出し、その残湯温度に応じて貯湯タンク１１内の湯水の加熱を制御しても良い。即ち、例えば制御部１３ａＦにおいて、温度センサＴ１からの検出信号ｓ３から残湯温度を検出し、その残湯温度が起動温度以下の場合は、ポンプ熱源機９およびポンプＰ３を作動させて、貯湯タンク１１内の湯水を目標温度に加熱し、残湯温度が停止温度より高い場合は、ヒートポンプ熱源機９およびポンプＰ３を停止させて、貯湯タンク１１内の湯水を停止させる。この場合、第２制御装置１７Ｆは、温度センサＴ１から制御部１３ａＦに出力される検出信号ｓ３を中継する様に配置され、上記（ａ４）（ｃ４）（ｄ４）はそのままで、上記（ｂ４）では、その中継する検出信号ｓ３に含まれる残湯温度の情報をポンプＰ３が前記所要の排出量（即ち第２ポンプＰ２の排出量）よりも小さい排出量で作動する様に変更して残湯量検出部１３ｅＥに中継する。
【０２０６】
＜第７実施形態＞
この実施形態に係る給湯システム１００Ｇは、図１２の様に、第１実施形態（図１および図３）の給湯システム１００において、ポンプＰ３（第３ポンプ）を省略したものである。
【０２０７】
より詳細には、この実施形態は、第１実施形態において、図２の給湯システム本体２にポンプＰ３が着脱自在に配設され、給湯システム本体２に多機能ユニット１が接続されない場合は、図２の様に給湯システム本体２にポンプＰ３が配設され、他方、給湯システム本体２に多機能ユニット１が接続された場合は、図１２の様にポンプＰ３が省略されるものである。以下、第１実施形態と同じ部分は同一符号を付して説明を省略し、異なる部分を中心に説明する。
【０２０８】
この実施形態では、例えば、ポンプＰ３は着脱自在に配管ｈ５（より詳細には配管ｈ５ｂ）に配設される。
【０２０９】
またこの実施形態の制御装置１３Ｇは、図３の様に、第１および第２制御機能１３ａ，１３ｂと、操作入力部１３ｃと、接続部１３ｄＧと、残湯量検出部１３ｅと、切替スイッチ１３ｆとを備えている。接続部１３ｄＧ以外の各構成要素１３ａ〜１３ｃ，１３ｅ，１３ｆは、第１実施形態の場合と同様に構成される。
【０２１０】
接続部１３ｄＧは、第１実施形態の接続部１３ｇにおいて、更にポンプＰ３からの制御用配線の一端部が後付可能（着脱自在）に接続される様に構成される。
【０２１１】
この実施形態の動作は、第１実施形態の場合の動作において、ポンプＰ３の動作が省略される点が異なる以外は同様である。
【０２１２】
以上の様に構成された給湯システム１００Ｇによれば、第１実施形態と同様の効果に加え、給湯システム本体２に多機能ユニット１が接続された場合は、ポンプＰ３が省略されるので、その分、コスト削減に寄与できる。
【０２１３】
尚この実施形態において、切替スイッチ１３ｆにより第１制御機能１３ａだけが選択される場合（即ち給湯システム２にポンプＰ３が接続される場合）は、第１制御機能１３ａを、第１実施形態の第１制御機能１３ａと同じ機能に切り替わらせ、他方、切替スイッチ１３ｆにより第１および第２制御機能１３ａ，１３ｂの両方が選択された場合（即ち給湯システム２からポンプＰ３が省略される場合）は、第１制御機能１３ａを、第１実施形態の第１制御機能１３ａの機能からポンプＰ３の制御に関する機能を省略した機能に切り替わらせてもよい。これにより、ポンプＰ３が省略された場合に、制御装置１３ＧにおいてポンプＰ３の制御負担を軽減できる。
【０２１４】
＜第８実施形態＞
この実施形態は、第２実施形態の給湯システム１００Ｂ（図１および図４）において、ポンプＰ３（第３ポンプ）を省略したものである。
【０２１５】
より詳細には、この実施形態は、第２実施形態において、図２の給湯システム本体２にポンプＰ３が着脱自在に配設され、給湯システム本体２に多機能ユニット１が接続されない場合は、図２の様に給湯システム本体２にポンプＰ３が配設され、他方、給湯システム本体２に多機能ユニット１が接続された場合は、図１２の様にポンプＰ３が省略されるものである。以下、第２実施形態と同じ部分は同一符号を付して説明を省略し、異なる部分を中心に説明する。
【０２１６】
この実施形態では、例えば、ポンプＰ３は着脱自在に配管ｈ５（より詳細には配管ｈ５ｂ）に配設される。
【０２１７】
この実施形態に係る給湯システム１００Ｈでは、図１２および図４の様に、給湯システム本体２は第１制御装置１３Ｈ（第１制御手段）を備え、多機能ユニット１は第２制御装置１７Ｂ（第２制御手段）を備えている。第２制御装置１７Ｂは、第２実施形態の場合と同様に構成される。
【０２１８】
第１制御装置１３Ｈは、第１制御機能１３ａＢと、第２制御機能１３ｂＢと、操作入力部１３ｃと、接続部１３ｄＨと、残湯量検出部１３ｅと、切替スイッチ１３ｆとを備えている。接続部１３ｄＨ以外の各構成要素１３ａＢ，１３ｂＢ，１３ｃ，１３ｅ，１３ｆＢは、第２実施形態の場合と同様に構成される。
【０２１９】
接続部１３ｄＨは、第２実施形態の接続部１３ｄＢにおいて、更にポンプＰ３からの制御用配線の一端部が後付可能（着脱自在）に接続される様に構成される。
【０２２０】
この実施形態の動作は、第２実施形態の場合の動作において、ポンプＰ３の動作が省略される点が異なる以外は同様である。
【０２２１】
以上の様に構成された給湯システム１００Ｈによれば、第２実施形態と同様の効果に加え、給湯システム本体２に多機能ユニット１が接続された場合は、ポンプＰ３が省略されるので、その分、コスト削減に寄与できる。
【０２２２】
尚この実施形態において、切替スイッチ１３ｆにより第１制御機能１３ａだけが選択される場合（即ち給湯システム２にポンプＰ３が接続される場合）は、第１制御機能１３ａを、第１実施形態の第１制御機能１３ａと同じ機能に切り替わらせ、他方、切替スイッチ１３ｆにより第１および第２制御機能１３ａ，１３ｂの両方が選択された場合（即ち給湯システム２からポンプＰ３が省略される場合）は、第１制御機能１３ａを、第１実施形態の第１制御機能１３ａの機能からポンプＰ３の制御に関する機能を省略した機能に切り替わらせてもよい。これにより、ポンプＰ３が省略された場合に、制御装置１３ＨにおいてポンプＰ３の制御負担を軽減できる。
【０２２３】
＜第９実施形態＞
この実施形態に係る給湯システム１００Ｉは、図１３の様に、第１実施形態の給湯システム１００（図１）において、第２ポンプＰ２が多機能ユニット１の第１流路ｈ１から第３流路ｈ３に移設され、ポンプＰ３が給湯システム本体２の配管ｈ５ｂから配管ｈ５ａに移設されたものに相当する。以下、第１実施形態と同じ部分は同一符号を付して説明を省略し、異なる部分を中心に説明する。
【０２２４】
給湯システム１００Ｉは、図１４の給湯システム本体２Ｉと、図１３の様に、給湯システム本体２Ｉに接続可能な多機能ユニット１Ｉおよび暖房器７とを備えている。
【０２２５】
給湯システム本体２Ｉは、ポンプＰ３が配管ｈ５ｂから配管ｈ５ａに移設され、且つ制御装置１３Ｉが下記の様に変更された以外は、第１実施形態の場合と同様に構成される。多機能ユニット１Ｉは、第２ポンプＰ２が第１流路ｈ１から第３流路ｈ３に移設された以外は、第１実施形態の場合と同様に構成される。暖房器７は、第１実施形態の場合と同様に構成される。
【０２２６】
この実施形態の制御装置１３Ｉは、ヒートポンプ熱源機９、ポンプＰ３および多機能ユニット１Ｉを制御するものであり、図３の様に、第１および第２制御機能１３ａ，１３ｂＩと、操作入力部１３ｃと、接続部１３ｄと、残湯量検出部１３ｅと、切替スイッチ１３ｆとを備えている。各構成要素１３ａ,１３ｃ，１３ｄ，１３ｅ，１３ｆは、第１実施形態と同様である。第２制御機能１３ｂＩは下記の様に機能する。
【０２２７】
この実施形態では、図１４の様に給湯システム本体２Ｉに多機能ユニット１Ｉが接続されていない場合において、切替スイッチ１３ｆにより第１制御機能１３ａだけが作動された場合は、第１制御機能１３ａは、残湯量検出部１３ｅの検出結果に基づいて、第１実施形態の場合と同様に貯湯タンク１１内の湯水の加熱を制御する。
【０２２８】
また図１３の様に給湯システム本体２Ｉに多機能ユニット１Ｉが接続された場合において、切替スイッチ１３ｆにより第１および第２制御機能１３ａ，１３ｂＩの両方が作動された場合は、第１および第２制御機能１３ａ，１３ｂＩは、残湯量検出部１３ｅの検出結果に基づいて、第１実施形態の場合と同様に貯湯タンク１１内の湯水の加熱を制御する。即ちこの場合、第２制御機能１３ｂＩは、第１実施形態の第１制御機能１３ｂと同様に機能する。
【０２２９】
また、図１３の様に給湯システム本体２Ｉに多機能ユニット１Ｉが接続された場合において、切替スイッチ１３ｆにより第１および第２制御機能１３ａ，１３ｂＩの両方が作動された場合は、操作入力部１３ｃへの暖房操作の入力に応じて、第１制御機能１３ａがヒートポンプ熱源機９およびポンプＰ３を制御すると共に第２制御機能１３ｂＩが第１ポンプＰ１および調整弁５を制御し、これにより暖房器７が制御される。
【０２３０】
より詳細には、操作入力部１３ｃに暖房開始の指示が入力されると、第１制御機能１３ａがヒートポンプ熱源機９およびポンプＰ３を作動させると共に、第２制御機能１３ｂＩが、第１ポンプＰ１を作動させ、且つ調整弁５を熱交換器側αの流れが確保される様に（例えば熱交換器３側αが全開となり貯湯タンク側βが全閉になる様に）制御する。これにより、熱交換器３内の湯水が３→５→Ｐ３→ａ７→９ｂ→ａ８→Ｎ２→３の順に循環して熱交換器９ｂで加熱されると共に、暖房器７の暖房用液体が７ａ→ａ１１→ａ５→Ｐ１→３→ａ６→ａ１２→７ａの順に循環し、これにより暖房器７が暖房を開始する。他方、操作入力部１３ｃに暖房停止の指示が入力されると、第１制御機能１３ａがヒートポンプ熱源機９およびポンプＰ３を停止させると共に第２制御機能１３ｂＩが第１ポンプＰ１を停止させ、これにより暖房器７が停止される。
【０２３１】
以上の様に構成された給湯システム１００Ｉによれば、第１実施形態と同様の効果を得る。
【０２３２】
＜第１０実施形態＞
この実施形態に係る給湯システム１００Ｊは、図１３の様に、第２実施形態の給湯システム１００Ｂ（図１）において、第２ポンプＰ２が多機能ユニット１の第１流路ｈ１から第３流路ｈ３に移設され、ポンプＰ３が給湯システム本体２の配管ｈ５ｂから配管ｈ５ａに移設されたものに相当する。以下、第２実施形態と同じ部分は同一符号を付して説明を省略し、異なる部分を中心に説明する。
【０２３３】
この給湯システム１００Ｊは、図１４の給湯システム本体２Ｊと、図１３の様に、給湯システム本体２Ｊに接続可能な多機能ユニット１Ｊおよび暖房器７とを備えている。
【０２３４】
給湯システム本体２Ｊは、ポンプＰ３が配管ｈ５ｂから配管ｈ５ａに移設され、且つ第１制御装置１３Ｊが下記の様に変更される以外は、第２実施形態の場合と同様に構成される。多機能ユニット１Ｊは、第２ポンプＰ２が第１流路ｈ１から第３流路ｈ３に移設され、且つ第２制御装置１７Ｊの動作が下記の様に変更される以外は、第２実施形態の場合と同様に構成される。暖房器７は、第１実施形態と同様に構成される。
【０２３５】
第１制御装置１３Ｊは、図４の様に、第１制御機能１３ａＢと、第２制御機能１３ｂＪと、操作入力部１３ｃと、接続部１３ｄＢと、残湯量検出部１３ｅと、切替スイッチ１３ｆとを備えている。尚、各構成要素１３ａＢ，１３ｃ，１３ｄＢ，１３ｅ，１３ｆＢは、第２実施形態の場合と同じである。
【０２３６】
第２制御機能１３ｂＪは、第２制御装置１７Ｊを介して調整弁５を制御すると共に、第２制御装置１７Ｊからの制御に応じて、直接にまたは第１制御機能１３ａＢを介してヒートポンプ熱源機９およびポンプＰ３を制御する機能である。
【０２３７】
第２制御装置１７Ｊは、第１ポンプＰ１、第２ポンプＰ２および調整弁５を制御すると共に、第１制御装置１３Ｊの第２制御手段１３ｂＪを介してヒートポンプ熱源機９およびポンプＰ３を制御する。
【０２３８】
この実施形態では、図１４の様に給湯システム本体２Ｊに多機能ユニット１Ｊが接続されていない場合において、切替スイッチ１３ｆにより第１制御機能１３ａＢだけが作動された場合は、第１制御機能１３ａＢが、第２実施形態の場合と同様に、残湯量検出部１３ｅの検出結果に応じてヒートポンプ熱源機９およびポンプＰ３を制御することで、貯湯タンク１１内の湯水の加熱を制御する。
【０２３９】
他方、図１３の様に給湯システム本体２Ｊに多機能ユニット１Ｊが接続された場合において、切替スイッチ１３ｆにより第１および第２制御機能１３ａＢ，１３ｂＪの両方が作動された場合は、残湯量検出部１３ｃの検出結果に応じて、第１制御機能１３ａＢがヒートポンプ熱源機９およびポンプＰ３を制御すると共に第２制御機能１３ｂＪが第２制御装置１７Ｊを介して第２ポンプＰ２および制御弁５を制御することで、第２実施形態の場合と同様に、貯湯タンク１１内の湯水の加熱が制御される。
【０２４０】
また、図１３の様に給湯システム本体２Ｊに多機能ユニット１Ｊが接続された場合において、操作入力部１３ｃへの暖房操作の入力に応じて、第２制御装置１７Ｊが、第１ポンプＰ１および調整弁５を制御すると共に第１制御装置１３Ｊの第２制御機能１３ｂＪを介してヒートポンプ熱源機９およびポンプＰ３を制御することで、第２実施形態の場合と同様に、暖房器７が制御される。
【０２４１】
以上の様に構成された給湯システム１００Ｊによれば、第２実施形態と同様の効果を得る。
【０２４２】
＜第１１実施形態＞
この実施形態に係る給湯システム１００Ｋは、図１３の様に、第３実施形態の給湯システム１００Ｃ（図１）において、第２ポンプＰ２が多機能ユニット１の第１流路ｈ１から第３流路ｈ３に移設され、ポンプＰ３が給湯システム本体２の配管ｈ５ｂから配管ｈ５ａに移設され、且つ多機能ユニット１において制御信号（加熱手段用制御信号）ｓ１だけでなく制御信号（ポンプ用制御信号）ｓ２も中継させたものに相当する。以下、第３実施形態と同じ部分は同一符号を付して説明を省略し、異なる部分を中心に説明する。
【０２４３】
この給湯システム１００Ｋは、図１４の給湯システム本体２Ｋと、図１３の様に、給湯システム本体２Ｋに接続可能な多機能ユニット１Ｋおよび暖房器７とを備えている。
【０２４４】
給湯システム本体２Ｋは、ポンプＰ３が配管ｈ５ｂから配管ｈ５ａに移設される以外は、第３実施形態の場合と同様に構成される。多機能ユニット１Ｋは、第２ポンプＰ２が第１流路ｈ１から第３流路ｈ３に移設され、且つ第２制御装置１７Ｋの動作が下記の様に変更される以外は、第３実施形態の場合と同様に構成される。暖房器７は、第３実施形態と同様に構成される。
【０２４５】
第２制御装置１７Ｋは、操作入力部１３ｃへの暖房操作の入力に応じて、第１ポンプＰ１、第２ポンプＰ２および調整弁５を制御することで、暖房器７を制御する。
【０２４６】
より詳細には、第２制御装置１７Ｋは、図１３の様に給湯システム本体２Ｋに多機能ユニット１Ｋが接続された場合（即ち多機能ユニット１Ｋが第５流路ｈ５におけるポンプＰ３と貯湯タンク１１との間の部分に介装接続されると共に第６流路ｈ６に介装接続された場合）において、図１５の様に、制御部１３ａＣからヒートポンプ熱源機９に出力される制御信号（加熱手段用制御信号）ｓ１および制御部１３ａＣからポンプＰ３に出力される制御信号（ポンプ用制御信号）ｓ２を中継すると共に、図１６の様に、第１ポンプＰ１、第２ポンプＰ２および調整弁５を制御する。
【０２４７】
即ちステップＷ１で、第２制御装置１７Ｋは、その中継する制御信号ｓ１に基づいて、ヒートポンプ熱源機９の作動中（即ち貯湯タンク１１内の湯水の加熱中）であるか否かを判断する。尚、ヒートポンプ熱源機９とポンプＰ３は、第１制御装置１３Ｋにより連動されるので、制御信号ｓ１に基づいてヒートポンプ熱源機９の作動中であるか否かを判断する代わりに、制御信号ｓ２に基づいてポンプＰ３の作動中であるか否かを判断してもよい。その判断の結果、ヒートポンプ熱源機９の作動中である場合は、処理はステップＷ２に進み、ヒートポンプ熱源機９の停止中である場合は、処理はステップＷ７に進む。
【０２４８】
ステップＷ２では、第２制御装置１７Ｋは、操作入力部１３ｃへの暖房開始の指示の入力の有無を確認する。その確認の結果、操作入力部１３ｃへの暖房開始の指示の入力が無い場合は、処理はステップＷ３に進み、操作入力部１３ｃへの暖房開始の指示の入力が有る場合は、処理はステップＷ２−２に進む。
【０２４９】
ステップＷ３では、第２制御装置１７Ｋは、貯湯タンク１１内の湯水の加熱が行われ且つ暖房器７が作動しない様に、その中継する各制御信号ｓ１，ｓ２をその内容を変更せずに中継し（この場合、各制御信号ｓ１，ｓ２はそれぞれヒートポンプ熱源機９，ポンプＰ３を作動させる内容なので、各制御信号ｓ１，ｓ２の内容を変更しなければヒートポンプ熱源機９およびポンプＰ３は作動される。）、且つ第１ポンプＰ１を停止させ、且つ第２ポンプＰ２を所定の排出量（例えばポンプＰ３の排出量と同じ排出量）で作動させ、且つ調整弁５を、熱交換器側αが全閉になり貯湯タンク側βが全開になる様に制御する。これにより、熱交換器３は機能せず（従って暖房器７は作動せず）、貯湯タンク１１内の湯水がａ９→Ｐ２→５→Ｐ２→ａ７→９ｂ→ａ８→Ｎ２→ａ１０→１１の順に循環してヒートポンプ熱源機９で加熱されて、貯湯タンク１１内の湯水が加熱される。そして処理がステップＷ１に戻る。
【０２５０】
ステップＷ２−２では、暖房開始の指示を受けて、第２制御装置１７Ｋが暖房のための制御を行った場合は、処理がステップＷ５に進み、第２制御装置１７Ｋが暖房のための制御を行っていない場合は、処理がステップＷ４に進む。
【０２５１】
ステップＷ４では、第２制御装置１７Ｋは、貯湯タンク１１内の湯水の加熱が行われ且つ暖房器７が作動する様に、（ａ５）その中継する各制御信号ｓ１，ｓ２をそれらの内容を変更せずにヒートポンプ熱源機９，ポンプＰ３に中継すると共に、（ｂ５）第２ポンプＰ２をポンプＰ３の排出量よりも小さい排出量で作動させ、且つ（ｃ５）調整弁５を熱交換器側αおよび貯湯タンク側βの両方の流れが確保される分流比に制御し、且つ（ａ５）第１ポンプＰ１を作動させる。
【０２５２】
これにより、貯湯タンク１１内の湯水がａ９→Ｐ２→５→Ｐ３→ａ７→９ｂ→ａ８→Ｎ２→ａ１０→１１の順に循環してヒートポンプ熱源機９で加熱されて、貯湯タンク１１内の湯水が加熱される。これに併行して、熱交換器３内の湯水が５→Ｐ３→ａ７→９ｂ→ａ８→Ｎ２→３の順に循環してヒートポンプ熱源機９ｂで加熱されると共に、暖房器７の暖房用液体が７ａ→ａ１１→ａ５→Ｐ１→３→ａ６→ａ１２→７ａの順で循環し、暖房器７により暖房が行われる。そして処理はステップＷ５に進む。
【０２５３】
尚、上記（ｂ５）の様に、第２ポンプＰ２がポンプＰ３の排出量よりも小さい排出量で作動されることで、調整弁５において、熱交換器側αおよび貯湯タンク側βの両方の流れが無理なく確保される。尚この実施形態では、ポンプＰ３の排出量が調整できないので、第２ポンプＰ２の排出量がポンプＰ３の排出量よりも小さくなる様に制御されている。
【０２５４】
ステップＷ５では、第２制御装置１７Ｋは、操作入力部１３ｃへの暖房停止の指示の有無を確認する。その確認の結果、操作入力部１３ｃへの暖房停止の指示の入力が無い場合は、処理がステップＷ１に戻り、操作入力部１３ｃへの暖房停止の指示の入力が有る場合、処理がステップＷ３に進む。
【０２５５】
またステップＷ７では、第２制御装置１７Ｋは、操作入力部１３ｃへの暖房開始の指示の入力の有無を確認する。その確認の結果、操作入力部１３ｃへの暖房開始の指示の入力が無い場合は、処理はステップＷ１に戻り、操作入力部１３ｃへの暖房開始の指示の入力が有る場合は、処理はステップＷ７−２に進む。
【０２５６】
ステップＷ７−２では、暖房開始の指示を受けて、第２制御装置１７Ｋが暖房のための制御を行った場合は、処理がステップＷ９に進み、第２制御装置１７Ｋが暖房のための制御を行っていない場合は、処理がステップＷ８に進む。
【０２５７】
ステップＷ８では、第２制御装置１７Ｋは、貯湯タンク１１内の湯水の加熱が停止され且つ暖房器７が作動する様に、その中継する各制御信号ｓ１，ｓ２の内容をそれぞれヒートポンプ熱源機９，ポンプＰ３が作動する内容に変更して中継し、且つ調整弁５を熱交換器側αの流れが確保される分流比に制御し（例えば熱交換器側αが全開になり貯湯タンク側βが全閉になる様に制御し）、且つ第１ポンプＰ１を作動させ、且つ第２ポンプＰ２を停止させる。
【０２５８】
これにより、熱交換器３内の湯水が５→Ｐ３→ａ７→９ｂ→ａ８→Ｎ２→３の順に循環してヒートポンプ熱源機９ｂで加熱されると共に、暖房器７の暖房用液体が７ａ→ａ１１→ａ５→Ｐ１→３→ａ６→ａ１２→７ａの順で循環することで、暖房器７により暖房が行われる。そして処理がステップＷ９に進む。
【０２５９】
ステップＷ９では、第２制御装置１７Ｋは、操作入力部１３ｃへの暖房停止の指示の入力の有無を確認する。その確認の結果、操作入力部１３ｃへの暖房停止の指示の入力が無い場合は、処理がステップＷ１に戻り、操作入力部１３ｃへの暖房停止の指示の入力が有る場合は、処理がステップＷ１０に進む。
【０２６０】
ステップＷ１０では、第２制御装置１７Ｋは、貯湯タンク１１内の湯水の加熱が停止され且つ暖房器７が停止される様に、その中継する各制御信号ｓ１，ｓ２をその内容を変更せずに中継し（この場合、各制御信号ｓ１，ｓ２はそれぞれヒートポンプ熱源機９，ポンプＰ３を停止させる内容なので、各制御信号ｓ１，ｓ２の内容を変更しないことでヒートポンプ熱源機９およびポンプＰ３は停止される。）、且つポンプＰ１を停止させる。そして処理がステップＷ１も戻る。
【０２６１】
以上の様に構成された給湯システム１００Ｋによれば、第３実施形態と同様の効果を得る。
【０２６２】
＜第１２実施形態＞
この実施形態に係る給湯システム１００Ｎは、図１３の様に、第４実施形態の給湯システム１００Ｄ（図１）において、第２ポンプＰ２が多機能ユニット１の第１流路ｈ１から第３流路ｈ３に移設され、ポンプＰ３が給湯システム本体２の配管ｈ５ｂから配管ｈ５ａに移設されたものに相当する。以下、第４実施形態と同じ部分は同一符号を付して説明を省略し、異なる部分を中心に説明する。
【０２６３】
この給湯システム１００Ｎは、図１４の給湯システム本体２Ｎと、図１３の様に、給湯システム本体２Ｎに接続可能な多機能ユニット１Ｎおよび暖房器７とを備えている。
【０２６４】
図７，図１３および図１４の様に、給湯システム本体２Ｎは、ポンプＰ３が配管ｈ５ｂから配管ｈ５ａに移設される以外は、第４実施形態の場合と同様に構成される。多機能ユニット１Ｎは、第２ポンプＰ２が第１流路ｈ１から第３流路ｈ３に移設され、且つ第２制御装置１７Ｎの動作が下記の様に変更される以外は、第４実施形態の場合と同様に構成される。暖房器７は、第３実施形態と同様に構成される。
【０２６５】
第２制御装置１７Ｎは、操作入力部１３ｃへの暖房操作の入力に応じて、第１ポンプＰ１、第２ポンプＰ２および調整弁５を制御することで、暖房器７を制御する。
【０２６６】
より詳細には、第２制御装置１７Ｎは、図１３の様に給湯システム本体２Ｎに多機能ユニット１Ｎが接続された場合（即ち多機能ユニット１Ｎが第５流路ｈ５におけるポンプＰ３と貯湯タンク１１との間の部分に介装接続されると共に第６流路ｈ６に介装接続された場合）において、図７の様に、制御部１３ａＤからヒートポンプ熱源機９に出力される制御信号（加熱手段用制御信号）ｓ１および制御部１３ａＤからポンプＰ３に出力される制御信号（ポンプ用制御信号）ｓ２を中継すると共に、図１６の様に、第１ポンプＰ１、第２ポンプＰ２および調整弁５を制御する。
【０２６７】
即ちステップＺ１で、第２制御装置１７Ｎは、その中継する制御信号ｓ１に基づいて、ヒートポンプ熱源機９の作動中（即ち貯湯タンク１１内の湯水の加熱中）であるか否かを判断する。尚、ヒートポンプ熱源機９とポンプＰ３とは制御部１３ａＤにより連動されるので、制御信号ｓ１に基づいてヒートポンプ熱源機９の作動中であるか否かを判断する代わりに、制御信号ｓ２に基づいてポンプＰ３の作動中であるか否かを判断してもよい。その判断の結果、ヒートポンプ熱源機９の作動中である場合は、処理はステップＺ２に進み、ヒートポンプ熱源機９の停止中である場合は、処理はステップＺ７に進む。
【０２６８】
ステップＺ２では、第２制御装置１７Ｎは、操作入力部１３ｃへの暖房開始の指示の入力の有無を確認する。その確認の結果、操作入力部１３ｃへの暖房開始の指示の入力が無い場合は、処理はステップＺ３に進み、操作入力部１３ｃへの暖房開始の指示の入力が有る場合は、処理はステップＺ２−２に進む。
【０２６９】
ステップＺ３では、第２制御装置１７Ｎは、貯湯タンク１１内の湯水の加熱が行われ且つ暖房器７が作動しない様に、その中継する各制御信号ｓ１，ｓ２をその内容を変更せずに中継し、且つ第１ポンプＰ１を停止させ、且つ第２ポンプＰ２を制御信号ｓ２で指定される排出量（即ちポンプＰ３の排出量と同じ排出量）で作動させ、且つ調整弁５を、熱交換器側αが全閉になり貯湯タンク側βが全開になる様に制御する。これにより、暖房器７は作動せず、貯湯タンク１１内の湯水がａ９→Ｐ２→５→Ｐ３→ａ７→９ｂ→ａ８→Ｎ２→ａ１０→１１の順に循環してヒートポンプ熱源機９で加熱されて、貯湯タンク１１内の湯水が加熱される。そして処理がステップＺ１に戻る。
【０２７０】
ステップＺ２−２では、暖房開始の指示を受けて、第２制御装置１７Ｎが暖房のための制御を行った場合は、処理がステップＺ５に進み、第２制御装置１７Ｎが暖房のための制御を行っていない場合は、処理がステップＺ４に進む。
【０２７１】
またステップＺ４では、第２制御装置１７Ｎは、貯湯タンク１１内の湯水の加熱が行われ且つ暖房器７が作動する様に、（ａ８）その中継する各制御信号ｓ１，ｓ２をそれらの内容を変更せずに中継し、且つ（ｂ８）その中継する制御信号ｓ２で指定される排出量（即ちポンプＰ３の排出量）よりも小さい排出量で第２ポンプＰ２を作動させ、且つ（ｃ８）調整弁５を熱交換器側αおよび貯湯タンク側βの両方の流れが確保される所定の分流比に制御し、且つ（ｄ８）第１ポンプＰ１を作動させる。
【０２７２】
これにより、貯湯タンク１１内の湯水がａ９→Ｐ２→５→Ｐ３→ａ７→９ｂ→ａ８→Ｎ２→ａ１０→１１の順に循環してヒートポンプ熱源機９で加熱されて、貯湯タンク１１内の湯水が加熱される。これに併行して、熱交換器３内の湯水が５→Ｐ３→ａ７→９ｂ→ａ８→Ｎ２→３の順に循環してヒートポンプ熱源機９ｂで加熱されると共に、暖房器７の暖房用液体が７ａ→ａ１１→ａ５→Ｐ１→３→ａ６→ａ１２→７ａの順で循環して、暖房器７により暖房が行われる。
【０２７３】
尚、上記（ｂ８）の様に、第２ポンプＰ２がポンプＰ３の排出量よりも小さい排出量で作動されることで、調整弁５において、熱交換器側αおよび貯湯タンク側βの両方の流れが無理なく確保されると共に、貯湯タンク１１内の湯水のａ９→Ｐ２→５→Ｐ３→ａ７→９ｂ→ａ８→Ｎ２→ａ１０→１１の循環に加えて、熱交換器３内の湯水の５→Ｐ３→ａ７→９ｂ→ａ８→Ｎ２→３の循環が加わってもヒートポンプ熱源機９の出湯口ａ８からの湯の温度を目標温度に維持される。
【０２７４】
尚、ヒートポンプ熱源機９の出湯口ａ８から出湯する湯の温度が目標温度よりも低下してよい場合、またはこの実施形態ではポンプＰ３の排出量は調整可能であるが、ポンプＰ３の排出量が調整できない実施形態を想定する場合は、第２制御装置１７Ｎに、上記（ａ８）で、その中継する制御信号ｓ２をそれで指定される排出量よりも大きい排出量に変更して中継すると共にその中継する制御信号ｓ１をその内容を変更せずに中継し、上記（ｂ８）で、その中継する制御信号ｓ２で指定される排出量で第２ポンプＰ２を作動させてもよい。この場合も、目標温度は低下するが、貯湯タンク１１内の湯水の加熱と、暖房器７による暖房とが行われる。
【０２７５】
ステップＺ５では、第２制御装置１７Ｎは、操作入力部１３ｃへの暖房停止の指示の入力の有無を確認する。その確認の結果、操作入力部１３ｃへの暖房停止の指示の入力が無い場合は、処理がステップＺ１に戻り、操作入力部１３ｃへの暖房停止の指示の入力が有る場合は、処理がステップＺ３に進む。
【０２７６】
またステップＺ７では、第２制御装置１７Ｎは、操作入力部１３ｃへの暖房開始の指示の入力の有無を確認する。その確認の結果、操作入力部１３ｃへの暖房開始の指示の入力が無い場合は、処理はステップＺ１に戻り、操作入力部１３ｃへの暖房開始の指示の入力が有る場合は、処理はステップＺ７−２に進む。
【０２７７】
ステップＺ７−２では、暖房開始の指示を受けて、第２制御装置１７Ｎが暖房のための制御を行った場合は、処理がステップＺ９に進み、第２制御装置１７Ｎが暖房のための制御を行っていない場合は、処理がステップＺ８に進む。
【０２７８】
ステップＺ８では、第２制御装置１７Ｎは、貯湯タンク１１内の湯水の加熱が停止され且つ暖房器７が作動する様に、その中継する制御信号ｓ１をその内容をヒートポンプ熱源機９が作動する内容に変更して中継すると共にその中継する制御信号ｓ２をその内容をポンプＰ３が作動する様に変更して中継し、且つ調整弁５を熱交換器側αの流れが確保される分流比に制御し（例えば熱交換器側αが全開になり貯湯タンク側βが全閉になる様に制御し）、且つ第１ポンプＰ１を作動させ、且つ第２ポンプＰ２を停止させる。
【０２７９】
これにより、熱交換器３内の湯水が５→Ｐ３→ａ７→９ｂ→ａ８→Ｎ２→３の順に循環してヒートポンプ熱源機９ｂで加熱されると共に、暖房器７の暖房用液体が７ａ→ａ１１→ａ５→Ｐ１→３→ａ６→ａ１２→７ａの順で循環することで、暖房器７により暖房が行われる。そして処理がステップＺ９に進む。
【０２８０】
ステップＺ９では、第２制御装置１７Ｎは、操作入力部１３ｃへの暖房停止の指示の入力の有無を確認する。その確認の結果、操作入力部１３ｃへの暖房停止の指示の入力が無い場合は、処理がステップＺ１に戻り、操作入力部１３ｃへの暖房停止の指示の入力が有る場合は、処理がステップＺ１０に進む。
【０２８１】
ステップＺ１０では、第２制御装置１７Ｎは、貯湯タンク１１内の湯水の加熱が停止され且つ暖房器７が停止される様に、その中継する各制御信号ｓ１，ｓ２をそれらの内容を変更せずに中継し（この場合は、各制御信号ｓ１，ｓ２の内容はそれぞれヒートポンプ熱源機９，ポンプＰ３を停止させる内容なので、各制御信号ｓ１，ｓ２の内容を変更しなければ、ヒートポンプ熱源機９およびポンプＰ３は停止される。）、且つ第１ポンプＰ１を停止させる。そして処理がステップＺ１も戻る。
【０２８２】
以上の様に構成された給湯システム１００Ｎによれば、第４実施形態と同様の効果を得る。
【０２８３】
＜第１３実施形態＞
この実施形態に係る給湯システム１００Ｌは、図１３の様に、第５実施形態の給湯システム１００Ｅ（図１）において、第２ポンプＰ２が多機能ユニット１の第１流路ｈ１から第３流路ｈ３に移設され、ポンプＰ３が給湯システム本体２の配管ｈ５ｂから配管ｈ５ａに移設されたものに相当する。以下、第５実施形態と同じ部分は同一符号を付して説明を省略し、異なる部分を中心に説明する。
【０２８４】
この給湯システム１００Ｌは、図１４の給湯システム本体２Ｌと、図１３の様に、給湯システム本体２Ｌに接続可能な多機能ユニット１Ｌおよび暖房器７とを備えている。
【０２８５】
図９，図１３および図１４の様に、給湯システム本体２Ｌは、ポンプＰ３が配管ｈ５ｂから配管ｈ５ａに移設される以外は、第５実施形態の場合と同様に構成される。多機能ユニット１Ｌは、第２ポンプＰ２が第１流路ｈ１から第３流路ｈ３に移設され、且つ第２制御装置１７Ｌの動作が下記の様に変更される以外は、第５実施形態の場合と同様に構成される。暖房器７は、第１実施形態の場合と同様に構成される。
【０２８６】
第２制御装置１７Ｌは、操作入力部１３ｃへの暖房操作の入力に応じて、第１ポンプＰ１、第２ポンプＰ２および調整弁５を制御することで、暖房器７を制御する。
【０２８７】
より詳細には、第２制御装置１７Ｌは、図１３の様に給湯システム本体２Ｌに多機能ユニット１Ｌが接続された場合（即ち多機能ユニット１Ｌが第５流路ｈ５におけるポンプＰ３と貯湯タンク１１との間の部分に介装接続されると共に第６流路ｈ６に介装接続された場合）において、図９の様に、給湯システム本体２Ｌの各温度センサＴ１〜Ｔ５から残湯量検出部１３ｅＥに出力される検出信号ｓ３を中継すると共に、図１７の様に、第１ポンプＰ１、第２ポンプＰ２および調整弁５を制御する。
【０２８８】
即ちステップＸ１で、第２制御装置１７Ｌは、その中継する検出信号ｓ３に基づいて、残湯量検出部１３ｅＥの場合と同様に貯湯タンク１１の残湯量を検出し、その残湯量が起動残湯量以下であるか否かおよび停止残湯量以上であるか否かを判断し、その判断に基づいてヒートポンプ熱源機９およびポンプＰ３が作動中であるか否かを判断する。その判断の結果、ヒートポンプ熱源機９およびポンプＰ３が作動中である場合は、処理はステップＸ２に進み、ヒートポンプ熱源機９が作動中でない場合は、処理はステップＸ７に進む。
【０２８９】
ステップＸ２では、第２制御装置１７Ｌは、操作入力部１３ｃへの暖房開始の指示の入力の有無を確認する。その確認の結果、操作入力部１３ｃへの暖房開始の指示の入力が無い場合は、処理はステップＸ３に進み、操作入力部１３ｃへの暖房開始の指示の入力が有る場合は、処理はステップＸ２−２に進む。
【０２９０】
ステップＸ２−２では、暖房開始の指示を受けて、第２制御装置１７Ｌが暖房のための制御を行った場合は、処理がステップＸ５に進み、第２制御装置１７Ｌが暖房のための処理を行っていない場合は、処理がステップＸ４に進む。
【０２９１】
ステップＸ３では、第２制御装置１７Ｌは、貯湯タンク１１内の湯水の加熱が行われ且つ暖房器７が作動しない様に、その中継する各検出信号ｓ３をそれに含まれる残湯量の情報を変更せずに中継し（この場合、検出信号ｓ３に含まれる残湯量の情報はヒートポンプ熱源機９およびポンプＰ３を作動させる残湯量に対応する情報）なので、各検出信号ｓ３に含まれる残湯量の情報を変更しなければ、ヒートポンプ熱源機９およびポンプＰ３は作動される。）、且つ第１ポンプＰ１を停止させ、且つ第２ポンプＰ２を所定の排出量（例えばポンプＰ３の排出量と同じ排出量）で作動させ、且つ調整弁５を、熱交換器側αが全閉になり貯湯タンク側βが全開になる様に制御する。これにより、暖房器７は作動せず、貯湯タンク１１内の湯水がａ９→Ｐ３→５→Ｐ２→ａ７→９ｂ→ａ８→Ｎ２→ａ１０→１１の順に循環してヒートポンプ熱源機９で加熱されて、貯湯タンク１１内の湯水が加熱される。そして処理がステップＸ１に戻る。
【０２９２】
ステップＸ４では、第２制御装置１７Ｌは、貯湯タンク１１内の湯水の加熱が行われ且つ暖房器７が作動する様に、（ａ６）その中継する検出信号ｓ３をそれに含まれる残湯量の情報を変更せずに中継し、且つ（ｂ６）第２ポンプＰ２をポンプＰ３の排出量よりも小さい排出量で作動させ、且つ（ｃ６）調整弁５を熱交換器側αおよび貯湯タンク側βの両方の流れが確保される所定の分流比に制御し、（ｄ６）第１ポンプＰ１を作動させる。
【０２９３】
これにより、貯湯タンク１１内の湯水がａ９→Ｐ２→５→Ｐ３→ａ７→９ｂ→ａ８→Ｎ２→ａ１０→１１の順に循環してヒートポンプ熱源機９で加熱されて、貯湯タンク１１内の湯水が加熱される。これに併行して、熱交換器３内の湯水が５→Ｐ２→ａ７→９ｂ→ａ８→Ｎ２→３の順に循環してヒートポンプ熱源機９ｂで加熱されると共に、暖房器７の暖房用液体が７ａ→ａ１１→ａ５→Ｐ１→３→ａ６→ａ１２→７ａの順で循環して、暖房器７による暖房が行われる。そして処理がステップＸ５に進む。
【０２９４】
尚、上記（ｂ６）の様に、第２ポンプＰ２がポンプＰ３の排出量よりも小さい排出量で作動されることで、調整弁５において、熱交換器側αおよび貯湯タンク側βの両方の流れが無理なく確保される。この実施形態では、ポンプＰ３の排出量が調整できないので、ポンプＰ３を第２ポンプよりも大きい排出量で作動させずに、第２ポンプＰ２をポンプＰ３の排出量よりも小さい排出量で作動させている。
【０２９５】
ステップＸ５では、第２制御装置１７Ｌは、操作入力部１３ｃへの暖房停止の指示の入力の有無を確認する。その確認の結果、操作入力部１３ｃへの暖房停止の指示の入力が無い場合は、処理がステップＸ１に戻り、操作入力部１３ｃへの暖房停止の指示の入力が有る場合は、処理がステップＸ３に進む。
【０２９６】
またステップＸ７では、第２制御装置１７Ｌは、操作入力部１３ｃへの暖房開始の指示の入力の有無を確認する。その確認の結果、操作入力部１３ｃへの暖房開始の指示の入力が無い場合は、処理はステップＸ１に戻り、操作入力部１３ｃへの暖房開始の指示の入力が有る場合は、処理はステップＸ７−２に進む。
【０２９７】
ステップＸ７−２では、暖房開始の指示を受けて、第２制御装置１７Ｌが暖房のための制御を行った場合は、処理がステップＸ９に進み、第２制御装置１７Ｃが暖房のための制御を行っていない場合は、処理がステップＸ８に進む。
【０２９８】
ステップＸ８では、第２制御装置１７Ｌは、暖房器７が作動する様に、その中継する検出信号ｓ３をそれに含まれる残湯量の情報をヒートポンプ熱源機９およびポンプＰ３が作動する様に変更して中継すると共に、第１ポンプＰ１を作動させ、且つ第２ポンプＰ２を停止させ、且つ制御弁５を熱交換器側αの流れが確保される分流比に制御する（例えば熱交換器側αが全開となり貯湯タンク側βが全閉となる様に制御する）。これにより暖房器７による暖房が作動する。そして処理がステップＸ９に進む。
【０２９９】
ステップＸ９では、第２制御装置１７Ｌは、操作入力部１３ｃへの暖房停止の指示の入力の有無を確認する。その確認の結果、操作入力部１３ｃへの暖房停止の指示の入力が無い場合は、処理がステップＸ１に戻り、操作入力部１３ｃへの暖房停止の指示の入力が有る場合は、処理がステップＸ１０に進む。
【０３００】
ステップＸ１０では、第２制御装置１７Ｌは、貯湯タンク１１内の湯水の加熱が停止され且つ暖房器７が停止される様に、その中継する検出信号ｓ３をそれに含まれる残湯量の情報を変更せずに中継し（この場合、検出信号ｓ３に含まれる残湯量の情報はヒートポンプ熱源機９およびポンプＰ３を停止させるものなので、検出信号ｓ３を変更せずに中継すればヒートポンプ熱源機９およびポンプＰ３は停止される。）、且つ第１ポンプＰ１を停止させる。そして処理がステップＸ１も戻る。
【０３０１】
以上の様に構成された給湯システム１００Ｌによれば、第５実施形態と同様の効果を得る。
【０３０２】
＜第１４実施形態＞
この実施形態に係る給湯システム１００Ｍは、図１３の様に、第６実施形態の給湯システム１００Ｆ（図１）において、第２ポンプＰ２が多機能ユニット１の第１流路ｈ１から第３流路ｈ３に移設され、ポンプＰ３が給湯システム本体２の配管ｈ５ｂから配管ｈ５ａに移設されたものに相当する。以下、第６実施形態と同じ部分は同一符号を付して説明を省略し、異なる部分を中心に説明する。
【０３０３】
この給湯システム１００Ｍは、図１４の給湯システム本体２と、図１３の様に、給湯システム本体２Ｍに接続可能な多機能ユニット１Ｍおよび暖房器７とを備えている。
【０３０４】
図９，図１３および図１４の様に、給湯システム本体２Ｍは、ポンプＰ３が配管ｈ５ｂから配管ｈ５ａに移設される以外は、第６実施形態の場合と同様に構成される。多機能ユニット１Ｍは、第２ポンプＰ２が第１流路ｈ１から第３流路ｈ３に移設され、且つ第２制御装置１７Ｍの動作が下記の様に変更される以外は、第６実施形態の場合と同様に構成される。暖房器７は、第６実施形態の場合と同様に構成される。
【０３０５】
第２制御装置１７Ｍは、操作入力部１３ｃへの暖房操作の入力に応じて、第１ポンプＰ１、第２ポンプＰ２および調整弁５を制御１することで、暖房器７を制御する。
【０３０６】
より詳細には、第２制御装置１７Ｍは、図１３の様に給湯システム本体２Ｍに多機能ユニット１Ｍが接続された場合（即ち多機能ユニット１Ｍが第５流路ｈ５におけるポンプＰ３と貯湯タンク１１との間の部分に介装接続されると共に第６流路ｈ６に介装接続された場合）において、図９の様に、各温度センサＴ１〜Ｔ５から残湯量検出部１３ｅＥに出力される検出信号ｓ３を中継すると共に、図１８の様に、第１ポンプＰ１、第２ポンプＰ２および調整弁５を制御する。
【０３０７】
即ちステップＹ１で、第２制御装置１７Ｍは、その中継する検出信号ｓ３に基づいて、残湯量検出部１３ｅＥの場合と同様に貯湯タンク１１の残湯量を検出し、その残湯量が起動残湯量以下であるか否かおよび停止残湯量以上であるか否かを判断し、その判断に基づいてヒートポンプ熱源機９およびポンプＰ３が作動中であるか否かを判断する。その判断の結果、ヒートポンプ熱源機９およびポンプＰ３が作動中である場合は、処理はステップＹ２に進み、ヒートポンプ熱源機９が作動中でない場合は、処理はステップＹ７に進む。
【０３０８】
ステップＹ２では、第２制御装置１７Ｍは、操作入力部１３ｃへの暖房開始の指示の有無を確認する。その確認の結果、操作入力部１３ｃへの暖房開始の指示の入力が無い場合は、処理はステップＹ３に進み、操作入力部１３ｃへの暖房開始の指示の入力が有る場合は、処理はステップＹ２−２に進む。
【０３０９】
ステップＹ２−２では、暖房開始の指示を受けて、第２制御装置１７Ｆが暖房のための制御を行った場合は、処理がステップＹ５に進み、第２制御装置１７Ｆが暖房のための制御を行っていない場合は、処理がステップＹ４に進む。
【０３１０】
ステップＹ３では、第２制御装置１７Ｍは、貯湯タンク１１内の湯水の加熱が行われ且つ暖房器７が作動しない様に、その中継する検出信号ｓ３をそれに含まれる残湯量の情報を変更せずに中継し、且つ第１ポンプＰ１を停止させ、且つ第２ポンプＰ２を検出信号ｓ３に含まれる残湯量の情報に対応する排出量（即ち例えばポンプＰ３の排出量と同じ排出量）で作動させ、且つ調整弁５を熱交換器側αが全閉になり貯湯タンク側βが全開になる様に制御する。これにより、暖房器７は作動せず、貯湯タンク１１内の湯水がａ９→Ｐ２→５→Ｐ３→ａ７→９ｂ→ａ８→Ｎ２→ａ１０→１１の順に循環してヒートポンプ熱源機９で加熱されて、貯湯タンク１１内の湯水が加熱される。そして処理がステップＹ１に戻る。
【０３１１】
ステップＹ４では、第２制御装置１７Ｍは、貯湯タンク１１内の湯水の加熱が行われ且つ暖房器７が作動する様に、（ａ７）第２ポンプＰ２を、その中継する検出信号ｓ３に含まれる残湯量の情報に対応する排出量（即ち当該検出信号ｓ３に基づいて第１制御装置１３ＭがポンプＰ３を作動させた場合のポンプＰ３の排出量）よりも小さい排出量で作動させ、且つ（ｂ７）その中継する検出信号ｓ３に含まれる残湯量の情報を変更せずに中継し、且つ（ｃ７）調整弁５を熱交換器側αおよび貯湯タンク側βの両方での流れが確保される分流比に制御し、且つ（ｄ７）第１ポンプＰ１を作動させる。
【０３１２】
これにより、貯湯タンク１１内の湯水がａ９→Ｐ２→５→Ｐ３→ａ７→９ｂ→ａ８→Ｎ２→ａ１０→１１の順に循環してヒートポンプ熱源機９で加熱されて、貯湯タンク１１内の湯水が加熱される。これに併行して、熱交換器３内の湯水が５→Ｐ３→ａ７→９ｂ→ａ８→Ｎ２→３の順に循環してヒートポンプ熱源機９ｂで加熱されると共に、暖房器７の暖房用液体が７ａ→ａ１１→ａ５→Ｐ１→３→ａ６→ａ１２→７ａの順で循環し、暖房器７により暖房が行われる。そして処理がステップＹ５に進む。
【０３１３】
尚、ヒートポンプ熱源機９の出湯口ａ８から出湯する湯の温度は目標温度よりも低下してもよい場合は、上記（ａ７）で、第２制御装置１７Ｍにより、その中継する検出信号ｓ３に含まれる残湯量の情報に対応する排出量で第２ポンプＰ２を作動させ、上記（ｂ７）で、その中継する検出信号ｓ３に含まれる残湯量の情報をポンプＰ３がより大きい排出量で作動する様に変更させてもよい。その際、例えば、ポンプＰ３の排出量が貯湯タンク１１の残湯量が少ないほど大きくなる様に制御される場合は、中継する検出信号ｓ３に含まれる残湯量の情報をその残湯量がより少なくなる様に変更すればよい。また上記（ａ７）の様に、第２ポンプＰ２がポンプＰ３の排出量よりも小さい排出量で作動されることで、ヒートポンプ熱源機９の出湯口ａ８から出湯する湯の温度を目標温度に保ちつつ、調整弁５において、熱交換器側αおよび貯湯タンク側βの両方の流れが無理なく確保される。
【０３１４】
ステップＹ５では、第２制御装置１７Ｍは、操作入力部１３ｃへの暖房停止の指示の入力の有無を確認する。その確認の結果、操作入力部１３ｃへの暖房停止の指示の入力が無い場合は、処理がステップＹ１に戻り、操作入力部１３ｃへの暖房停止の指示の入力が有る場合は、処理がステップＹ３に進む。
【０３１５】
またステップＹ７では、第２制御装置１７Ｍは、操作入力部１３ｃへの暖房開始の指示の入力の有無を確認する。その確認の結果、操作入力部１３ｃへの暖房開始の指示の入力が無い場合は、処理はステップＹ１に戻り、操作入力部１３ｃへの暖房開始の指示の入力が有る場合は、処理はステップＹ７−２に進む。
【０３１６】
ステップＹ７−２では、暖房開始の指示を受けて、第２制御装置１７Ｍが暖房のための制御を行った場合は、処理がステップＹ９に進み、第２制御装置１７Ｃが暖房のための制御を行っていない場合は、処理がステップＹ８に進む。
【０３１７】
ステップＹ８では、第２制御装置１７Ｍは、暖房器７が作動する様に、その中継する各検出信号ｓ３をそれに含まれる残湯量の情報をヒートポンプ熱源機９およびポンプＰ３が作動する様に変更して中継し、かつ第１ポンプＰ１を作動させ、第２ポンプＰ２を停止させ、且つ調整弁５を熱交換器側αの流れが確保される分流比に制御する（例えば熱交換器側αが全開となり貯湯タンク側βが全閉となる様に制御する）。これにより暖房器７による暖房が作動する。そして処理がステップＹ９に進む。
【０３１８】
ステップＹ９では、第２制御装置１７Ｍは、操作入力部１３ｃへの暖房停止の指示の入力の有無を確認する。その確認の結果、操作入力部１３ｃへの暖房停止の指示の入力が無い場合は、処理がステップＹ１に戻り、操作入力部１３ｃへの暖房停止の指示の入力が有る場合は、処理がステップＹ１０に進む。
【０３１９】
ステップＹ１０では、第２制御装置１７Ｍは、貯湯タンク１１内の湯水の加熱が停止され且つ暖房器７が停止される様に、その中継する検出信号ｓ３を変更せずに中継し（この場合、検出信号ｓ３に含まれる残湯量の情報はヒートポンプ熱源機９およびポンプＰ３を停止させるものなので、検出信号ｓ３を変更せずに中継すればヒートポンプ熱源機９およびポンプＰ３は停止される。）、且つ第１ポンプＰ１を停止させる。そして処理がステップＹ１も戻る。
【０３２０】
以上の様に構成された給湯システム１００Ｍによれば、第６実施形態と同様の効果を得る。
【０３２１】
＜第１５実施形態＞
この実施形態に係る給湯システム１００Ｐは、図１９の様に、第９実施形態（図１３）の給湯システム１００Ｉにおいて、第２ポンプＰ２を省略したものである。以下、第９実施形態と同じ部分は同一符号を付して説明を省略し、異なる部分を中心に説明する。
【０３２２】
この給湯システム１００Ｐは、図１４の給湯システム本体２Ｐと、図１９の様に、給湯システム本体２Ｐに接続可能な多機能ユニット１Ｐおよび暖房器７とを備えている。
【０３２３】
多機能ユニット１Ｐは、図１９の様に、第２ポンプＰ２が省略された点が異なる以外は、第９実施形態の多機能ユニット１Ｉ（図１３）と同様に構成される。
【０３２４】
給湯システム本体２Ｐは、図１４および図２０の様に、ヒートポンプ熱源機９と、貯湯タンク１１と、制御装置１３Ｐとを備えている。ヒートポンプ熱源機９および貯湯タンク１１は、第９実施形態の場合と同様に構成される。
【０３２５】
制御装置１３Ｐは、第２ポンプＰ２に関する制御が省略される点が異なる以外は、第９実施形態の制御装置１３Ｉ（図３）と同様に構成される。即ち、制御装置１３Ｐの第２制御機能１３ｂＰは、制御装置１３Ｉの第２制御機能１３ｂＩから、第２ポンプＰ２に関する制御を省略した以外は同様に構成され、制御装置１３Ｐの他の構成要素１３ａ，１３ｃ〜１３ｆはそれぞれ、制御装置１３Ｉの構成要素１３ａ，１３ｃ〜１３ｆと同様に構成される。
【０３２６】
以上の様に構成された給湯システム１００Ｐによれば、第９実施形態と同様の効果に加え、第２ポンプＰ２が省略されるので、その分、コスト削減に寄与できる。
【０３２７】
＜第１６実施形態＞
この実施形態に係る給湯システム１００Ｑは、図１９の様に、第１０実施形態（図１３）の給湯システム１００Ｊにおいて、第２ポンプＰ２を省略したものである。以下、第１０実施形態と同じ部分は同一符号を付して説明を省略し、異なる部分を中心に説明する。
【０３２８】
この給湯システム１００Ｑは、図１４の給湯システム本体２Ｑと、図１９の様に、給湯システム本体２Ｑに接続可能な多機能ユニット１Ｑおよび暖房器７とを備えている。
【０３２９】
給湯システム本体２Ｑは、図１４および図２１の様に、ヒートポンプ熱源機９と、貯湯タンク１１と、第１制御装置１３Ｑとを備えている。ヒートポンプ熱源機９および貯湯タンク１１は、第１０実施形態の場合と同様に構成される。
【０３３０】
第１制御装置１３Ｑは、第２ポンプＰ２に関する制御が省略される点が異なる以外は、第１０実施形態の第１制御装置１３Ｊ（図４）と同様に構成される。即ち、制御装置１３Ｑの第２制御機能１３ｂＱは、制御装置１３Ｊの第２制御機能１３ｂＪから、第２ポンプＰ２に関する制御を省略した以外は同様に構成され、制御装置１３Ｑの他の構成要素１３ａＢ，１３ｃ，１３ｄＢ，１３ｅ，１３ｆＢはそれぞれ、制御装置１３Ｉの構成要素１３ａＢ，１３ｃ，１３ｄＢ，１３ｅ，１３ｆＢと同様に構成される。
【０３３１】
多機能ユニット１Ｑは、図１９の様に、第２ポンプが省略される点が異なる以外は、第１０実施形態の多機能ユニット１Ｊ（図１３）と同様に構成される。また多機能ユニット１Ｑの第２制御装置１７Ｑは、図２１の様に、第２ポンプＰ２に関する制御が省略される点が異なる以外は、多機能ユニット１Ｊの第２制御装置１７Ｊと同様に構成される。
【０３３２】
以上の様に構成された給湯システム１００Ｑによれば、第１０実施形態と同様の効果に加え、第２ポンプＰ２が省略されるので、その分、コスト削減に寄与できる。
【０３３３】
＜第１７実施形態＞
この実施形態に係る給湯システム１００Ｒは、図１９の様に、第１１実施形態（図１３）の給湯システム１００Ｋにおいて、第２ポンプＰ２を省略したものである。以下、第１１実施形態と同じ部分は同一符号を付して説明を省略し、異なる部分を中心に説明する。
【０３３４】
この給湯システム１００Ｒは、図１４の給湯システム本体２Ｋと、図１９の様に、給湯システム本体２Ｋに接続可能な多機能ユニット１Ｒおよび暖房器７とを備えている。給湯システム本体２Ｋおよび暖房器７は、第１１実施形態の場合と同様に構成される。
【０３３５】
多機能ユニット１Ｒは、図２２の様に、第２ポンプが省略される点が異なる以外は、第１１実施形態の多機能ユニット１Ｋ（図１３）と同様に構成される。また多機能ユニット１Ｒの第２制御装置１７Ｒは、図２２の様に、第２ポンプＰ２に関する制御が省略される点が異なる以外は、多機能ユニット１Ｋの第２制御装置１７Ｋ（図１４）と同様に構成される。
【０３３６】
第２制御装置１３Ｒの動作は、第１１実施形態の第２制御装置１２Ｋの動作（図１６）において、第２ポンプＰ２に関する制御を省略した点が異なる以外は同様である。
【０３３７】
以上の様に構成された給湯システム１００Ｒによれば、第１１実施形態と同様の効果に加え、第２ポンプＰ２が省略されるので、その分、コスト削減に寄与できる。
【０３３８】
＜第１８実施形態＞
この実施形態に係る給湯システム１００Ｓは、図１９の様に、第１２実施形態（図１３）の給湯システム１００Ｎにおいて、第２ポンプＰ２を省略したものである。以下、第１２実施形態と同じ部分は同一符号を付して説明を省略し、異なる部分を中心に説明する。
【０３３９】
この給湯システム１００Ｓは、図１４の給湯システム本体２Ｎと、図１９の様に、給湯システム本体２Ｎに接続可能な多機能ユニット１Ｓおよび暖房器７とを備えている。給湯システム本体２Ｎおよび暖房器７は、第１２実施形態の場合と同様に構成される。
【０３４０】
多機能ユニット１Ｓは、図２３の様に、第２ポンプＰ２が省略される点が異なる以外は、第１２実施形態の多機能ユニット１Ｎ（図１３）と同様に構成される。また多機能ユニット１Ｓの第２制御装置１７Ｓは、図２３の様に、第２ポンプＰ２に関する制御が省略される点が異なる以外は、多機能ユニット１Ｎの第２制御装置１７Ｄ（図１５）と同様に構成される。
【０３４１】
第２制御装置１３Ｓの動作は、第１２実施形態の第２制御装置１２Ｄの動作（図１６）において、第２ポンプＰ２に関する制御を省略した点が異なる以外は同様である。
【０３４２】
以上の様に構成された給湯システム１００Ｓによれば、第１２実施形態と同様の効果に加え、第２ポンプＰ２が省略されるので、その分、コスト削減に寄与できる。
【０３４３】
＜第１９実施形態＞
この実施形態に係る給湯システム１００Ｔは、図１９の様に、第１３実施形態（図１３）の給湯システム１００Ｌにおいて、第２ポンプＰ２を省略したものである。以下、第１３実施形態と同じ部分は同一符号を付して説明を省略し、異なる部分を中心に説明する。
【０３４４】
この給湯システム１００Ｔは、図１４の給湯システム本体２Ｌと、図１９の様に、給湯システム本体２Ｌに接続可能な多機能ユニット１Ｔおよび暖房器７とを備えている。給湯システム本体２Ｌおよび暖房器７は、第１３実施形態の場合と同様に構成される。
【０３４５】
多機能ユニット１Ｔは、図１９の様に、第２ポンプＰ２が省略される点が異なる以外は、第１３実施形態の多機能ユニット１Ｌ（図１３）と同様に構成される。また多機能ユニット１Ｔの第２制御装置１７Ｔは、図２４の様に、第１３実施形態の多機能ユニット１Ｌの第２制御装置１７Ｌ（図９）と比べて、第２ポンプＰ２に関する制御が省略される点が異なる以外は同様に構成される。
【０３４６】
第２制御装置１３Ｔの動作は、第１３実施形態の第２制御装置１２Ｌの動作（図１７）において、第２ポンプＰ２に関する制御を省略した点が異なる以外は同様である。
【０３４７】
以上の様に構成された給湯システム１００Ｔによれば、第１３実施形態と同様の効果に加え、第２ポンプＰ２が省略されるので、その分、コスト削減に寄与できる。
【０３４８】
＜第２０実施形態＞
この実施形態に係る給湯システム１００Ｕは、図１９の様に、第１４実施形態（図１３）の給湯システム１００Ｍにおいて、第２ポンプＰ２を省略したものである。以下、第１４実施形態と同じ部分は同一符号を付して説明を省略し、異なる部分を中心に説明する。
【０３４９】
この給湯システム１００Ｕは、図１４の給湯システム本体２Ｍと、図１９の様に、給湯システム本体２Ｍに接続可能な多機能ユニット１Ｕおよび暖房器７とを備えている。給湯システム本体２Ｍおよび暖房器７は、第１４実施形態の場合と同様に構成される。
【０３５０】
多機能ユニット１Ｕは、図１９の様に、第２ポンプＰ２が省略される点が異なる以外は、第１４実施形態の多機能ユニット１Ｍ（図１３）と同様に構成される。また多機能ユニット１Ｕの第２制御装置１７Ｕは、図２４の様に、第２ポンプＰ２に関する制御が省略される点が異なる以外は、多機能ユニット１Ｍの第２制御装置１７Ｍ（図９）と同様に構成される。
【０３５１】
第２制御装置１３Ｔの動作は、第１４実施形態の第２制御装置１２Ｍの動作（図１８）において、第２ポンプＰ２に関する制御を省略した点が異なる以外は同様である。
【０３５２】
以上の様に構成された給湯システム１００Ｕによれば、第１４実施形態と同様の効果に加え、第２ポンプＰ２が省略されるので、その分、コスト削減に寄与できる。
【符号の説明】
【０３５３】
１，１Ｋ〜１Ｍ，１Ｑ〜１Ｕ  多機能ユニット
２、２Ｊ〜１Ｎ，２Ｑ，給湯システム本体
９  ヒートポンプ熱源機
１３，１３Ｂ，１３Ｃ，１３Ｅ〜１３Ｍ，１３Ｐ，１３Ｑ，  第１制御装置
１７Ｂ，１７Ｃ，１７Ｅ，１７Ｆ，１７Ｊ〜１７Ｍ，１７Ｒ〜１７Ｕ  第２制御装置
ａ１〜ａ５  第１〜第５接続口
ａ７流入口
ａ９  吐出口
ａ１０  入湯口  
ａ１３  出湯口
ｈ５〜ｈ１１  配管
Ｔ１〜Ｔ５  温度センサ
Ｐ１〜Ｐ３  第１〜第３ポンプ
ｓ１  加熱手段用制御信号
ｓ２  ポンプ用制御信号
ｓ３  検出信号
【図１】
0005630065.tif 000002
【図２】
0005630065.tif 000003
【図３】
0005630065.tif 000004
【図４】
0005630065.tif 000005
【図５】
0005630065.tif 000006
【図６】
0005630065.tif 000007
【図７】
0005630065.tif 000008
【図８】
0005630065.tif 000009
【図９】
0005630065.tif 000010
【図１０】
0005630065.tif 000011
【図１１】
0005630065.tif 000012
【図１２】
0005630065.tif 000013
【図１３】
0005630065.tif 000014
【図１４】
0005630065.tif 000015
【図１５】
0005630065.tif 000016
【図１６】
0005630065.tif 000017
【図１７】
0005630065.tif 000018
【図１８】
0005630065.tif 000019
【図１９】
0005630065.tif 000020
【図２０】
0005630065.tif 000021
【図２１】
0005630065.tif 000022
【図２２】
0005630065.tif 000023
【図２３】
0005630065.tif 000024
【図２４】
0005630065.tif 000025